(57)【要約】      （修正有）【課題】３Ｄ−ＭＩＭＯ（３次元多入力多出力）のチャネル情報を測定しフィードバックするための改善された方法及び装置を提供する。【解決手段】第１のネットワークデバイスは参照信号を受信し参照信号の測定結果を取得し測定結果に従い第１のコードブック集合から第１のコードブックを選択する１０１。第１のコードブック集合は少なくとも２つの第１のコードブックを含み、各第１のコードブックのサブベクトルはゼロベクトルと非ゼロベクトルとにより形成され、アンテナポートの異なるグループに対応し、各第１のコードブックにおいて異なるサブベクトルは同じ構造または異なる構造に従い形成される。第１のネットワークデバイスは選択された第１のコードブックに対応したコードブックインデックスを第２のネットワークデバイスに送信する１０２。【選択図】図６
2018129821.tif 000002
【特許請求の範囲】
【請求項１】
チャネル情報を測定し、フィードバックするための方法であって、
第1のネットワークデバイスによって、参照信号を受信し、前記参照信号を測定して測定結果を取得し、前記測定結果に従って第1のコードブック集合から第1のコードブックを選択するステップであって、
前記第1のコードブック集合は、少なくとも2つの第1のコードブックを含み、各第1のコードブックのサブベクトルWxは、ゼロベクトルと非ゼロベクトルとによって形成され、前記Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、前記Wx(1)における非ゼロベクトルのロケーションが、前記Wx(2)における非ゼロベクトルのロケーションと同じである、というものであり、異なる構造による形成は、異なるサブベクトルWx(1)およびWx(2)について、前記Wx(1)における非ゼロベクトルのロケーションが、前記Wx(2)における非ゼロベクトルのロケーションと異なる、というものである、ステップと、
コードブックインデックスを第2のネットワークデバイスに送信するステップであって、前記コードブックインデックスは、前記第1のコードブック集合から選択された前記第1のコードブックに対応する、ステップとを含む方法。
【請求項２】
各第1のコードブックは、第1の構造を有する少なくとも1つの第1のサブベクトル
【数１】
2018129821.tif 000542
および/または第2の構造を有する少なくとも1つの第2のサブベクトル
【数２】
2018129821.tif 000543
を含み、
【数３】
2018129821.tif 000544
の中のVaは、n1次元の非ゼロベクトルであり、アンテナポートの第1のグループに対応し、
【数４】
2018129821.tif 000545
の中の0は、n2次元のゼロベクトルを表し、アンテナポートの第2のグループに対応し、
【数５】
2018129821.tif 000546
の中のVbは、n2次元の非ゼロベクトルであり、アンテナポートの前記第2のグループに対応し、
【数６】
2018129821.tif 000547
の中の0は、n1次元のゼロベクトルを表し、アンテナポートの前記第1のグループに対応する請求項1に記載の方法。
【請求項３】
少なくとも1つの第1のコードブックは、第1の条件を満たし、前記第1の条件は、
すべての第1の位相ベクトルによって形成されるベクトル集合および離散フーリエ変換行列DFT行列が前記第1の位相ベクトルによって形成される前記ベクトル集合が前記DFT行列の位相行列内の対応する列ベクトルの集合の部分集合であるという第1の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第1のサブベクトル
【数７】
2018129821.tif 000548
のVa部分は集合{Vm}を形成し、前記{Vm}の各サブベクトル内のすべての要素の位相部分は、前記第1の位相ベクトルを形成し、前記{Vm}の各サブベクトル内の第Kの要素の位相部分は、各対応する第1の位相ベクトルの第Kの要素であり、P、Q、およびKは、正整数である、または
すべての第2の位相ベクトルによって形成されるベクトル集合およびCubic Metric Preserving(CMP)キュービックメトリック保存コードブック集合内の少なくとも1つのCMPコードブックが前記第2の位相ベクトルによって形成される前記ベクトル集合が前記CMPコードブック行列の位相行列内の対応する列ベクトルの集合の部分集合であるという第2の対応関係の条件を満たし、前記CMPコードブック行列の前記位相行列の中の第P行および第Q列内の要素は、前記CMPコードブック行列内の第P行および第Q列内の要素の位相部分であり、前記第1のコードブック内のすべての第1のサブベクトル
【数８】
2018129821.tif 000549
のVa部分は集合{Vm}を形成し、前記{Vm}の各サブベクトル内のすべての要素の位相部分は、前記第2の位相ベクトルを形成し、前記{Vm}の各サブベクトル内の第Kの要素の位相部分は、各対応する第2の位相ベクトルの第Kの要素であり、P、Q、およびKは、正整数である、または
すべての第3の位相ベクトルによって形成されるベクトル集合は、householder変換コードブック内の対応するサブベクトルによって形成される集合であり、前記第1のコードブック内のすべての第1のサブベクトル
【数９】
2018129821.tif 000550
のVa部分は集合{Vm}を形成し、前記{Vm}の各サブベクトル内のすべての要素の位相部分は、前記第3の位相ベクトルを形成し、前記{Vm}の各サブベクトル内の第Kの要素の位相部分は、各対応する第3の位相ベクトルの第Kの要素である請求項2に記載の方法。
【請求項４】
少なくとも1つの第1のコードブックは、第2の条件を満たし、前記第2の条件は、
すべての第4の位相ベクトルによって形成されるベクトル集合および離散フーリエ変換行列DFT行列が前記第4の位相ベクトルによって形成される前記ベクトル集合が前記DFT行列の位相行列内の対応する列ベクトルの集合の部分集合であるという第3の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第2のサブベクトル
【数１０】
2018129821.tif 000551
のVb部分は集合{Vn}を形成し、前記{Vn}の各サブベクトル内のすべての要素の位相部分は、前記第4の位相ベクトルを形成し、前記{Vn}の各サブベクトル内の第Kの要素の位相部分は、各対応する第4の位相ベクトルの第Kの要素である、または
すべての第5の位相ベクトルによって形成されるベクトル集合およびCMPコードブック集合内の少なくとも1つのCMPコードブックは、前記第5の位相ベクトルによって形成される前記ベクトル集合が前記CMPコードブック行列の位相行列内の対応する列ベクトルの集合の部分集合であるという第4の対応関係の条件を満たし、前記CMPの前記位相行列の中の第P行および第Q列内の要素は、前記CMPコードブック行列内の第P行および第Q列内の要素の位相部分であり、前記第1のコードブック内のすべての第2のサブベクトル
【数１１】
2018129821.tif 000552
のVb部分は集合{Vn}を形成し、前記{Vn}の各サブベクトル内のすべての要素の位相部分は、前記第5の位相ベクトルを形成し、前記{Vn}の各サブベクトル内の第Kの要素の位相部分は、各対応する第5の位相ベクトルの第Kの要素であり、P、Q、およびKは、正整数である、または
すべての第6の位相ベクトルによって形成されるベクトル集合は、householder変換コードブック内の対応するサブベクトルによって形成される集合であり、前記第1のコードブック内のすべての第2のサブベクトル
【数１２】
2018129821.tif 000553
のVb部分は集合{Vn}を形成し、前記{Vn}の各サブベクトル内のすべての要素の位相部分は、前記第6の位相ベクトルを形成し、前記{Vn}の各サブベクトル内の第Kの要素の位相部分は、各対応する第6の位相ベクトルの第Kの要素である請求項2に記載の方法。
【請求項５】
少なくとも1つの第1のコードブックは、第3の条件を満たし、前記第3の条件は、
{Vm}に対応するすべての第1の振幅ベクトルにおいて、少なくとも1つの第1の振幅ベクトルが前記{Vn}に対応するすべての第2の振幅ベクトルと異なり、および/または前記{Vn}に対応するすべての第2の振幅ベクトルにおいて、少なくとも1つの第2の振幅ベクトルが前記{Vm}に対応するすべての第1の振幅ベクトルと異なるというものであり、前記第1のコードブック内のすべての第1のサブベクトル
【数１３】
2018129821.tif 000554
のVa部分は前記集合{Vm}を形成し、前記{Vm}の各サブベクトル内のすべての要素の振幅部分は、前記第1の振幅ベクトルを形成し、前記{Vm}の各サブベクトル内の第Kの要素の位相部分は、各対応する第1の振幅ベクトルの第Kの要素であり、前記第1のコードブック内のすべての第2のサブベクトル
【数１４】
2018129821.tif 000555
のVb部分は前記集合{Vn}を形成し、前記{Vn}の各サブベクトル内のすべての要素の振幅部分は、前記第2の振幅ベクトルを形成し、前記{Vn}の各サブベクトル内の第Kの要素の振幅部分は、各対応する第2の振幅ベクトルの第Kの要素である請求項2に記載の方法。
【請求項６】
少なくとも1つの第1の構成メッセージを受信するステップであって、各第1の構成メッセージは、アンテナポートの1つのグループに対応する位相部分のサブベクトル集合を決定するために使用され、前記少なくとも1つの第1の構成メッセージの数は、前記アンテナポートのグループの数に等しい、ステップ、および/または
少なくとも1つの第2の構成メッセージを受信するステップであって、各第2の構成メッセージは、アンテナポートの1つのグループに対応する振幅部分のサブベクトル集合を決定するために使用され、前記少なくとも1つの第2の構成メッセージの数は、前記アンテナポートのグループの数に等しい、ステップを含む請求項1から5のいずれか一項に記載の方法。
【請求項７】
前記第1の構成メッセージは、上位層のシグナリングまたは動的シグナリングを使用することにより前記第2のネットワークデバイスによって構成され、および/または
前記第2の構成メッセージは、上位層のシグナリングまたは動的シグナリングを使用することにより前記第2のネットワークデバイスによって構成される請求項6に記載の方法。
【請求項８】
前記第1の構成メッセージは、前記参照信号を測定することにより前記第1のネットワークデバイスによって取得され、および/または
前記第2の構成メッセージは、前記参照信号を測定することにより前記第1のネットワークデバイスによって取得される請求項6に記載の方法。
【請求項９】
前記第1のコードブックは、行列
【数１５】
2018129821.tif 000556
のうちの1つであり、ランク指標の値は1であり、Va(x)によって表される非ゼロサブベクトルは、前記第1のベクトル集合{Vm}内のサブベクトルであり、順序番号xを有し、Vb(y)によって表される非ゼロサブベクトルは、前記第1のベクトル集合{Vn}内のサブベクトルであり、順序番号yを有し、0<i≦N1、および0<i'≦N1であり、N1は前記{Vm}内のサブベクトルの数を表し、N1'は前記{Vn}内のサブベクトルの数を表す、または
前記第1のコードブックは、行列
【数１６】
2018129821.tif 000557
のうちの1つであり、ランク指標の値は2であり、0<i≦N1、0<i'≦N1、0<j≦N1、および0<j'≦N1である、または
前記第1のコードブックは、行列
【数１７】
2018129821.tif 000558
のうちの1つであり、ランク指標の値は3であり、0<i≦N1、0<i'≦N1、0<j≦N1、0<j'≦N1、0<k≦N1、および0<k'≦N1である、または
前記第1のコードブックは、行列
【数１８】
2018129821.tif 000559
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
前記第1のコードブックは、行列
【数１９】
2018129821.tif 000560
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
前記第1のコードブックは、行列
【数２０Ａ】
2018129821.tif 000561
【数２０Ｂ】
2018129821.tif 000562
【数２０Ｃ】
2018129821.tif 000563
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
前記第1のコードブックは、行列
【数２１Ａ】
2018129821.tif 000564
【数２１Ｂ】
2018129821.tif 000565
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
前記第1のコードブックは、行列
【数２２Ａ】
2018129821.tif 000566
【数２２Ｂ】
2018129821.tif 000567
【数２２Ｃ】
2018129821.tif 000568
【数２２Ｄ】
2018129821.tif 000569
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、前記Va部分に対応する前記サブベクトルが2つおきに不等であり、i'、j'、k'、l'、m'、n'、p'、q'、および同様のもののパラメータについて、前記Vb部分に対応する前記サブベクトルが2つおきに不等である請求項1から8のいずれか一項に記載の方法。
【請求項１０】
前記RIの前記値が1よりも大きいときに、各第1のコードブック内のすべての第1のサブベクトル
【数２３】
2018129821.tif 000570
のVa部分はサブベクトル集合{VK}を形成し、各第1のコードブック内のすべての第2のサブベクトル
【数２４】
2018129821.tif 000571
のVb部分はサブベクトル集合{VL}を形成し、同じ第1のコードブック内の前記対応する{VK}および{VL}は第4の条件を満たし、前記第4の条件は、
前記{Vk}内のサブベクトルVkの位相部分がベクトルVk'を形成し、前記{Vk}内のすべてのサブベクトルVkに対応するベクトルVk'が集合{Vk'}を形成し、前記{VL}内のサブベクトルVLの位相部分がベクトルVL'を形成し、前記{VL}内のすべてのサブベクトルVLに対応するベクトルVL'が集合{VL'}を形成し、{Vk'}≠{VL'}が成り立つ、というものである請求項1から9のいずれか一項に記載の方法。
【請求項１１】
前記RIの前記値が1よりも大きいときに、各第1のコードブック内のすべての第1のサブベクトル
【数２５】
2018129821.tif 000572
のVa部分はサブベクトル集合{VM}を形成し、各第1のコードブック内のすべての第2のサブベクトル
【数２６】
2018129821.tif 000573
のVb部分はサブベクトル集合{VN}を形成し、同じ第1のコードブック内の前記対応する{VM}および{VN}は第5の条件を満たし、前記第5の条件は、
前記{VM}内のサブベクトルVMの振幅部分がベクトルVM'を形成し、前記{VM}内のすべてのサブベクトルVMに対応するベクトルVM'が集合{VM'}を形成し、前記{VN}内のサブベクトルVNの振幅部分がベクトルVN'を形成し、前記{VN}内のすべてのサブベクトルVNに対応するベクトルVN'が集合{VN'}を形成し、{VM'}≠{VN'}が成り立つ、というものである請求項1から9のいずれか一項に記載の方法。
【請求項１２】
前記第1のコードブック内の各第1のサブベクトル
【数２７】
2018129821.tif 000574
のVaにおける振幅ベクトル内の少なくとも2つの要素は不等であり、前記第1のコードブック内の各第2のサブベクトル
【数２８】
2018129821.tif 000575
のVbにおける振幅ベクトル内の少なくとも2つの要素は不等である、または
前記第1のコードブック内の各第1のサブベクトル
【数２９】
2018129821.tif 000576
のVaにおける振幅ベクトル内の少なくとも2つの要素は不等であり、前記第1のコードブック内の各第2のサブベクトル
【数３０】
2018129821.tif 000577
のVbにおける振幅ベクトル内のすべての要素は等しい、または
前記第1のコードブック内の各第1のサブベクトル
【数３１】
2018129821.tif 000578
のVaにおける振幅ベクトル内のすべての要素は等しく、前記第1のコードブック内の各第2のサブベクトル
【数３２】
2018129821.tif 000579
のVbにおける振幅ベクトル内の少なくとも2つの要素は不等であり、
前記Vaにおける前記振幅ベクトルは、前記Vaの前記振幅部分によって形成されるベクトルを指し、前記Vbにおける前記振幅ベクトルは、前記Vbの前記振幅部分によって形成されるベクトルを指す請求項1から9のいずれか一項に記載の方法。
【請求項１３】
前記第1のコードブック内のすべての第1のサブベクトル
【数３３】
2018129821.tif 000580
のVaにおける振幅ベクトルによって形成されるベクトル集合内の少なくとも2つの振幅ベクトルは異なる、または
前記第1のコードブック内のすべての第2のサブベクトル
【数３４】
2018129821.tif 000581
のVbにおける振幅ベクトルによって形成されるベクトル集合内の少なくとも2つの振幅ベクトルは異なる請求項1から9のいずれか一項に記載の方法。
【請求項１４】
前記第1のネットワークデバイスは、端末デバイスUEであり、
前記第2のネットワークデバイスは、基地局eNBであるか、または第2のネットワークデバイスは、端末装置UEである請求項1から13のいずれか一項に記載の方法。
【請求項１５】
前記第1のネットワークデバイスは、eNBであり、前記第2のネットワークデバイスは、eNBである請求項1から13のいずれか一項に記載の方法。
【請求項１６】
チャネル情報を測定し、フィードバックするための方法であって、
参照信号を第1のネットワークデバイスに送信するステップであって、前記参照信号は、測定を実行して測定結果を取得することを前記第1のネットワークデバイスに通知するために使用される、ステップと、
前記第1のネットワークデバイスによって送信されたコードブックインデックスを受信するステップであって、前記コードブックインデックスは、前記第1のネットワークデバイスにより前記第1のコードブック集合において決定された第1のコードブックに対応し、前記コードブックインデックスは、前記測定結果に従って前記第1のネットワークデバイスによって決定され、
前記第1のコードブック集合は、少なくとも2つの第1のコードブックを含み、各第1のコードブックのサブベクトルWxは、ゼロベクトルと非ゼロベクトルとによって形成され、前記Wxを形成する前記ベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、前記Wx(1)における非ゼロベクトルのロケーションが、前記Wx(2)における非ゼロベクトルのロケーションと同じである、というものであり、異なる構造による形成は、異なるサブベクトルWx(1)およびWx(2)について、前記Wx(1)における非ゼロベクトルのロケーションが、前記Wx(2)における非ゼロベクトルのロケーションと異なる、というものである、ステップと、
前記コードブックインデックスに従って、前記第1のネットワークデバイスにより前記第1のコードブック集合において決定された前記第1のコードブックを決定するステップとを含む方法。
【請求項１７】
各第1のコードブックは、第1の構造を有する少なくとも1つの第1のサブベクトル
【数３５】
2018129821.tif 000582
および/または第2の構造を有する少なくとも1つの第2のサブベクトル
【数３６】
2018129821.tif 000583
を含み、
【数３７】
2018129821.tif 000584
の中のVaは、n1次元の非ゼロベクトルであり、アンテナポートの第1のグループに対応し、
【数３８】
2018129821.tif 000585
の中の0は、n2次元のゼロベクトルを表し、アンテナポートの第2のグループに対応し、
【数３９】
2018129821.tif 000586
の中のVbは、n2次元の非ゼロベクトルであり、アンテナポートの前記第2のグループに対応し、
【数４０】
2018129821.tif 000587
の中の0は、n1次元のゼロベクトルを表し、アンテナポートの前記第1のグループに対応する請求項16に記載の方法。
【請求項１８】
少なくとも1つの第1のコードブックは、第1の条件を満たし、前記第1の条件は、
すべての第1の位相ベクトルによって形成されるベクトル集合および離散フーリエ変換行列DFT行列が前記第1の位相ベクトルによって形成される前記ベクトル集合が前記DFT行列の位相行列内の対応する列ベクトルの集合の部分集合であるという第1の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第1のサブベクトル
【数４１】
2018129821.tif 000588
のVa部分は集合{Vm}を形成し、前記{Vm}の各サブベクトル内のすべての要素の位相部分は、前記第1の位相ベクトルを形成し、前記{Vm}の各サブベクトル内の第Kの要素の位相部分は、各対応する第1の位相ベクトルの第Kの要素であり、P、Q、およびKは、正整数である、または
すべての第2の位相ベクトルによって形成されるベクトル集合およびCMPコードブック集合内の少なくとも1つのCMPコードブックは、前記第2の位相ベクトルによって形成される前記ベクトル集合が前記CMPコードブック行列の位相行列内の対応する列ベクトルの集合の部分集合であるという第2の対応関係の条件を満たし、前記CMPコードブック行列の前記位相行列の中の第P行および第Q列内の要素は、前記CMPコードブック行列内の第P行および第Q列内の要素の位相部分であり、前記第1のコードブック内のすべての第1のサブベクトル
【数４２】
2018129821.tif 000589
のVa部分は集合{Vm}を形成し、前記{Vm}の各サブベクトル内のすべての要素の位相部分は、前記第2の位相ベクトルを形成し、前記{Vm}の各サブベクトル内の第Kの要素の位相部分は、各対応する第2の位相ベクトルの第Kの要素であり、P、Q、およびKは、正整数である、または
すべての第3の位相ベクトルによって形成されるベクトル集合は、householder変換コードブック内の対応するサブベクトルによって形成される集合であり、前記第1のコードブック内のすべての第1のサブベクトル
【数４３】
2018129821.tif 000590
のVa部分は集合{Vm}を形成し、前記{Vm}の各サブベクトル内のすべての要素の位相部分は、前記第3の位相ベクトルを形成し、前記{Vm}の各サブベクトル内の第Kの要素の位相部分は、各対応する第3の位相ベクトルの第Kの要素である請求項17に記載の方法。
【請求項１９】
少なくとも1つの第1のコードブックは、第2の条件を満たし、前記第2の条件は、
すべての第4の位相ベクトルによって形成されるベクトル集合および離散フーリエ変換行列DFT行列が前記第4の位相ベクトルによって形成される前記ベクトル集合が前記DFT行列の位相行列内の対応する列ベクトルの集合の部分集合であるという第3の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第2のサブベクトル
【数４４】
2018129821.tif 000591
のVb部分は集合{Vn}を形成し、前記{Vn}の各サブベクトル内のすべての要素の位相部分は、前記第4の位相ベクトルを形成し、前記{Vn}の各サブベクトル内の第Kの要素の位相部分は、各対応する第4の位相ベクトルの第Kの要素である、または
すべての第5の位相ベクトルによって形成されるベクトル集合およびCMPコードブック集合内の少なくとも1つのCMPコードブックは、前記第5の位相ベクトルによって形成される前記ベクトル集合が前記CMPコードブック行列の位相行列内の対応する列ベクトルの集合の部分集合であるという第4の対応関係の条件を満たし、前記CMPの前記位相行列の中の第P行および第Q列内の要素は、前記CMPコードブック行列内の第P行および第Q列内の要素の位相部分であり、前記第1のコードブック内のすべての第2のサブベクトル
【数４５】
2018129821.tif 000592
のVb部分は集合{Vn}を形成し、前記{Vn}の各サブベクトル内のすべての要素の位相部分は、前記第5の位相ベクトルを形成し、前記{Vn}の各サブベクトル内の第Kの要素の位相部分は、各対応する第5の位相ベクトルの第Kの要素であり、P、Q、およびKは、正整数である、または
すべての第6の位相ベクトルによって形成されるベクトル集合は、householder変換コードブック内の対応するサブベクトルによって形成される集合であり、前記第1のコードブック内のすべての第2のサブベクトル
【数４６】
2018129821.tif 000593
のVb部分は集合{Vn}を形成し、前記{Vn}の各サブベクトル内のすべての要素の位相部分は、前記第6の位相ベクトルを形成し、前記{Vn}の各サブベクトル内の第Kの要素の位相部分は、各対応する第6の位相ベクトルの第Kの要素である請求項17に記載の方法。
【請求項２０】
少なくとも1つの第1のコードブックは、第3の条件を満たし、前記第3の条件は、
{Vm}に対応するすべての第1の振幅ベクトルにおいて、少なくとも1つの第1の振幅ベクトルが前記{Vn}に対応するすべての第2の振幅ベクトルと異なり、および/または前記{Vn}に対応するすべての第2の振幅ベクトルにおいて、少なくとも1つの第2の振幅ベクトルが前記{Vm}に対応するすべての第1の振幅ベクトルと異なるというものであり、前記第1のコードブック内のすべての第1のサブベクトル
【数４７】
2018129821.tif 000594
のVa部分は前記集合{Vm}を形成し、前記{Vm}の各サブベクトル内のすべての要素の振幅部分は、前記第1の振幅ベクトルを形成し、前記{Vm}の各サブベクトル内の第Kの要素の位相部分は、各対応する第1の振幅ベクトルの第Kの要素であり、前記第1のコードブック内のすべての第2のサブベクトル
【数４８】
2018129821.tif 000595
のVb部分は前記集合{Vn}を形成し、前記{Vn}の各サブベクトル内のすべての要素の振幅部分は、前記第2の振幅ベクトルを形成し、前記{Vn}の各サブベクトル内の第Kの要素の振幅部分は、各対応する第2の振幅ベクトルの第Kの要素である請求項17に記載の方法。
【請求項２１】
少なくとも1つの第1の構成メッセージを前記第1のネットワークデバイスに送信するステップであって、各第1の構成メッセージは、アンテナポートの1つのグループに対応する位相部分のサブベクトル集合を決定するために使用され、前記少なくとも1つの第1の構成メッセージの数は、前記アンテナポートのグループの数に等しい、ステップ、および/または
少なくとも1つの第2の構成メッセージを前記第1のネットワークデバイスに送信するステップであって、各第2の構成メッセージは、アンテナポートの1つのグループに対応する振幅部分のサブベクトル集合を決定するために使用され、前記少なくとも1つの第2の構成メッセージの数は、前記アンテナポートのグループの数に等しい、ステップをさらに含む請求項16から20のいずれか一項に記載の方法。
【請求項２２】
前記第1の構成メッセージは、上位層のシグナリングまたは動的シグナリングを使用することにより第2のネットワークデバイスによって構成され、および/または
前記第2の構成メッセージは、上位層のシグナリングまたは動的シグナリングを使用することにより第2のネットワークデバイスによって構成される請求項21に記載の方法。
【請求項２３】
前記参照信号は、前記第1の構成メッセージを示すためにさらに使用され、および/または
前記参照信号は、前記第2の構成メッセージを示すためにさらに使用される請求項21に記載の方法。
【請求項２４】
前記第1のコードブックは、行列
【数４９】
2018129821.tif 000596
のうちの1つであり、ランク指標の値は1であり、Va(x)によって表される非ゼロサブベクトルは、前記第1のベクトル集合{Vm}内のサブベクトルであり、順序番号xを有し、Vb(y)によって表される非ゼロサブベクトルは、前記第1のベクトル集合{Vn}内のサブベクトルであり、順序番号yを有し、0<i≦N1、および0<i'≦N1であり、N1は前記{Vm}内のサブベクトルの数を表し、N1'は前記{Vn}内のサブベクトルの数を表す、または
前記第1のコードブックは、行列
【数５０】
2018129821.tif 000597
のうちの1つであり、ランク指標の値は2であり、0<i≦N1、0<i'≦N1、0<j≦N1、および0<j'≦N1である、または
前記第1のコードブックは、行列
【数５１】
2018129821.tif 000598
のうちの1つであり、ランク指標の値は3であり、0<i≦N1、0<i'≦N1、0<j≦N1、0<j'≦N1、0<k≦N1、および0<k'≦N1である、または
前記第1のコードブックは、行列
【数５２】
2018129821.tif 000599
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
前記第1のコードブックは、行列
【数５３】
2018129821.tif 000600
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
前記第1のコードブックは、行列
【数５４Ａ】
2018129821.tif 000601
【数５４Ｂ】
2018129821.tif 000602
【数５４Ｃ】
2018129821.tif 000603
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
前記第1のコードブックは、行列
【数５５Ａ】
2018129821.tif 000604
【数５５Ｂ】
2018129821.tif 000605
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
前記第1のコードブックは、行列
【数５６Ａ】
2018129821.tif 000606
【数５６Ｂ】
2018129821.tif 000607
【数５６Ｃ】
2018129821.tif 000608
【数５６Ｄ】
2018129821.tif 000609
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、前記Va部分に対応する前記サブベクトルが2つおきに不等であり、i'、j'、k'、l'、m'、n'、p'、q'、および同様のもののパラメータについて、前記Vb部分に対応する前記サブベクトルが2つおきに不等である請求項16から23のいずれか一項に記載の方法。
【請求項２５】
前記RIの前記値が1よりも大きいときに、各第1のコードブック内のすべての第1のサブベクトル
【数５７】
2018129821.tif 000610
のVa部分はサブベクトル集合{VK}を形成し、各第1のコードブック内のすべての第2のサブベクトル
【数５８】
2018129821.tif 000611
のVb部分はサブベクトル集合{VL}を形成し、同じ第1のコードブック内の前記対応する{VK}および{VL}は第4の条件を満たし、前記第4の条件は、
前記{Vk}内のサブベクトルVkの位相部分がベクトルVk'を形成し、前記{Vk}内のすべてのサブベクトルVkに対応するベクトルVk'が集合{Vk'}を形成し、前記{VL}内のサブベクトルVLの位相部分がベクトルVL'を形成し、前記{VL}内のすべてのサブベクトルVLに対応するベクトルVL'が集合{VL'}を形成し、{Vk'}≠{VL'}が成り立つ、というものである請求項16から24のいずれか一項に記載の方法。
【請求項２６】
前記RIの前記値が1よりも大きいときに、各第1のコードブック内のすべての第1のサブベクトル
【数５９】
2018129821.tif 000612
のVa部分はサブベクトル集合{VM}を形成し、各第1のコードブック内のすべての第2のサブベクトル
【数６０】
2018129821.tif 000613
のVb部分はサブベクトル集合{VN}を形成し、同じ第1のコードブック内の前記対応する{VM}および{VN}は第5の条件を満たし、前記第5の条件は、
前記{VM}内のサブベクトルVMの振幅部分がベクトルVM'を形成し、前記{VM}内のすべてのサブベクトルVMに対応するベクトルVM'が集合{VM'}を形成し、前記{VN}内のサブベクトルVNの振幅部分がベクトルVN'を形成し、前記{VN}内のすべてのサブベクトルVNに対応するベクトルVN'が集合{VN'}を形成し、{VM'}≠{VN'}が成り立つ、というものである請求項16から24のいずれか一項に記載の方法。
【請求項２７】
前記第1のコードブック内の各第1のサブベクトル
【数６１】
2018129821.tif 000614
のVaにおける振幅ベクトル内の少なくとも2つの要素は不等であり、前記第1のコードブック内の各第2のサブベクトル
【数６２】
2018129821.tif 000615
のVbにおける振幅ベクトル内の少なくとも2つの要素は不等である、または
前記第1のコードブック内の各第1のサブベクトル
【数６３】
2018129821.tif 000616
のVaにおける振幅ベクトル内の少なくとも2つの要素は不等であり、前記第1のコードブック内の各第2のサブベクトル
【数６４】
2018129821.tif 000617
のVbにおける振幅ベクトル内のすべての要素は等しい、または
前記第1のコードブック内の各第1のサブベクトル
【数６５】
2018129821.tif 000618
のVaにおける振幅ベクトル内のすべての要素は等しく、前記第1のコードブック内の各第2のサブベクトル
【数６６】
2018129821.tif 000619
のVbにおける振幅ベクトル内の少なくとも2つの要素は不等であり、
前記Vaにおける前記振幅ベクトルは、前記Vaの前記振幅部分によって形成されるベクトルを指し、前記Vbにおける前記振幅ベクトルは、前記Vbの前記振幅部分によって形成されるベクトルを指す請求項16から26のいずれか一項に記載の方法。
【請求項２８】
前記第1のコードブック内のすべての第1のサブベクトル
【数６７】
2018129821.tif 000620
のVaにおける振幅ベクトルによって形成されるベクトル集合内の少なくとも2つの振幅ベクトルは異なる、または
前記第1のコードブック内のすべての第2のサブベクトル
【数６８】
2018129821.tif 000621
のVbにおける振幅ベクトルによって形成されるベクトル集合内の少なくとも2つの振幅ベクトルは異なる請求項16から26のいずれか一項に記載の方法。
【請求項２９】
前記第1のネットワークデバイスは、端末デバイスUEであり、
前記第2のネットワークデバイスは、基地局eNBであるか、または第2のネットワークデバイスは、端末装置UEである請求項16から28のいずれか一項に記載の方法。
【請求項３０】
前記第1のネットワークデバイスは、eNBであり、前記第2のネットワークデバイスは、eNBである請求項16から28のいずれか一項に記載の方法。
【請求項３１】
端末装置であって、
参照信号を受信するように構成されている第1の受信ユニットと、
前記参照信号を測定して測定結果を取得するように構成されている測定ユニットと、
前記測定結果に従って第1のコードブック集合から第1のコードブックを選択するように構成されている選択ユニットであって、
前記第1のコードブック集合は、少なくとも2つの第1のコードブックを含み、各第1のコードブックのサブベクトルWxは、ゼロベクトルと非ゼロベクトルとによって形成され、前記Wxを形成する前記ベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、前記Wx(1)における非ゼロベクトルのロケーションが、前記Wx(2)における非ゼロベクトルのロケーションと同じである、というものであり、異なる構造による形成は、異なるサブベクトルWx(1)およびWx(2)について、前記Wx(1)における非ゼロベクトルのロケーションが、前記Wx(2)における非ゼロベクトルのロケーションと異なる、というものである、選択ユニットと、
コードブックインデックスを第2のネットワークデバイスに送信するように構成されている送信ユニットであって、前記コードブックインデックスは、前記第1のコードブック集合から選択された前記第1のコードブックに対応する、送信ユニットとを備える端末装置。
【請求項３２】
各第1のコードブックは、第1の構造を有する少なくとも1つの第1のサブベクトル
【数６９】
2018129821.tif 000622
および/または第2の構造を有する少なくとも1つの第2のサブベクトル
【数７０】
2018129821.tif 000623
を含み、
【数７１】
2018129821.tif 000624
の中のVaは、n1次元の非ゼロベクトルであり、アンテナポートの第1のグループに対応し、
【数７２】
2018129821.tif 000625
の中の0は、n2次元のゼロベクトルを表し、アンテナポートの第2のグループに対応し、
【数７３】
2018129821.tif 000626
の中のVbは、n2次元の非ゼロベクトルであり、アンテナポートの前記第2のグループに対応し、
【数７４】
2018129821.tif 000627
の中の0は、n1次元のゼロベクトルを表し、アンテナポートの前記第1のグループに対応する請求項31に記載の装置。
【請求項３３】
少なくとも1つの第1のコードブックは、第1の条件を満たし、前記第1の条件は、
すべての第1の位相ベクトルによって形成されるベクトル集合および離散フーリエ変換行列DFT行列が前記第1の位相ベクトルによって形成される前記ベクトル集合が前記DFT行列の位相行列内の対応する列ベクトルの集合の部分集合であるという第1の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第1のサブベクトル
【数７５】
2018129821.tif 000628
のVa部分は集合{Vm}を形成し、前記{Vm}の各サブベクトル内のすべての要素の位相部分は、前記第1の位相ベクトルを形成し、前記{Vm}の各サブベクトル内の第Kの要素の位相部分は、各対応する第1の位相ベクトルの第Kの要素であり、P、Q、およびKは、正整数である、または
すべての第2の位相ベクトルによって形成されるベクトル集合およびCMPコードブック集合内の少なくとも1つのCMPコードブックは、前記第2の位相ベクトルによって形成される前記ベクトル集合が前記CMPコードブック行列の位相行列内の対応する列ベクトルの集合の部分集合であるという第2の対応関係の条件を満たし、前記CMPコードブック行列の前記位相行列の中の第P行および第Q列内の要素は、前記CMPコードブック行列内の第P行および第Q列内の要素の位相部分であり、前記第1のコードブック内のすべての第1のサブベクトル
【数７６】
2018129821.tif 000629
のVa部分は集合{Vm}を形成し、前記{Vm}の各サブベクトル内のすべての要素の位相部分は、前記第2の位相ベクトルを形成し、前記{Vm}の各サブベクトル内の第Kの要素の位相部分は、各対応する第2の位相ベクトルの第Kの要素であり、P、Q、およびKは、正整数である、または
すべての第3の位相ベクトルによって形成されるベクトル集合は、householder変換コードブック内の対応するサブベクトルによって形成される集合であり、前記第1のコードブック内のすべての第1のサブベクトル
【数７７】
2018129821.tif 000630
のVa部分は集合{Vm}を形成し、前記{Vm}の各サブベクトル内のすべての要素の位相部分は、前記第3の位相ベクトルを形成し、前記{Vm}の各サブベクトル内の第Kの要素の位相部分は、各対応する第3の位相ベクトルの第Kの要素である請求項32に記載の装置。
【請求項３４】
少なくとも1つの第1のコードブックは、第2の条件を満たし、前記第2の条件は、
すべての第4の位相ベクトルによって形成されるベクトル集合および離散フーリエ変換行列DFT行列が前記第4の位相ベクトルによって形成される前記ベクトル集合が前記DFT行列の位相行列内の対応する列ベクトルの集合の部分集合であるという第3の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第2のサブベクトル
【数７８】
2018129821.tif 000631
のVb部分は集合{Vn}を形成し、前記{Vn}の各サブベクトル内のすべての要素の位相部分は、前記第4の位相ベクトルを形成し、前記{Vn}の各サブベクトル内の第Kの要素の位相部分は、各対応する第4の位相ベクトルの第Kの要素である、または
すべての第5の位相ベクトルによって形成されるベクトル集合およびCMPコードブック集合内の少なくとも1つのCMPコードブックは、前記第5の位相ベクトルによって形成される前記ベクトル集合が前記CMPコードブック行列の位相行列内の対応する列ベクトルの集合の部分集合であるという第4の対応関係の条件を満たし、前記CMPの前記位相行列の中の第P行および第Q列内の要素は、前記CMPコードブック行列内の第P行および第Q列内の要素の位相部分であり、前記第1のコードブック内のすべての第2のサブベクトル
【数７９】
2018129821.tif 000632
のVb部分は集合{Vn}を形成し、前記{Vn}の各サブベクトル内のすべての要素の位相部分は、前記第5の位相ベクトルを形成し、前記{Vn}の各サブベクトル内の第Kの要素の位相部分は、各対応する第5の位相ベクトルの第Kの要素であり、P、Q、およびKは、正整数である、または
すべての第6の位相ベクトルによって形成されるベクトル集合は、householder変換コードブック内の対応するサブベクトルによって形成される集合であり、前記第1のコードブック内のすべての第2のサブベクトル
【数８０】
2018129821.tif 000633
のVb部分は集合{Vn}を形成し、前記{Vn}の各サブベクトル内のすべての要素の位相部分は、前記第6の位相ベクトルを形成し、前記{Vn}の各サブベクトル内の第Kの要素の位相部分は、各対応する第6の位相ベクトルの第Kの要素である請求項32に記載の装置。
【請求項３５】
少なくとも1つの第1のコードブックは、第3の条件を満たし、前記第3の条件は、
{Vm}に対応するすべての第1の振幅ベクトルにおいて、少なくとも1つの第1の振幅ベクトルが前記{Vn}に対応するすべての第2の振幅ベクトルと異なり、および/または前記{Vn}に対応するすべての第2の振幅ベクトルにおいて、少なくとも1つの第2の振幅ベクトルが前記{Vm}に対応するすべての第1の振幅ベクトルと異なるというものであり、前記第1のコードブック内のすべての第1のサブベクトル
【数８１】
2018129821.tif 000634
のVa部分は前記集合{Vm}を形成し、前記{Vm}の各サブベクトル内のすべての要素の振幅部分は、前記第1の振幅ベクトルを形成し、前記{Vm}の各サブベクトル内の第Kの要素の位相部分は、各対応する第1の振幅ベクトルの第Kの要素であり、前記第1のコードブック内のすべての第2のサブベクトル
【数８２】
2018129821.tif 000635
のVb部分は前記集合{Vn}を形成し、前記{Vn}の各サブベクトル内のすべての要素の振幅部分は、前記第2の振幅ベクトルを形成し、前記{Vn}の各サブベクトル内の第Kの要素の振幅部分は、各対応する第2の振幅ベクトルの第Kの要素である請求項32に記載の装置。
【請求項３６】
少なくとも1つの第1の構成メッセージを受信するように構成されている第2の受信ユニットであって、各第1の構成メッセージは、アンテナポートの1つのグループに対応する位相部分のサブベクトル集合を決定するために使用され、前記少なくとも1つの第1の構成メッセージの数は、前記アンテナポートのグループの数に等しい、第2の受信ユニット、および/または
少なくとも1つの第2の構成メッセージを受信するように構成されている第3の受信ユニットであって、各第2の構成メッセージは、アンテナポートの1つのグループに対応する振幅部分のサブベクトル集合を決定するために使用され、前記少なくとも1つの第2の構成メッセージの数は、前記アンテナポートのグループの数に等しい、第3の受信ユニットをさらに備える請求項31から35のいずれか一項に記載の装置。
【請求項３７】
前記第1の構成メッセージは、上位層のシグナリングまたは動的シグナリングを使用することにより前記第2のネットワークデバイスによって構成され、および/または
前記第2の構成メッセージは、上位層のシグナリングまたは動的シグナリングを使用することにより前記第2のネットワークデバイスによって構成される請求項36に記載の装置。
【請求項３８】
前記参照信号を測定することによって前記測定ユニットによって取得された前記結果に従って前記第1の構成メッセージを取得するように構成されている第1の取得ユニット、および/または
前記参照信号を測定することによって前記測定ユニットによって取得された前記結果に従って前記第2の構成メッセージを取得するように構成されている第2の取得ユニットをさらに備える請求項36に記載の装置。
【請求項３９】
前記第1のコードブックは、行列
【数８３】
2018129821.tif 000636
のうちの1つであり、ランク指標の値は1であり、Va(x)によって表される非ゼロサブベクトルは、前記第1のベクトル集合{Vm}内のサブベクトルであり、順序番号xを有し、Vb(y)によって表される非ゼロサブベクトルは、前記第1のベクトル集合{Vn}内のサブベクトルであり、順序番号yを有し、0<i≦N1、および0<i'≦N1であり、N1は前記{Vm}内のサブベクトルの数を表し、N1'は前記{Vn}内のサブベクトルの数を表す、または
前記第1のコードブックは、行列
【数８４】
2018129821.tif 000637
のうちの1つであり、ランク指標の値は2であり、0<i≦N1、0<i'≦N1、0<j≦N1、および0<j'≦N1である、または
前記第1のコードブックは、行列
【数８５】
2018129821.tif 000638
のうちの1つであり、ランク指標の値は3であり、0<i≦N1、0<i'≦N1、0<j≦N1、0<j'≦N1、0<k≦N1、および0<k'≦N1である、または
前記第1のコードブックは、行列
【数８６】
2018129821.tif 000639
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
前記第1のコードブックは、行列
【数８７】
2018129821.tif 000640
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
前記第1のコードブックは、行列
【数８８Ａ】
2018129821.tif 000641
【数８８Ｂ】
2018129821.tif 000642
【数８８Ｃ】
2018129821.tif 000643
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
前記第1のコードブックは、行列
【数８９Ａ】
2018129821.tif 000644
【数８９Ｂ】
2018129821.tif 000645
【数８９Ｃ】
2018129821.tif 000646
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
前記第1のコードブックは、行列
【数９０Ａ】
2018129821.tif 000647
【数９０Ｂ】
2018129821.tif 000648
【数９０Ｃ】
2018129821.tif 000649
【数９０Ｄ】
2018129821.tif 000650
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、前記Va部分に対応する前記サブベクトルが2つおきに不等であり、i'、j'、k'、l'、m'、n'、p'、q'、および同様のもののパラメータについて、前記Vb部分に対応する前記サブベクトルが2つおきに不等である請求項31から38のいずれか一項に記載の装置。
【請求項４０】
前記RIの前記値が1よりも大きいときに、各第1のコードブック内のすべての第1のサブベクトル
【数９１】
2018129821.tif 000651
のVa部分はサブベクトル集合{VK}を形成し、各第1のコードブック内のすべての第2のサブベクトル
【数９２】
2018129821.tif 000652
のVb部分はサブベクトル集合{VL}を形成し、同じ第1のコードブック内の前記対応する{VK}および{VL}は第4の条件を満たし、前記第4の条件は、
前記{Vk}内のサブベクトルVkの位相部分がベクトルVk'を形成し、前記{Vk}内のすべてのサブベクトルVkに対応するベクトルVk'が集合{Vk'}を形成し、前記{VL}内のサブベクトルVLの位相部分がベクトルVL'を形成し、前記{VL}内のすべてのサブベクトルVLに対応するベクトルVL'が集合{VL'}を形成し、{Vk'}≠{VL'}が成り立つ、というものである請求項31から39のいずれか一項に記載の装置。
【請求項４１】
前記RIの前記値が1よりも大きいときに、各第1のコードブック内のすべての第1のサブベクトル
【数９３】
2018129821.tif 000653
のVa部分はサブベクトル集合{VM}を形成し、各第1のコードブック内のすべての第2のサブベクトル
【数９４】
2018129821.tif 000654
のVb部分はサブベクトル集合{VN}を形成し、同じ第1のコードブック内の前記対応する{VM}および{VN}は第5の条件を満たし、前記第5の条件は、
前記{VM}内のサブベクトルVMの振幅部分がベクトルVM'を形成し、前記{VM}内のすべてのサブベクトルVMに対応するベクトルVM'が集合{VM'}を形成し、前記{VN}内のサブベクトルVNの振幅部分がベクトルVN'を形成し、前記{VN}内のすべてのサブベクトルVNに対応するベクトルVN'が集合{VN'}を形成し、{VM'}≠{VN'}が成り立つ、というものである請求項31から39のいずれか一項に記載の装置。
【請求項４２】
前記第1のコードブック内の各第1のサブベクトル
【数９５】
2018129821.tif 000655
のVaにおける振幅ベクトル内の少なくとも2つの要素は不等であり、前記第1のコードブック内の各第2のサブベクトル
【数９６】
2018129821.tif 000656
のVbにおける振幅ベクトル内の少なくとも2つの要素は不等である、または
前記第1のコードブック内の各第1のサブベクトル
【数９７】
2018129821.tif 000657
のVaにおける振幅ベクトル内の少なくとも2つの要素は不等であり、前記第1のコードブック内の各第2のサブベクトル
【数９８】
2018129821.tif 000658
のVbにおける振幅ベクトル内のすべての要素は等しい、または
前記第1のコードブック内の各第1のサブベクトル
【数９９】
2018129821.tif 000659
のVaにおける振幅ベクトル内のすべての要素は等しく、前記第1のコードブック内の各第2のサブベクトル
【数１００】
2018129821.tif 000660
のVbにおける振幅ベクトル内の少なくとも2つの要素は不等であり、
前記Vaにおける前記振幅ベクトルは、前記Vaの前記振幅部分によって形成されるベクトルを指し、前記Vbにおける前記振幅ベクトルは、前記Vbの前記振幅部分によって形成されるベクトルを指す請求項31から39のいずれか一項に記載の装置。
【請求項４３】
前記第1のコードブック内のすべての第1のサブベクトル
【数１０１】
2018129821.tif 000661
のVaにおける振幅ベクトルによって形成されるベクトル集合内の少なくとも2つの振幅ベクトルは異なる、または
前記第1のコードブック内のすべての第2のサブベクトル
【数１０２】
2018129821.tif 000662
のVbにおける振幅ベクトルによって形成されるベクトル集合内の少なくとも2つの振幅ベクトルは異なる請求項31から39のいずれか一項に記載の装置。
【請求項４４】
前記第1のネットワークデバイスは、端末デバイスUEであり、
前記第2のネットワークデバイスは、基地局eNBであるか、または第2のネットワークデバイスは、端末装置UEである請求項31から43のいずれか一項に記載の装置。
【請求項４５】
前記第1のネットワークデバイスは、eNBであり、前記第2のネットワークデバイスは、eNBである請求項31から43のいずれか一項に記載の装置。
【請求項４６】
通信装置であって、
参照信号を第1のネットワークデバイスに送信するように構成されている第1の送信ユニットであって、前記参照信号は、測定を実行して測定結果を取得することを前記第1のネットワークデバイスに通知するために使用される、第1の送信ユニットと、
前記第1のネットワークデバイスによって送信されたコードブックインデックスを受信するように構成されている受信ユニットであって、前記コードブックインデックスは、前記第1のネットワークデバイスにより前記第1のコードブック集合において決定された第1のコードブックに対応し、前記コードブックインデックスは、前記測定結果に従って前記第1のネットワークデバイスによって決定される、受信ユニットと、
前記コードブックインデックスに従って、前記第1のコードブック集合内の前記第1のコードブックを決定するように構成されている決定ユニットであって、
前記第1のコードブック集合は、少なくとも2つの第1のコードブックを含み、各第1のコードブックのサブベクトルWxは、ゼロベクトルと非ゼロベクトルとによって形成され、前記Wxを形成する前記ベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、前記Wx(1)における非ゼロベクトルのロケーションが、前記Wx(2)における非ゼロベクトルのロケーションと同じである、というものであり、異なる構造による形成は、異なるサブベクトルWx(1)およびWx(2)について、前記Wx(1)における非ゼロベクトルのロケーションが、前記Wx(2)における非ゼロベクトルのロケーションと異なる、というものである、決定ユニットとを備える通信装置。
【請求項４７】
各第1のコードブックは、第1の構造を有する少なくとも1つの第1のサブベクトル
【数１０３】
2018129821.tif 000663
および/または第2の構造を有する少なくとも1つの第2のサブベクトル
【数１０４】
2018129821.tif 000664
を含み、
【数１０５】
2018129821.tif 000665
の中のVaは、n1次元の非ゼロベクトルであり、アンテナポートの第1のグループに対応し、
【数１０６】
2018129821.tif 000666
の中の0は、n2次元のゼロベクトルを表し、アンテナポートの第2のグループに対応し、
【数１０７】
2018129821.tif 000667
の中のVbは、n2次元の非ゼロベクトルであり、アンテナポートの前記第2のグループに対応し、
【数１０８】
2018129821.tif 000668
の中の0は、n1次元のゼロベクトルを表し、アンテナポートの前記第1のグループに対応する請求項46に記載の装置。
【請求項４８】
少なくとも1つの第1のコードブックは、第1の条件を満たし、前記第1の条件は、
すべての第1の位相ベクトルによって形成されるベクトル集合および離散フーリエ変換行列DFT行列が前記第1の位相ベクトルによって形成される前記ベクトル集合が前記DFT行列の位相行列内の対応する列ベクトルの集合の部分集合であるという第1の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第1のサブベクトル
【数１０９】
2018129821.tif 000669
のVa部分は集合{Vm}を形成し、前記{Vm}の各サブベクトル内のすべての要素の位相部分は、前記第1の位相ベクトルを形成し、前記{Vm}の各サブベクトル内の第Kの要素の位相部分は、各対応する第1の位相ベクトルの第Kの要素であり、P、Q、およびKは、正整数である、または
すべての第2の位相ベクトルによって形成されるベクトル集合およびCMPコードブック集合内の少なくとも1つのCMPコードブックは、前記第2の位相ベクトルによって形成される前記ベクトル集合が前記CMPコードブック行列の位相行列内の対応する列ベクトルの集合の部分集合であるという第2の対応関係の条件を満たし、前記CMPコードブック行列の前記位相行列の中の第P行および第Q列内の要素は、前記CMPコードブック行列内の第P行および第Q列内の要素の位相部分であり、前記第1のコードブック内のすべての第1のサブベクトル
【数１１０】
2018129821.tif 000670
のVa部分は集合{Vm}を形成し、前記{Vm}の各サブベクトル内のすべての要素の位相部分は、前記第2の位相ベクトルを形成し、前記{Vm}の各サブベクトル内の第Kの要素の位相部分は、各対応する第2の位相ベクトルの第Kの要素であり、P、Q、およびKは、正整数である、または
すべての第3の位相ベクトルによって形成されるベクトル集合は、householder変換コードブック内の対応するサブベクトルによって形成される集合であり、前記第1のコードブック内のすべての第1のサブベクトル
【数１１１】
2018129821.tif 000671
のVa部分は集合{Vm}を形成し、前記{Vm}の各サブベクトル内のすべての要素の位相部分は、前記第3の位相ベクトルを形成し、前記{Vm}の各サブベクトル内の第Kの要素の位相部分は、各対応する第3の位相ベクトルの第Kの要素である請求項47に記載の装置。
【請求項４９】
少なくとも1つの第1のコードブックは、第2の条件を満たし、前記第2の条件は、
すべての第4の位相ベクトルによって形成されるベクトル集合および離散フーリエ変換行列DFT行列が前記第4の位相ベクトルによって形成される前記ベクトル集合が前記DFT行列の位相行列内の対応する列ベクトルの集合の部分集合であるという第3の対応関係の条件を満たすというものであり、前記DFT行列の前記位相行列の中の第P行および第Q列内の要素は、前記DFT行列内の第P行および第Q列内の要素の位相部分であり、前記第1のコードブック内のすべての第2のサブベクトル
【数１１２】
2018129821.tif 000672
のVb部分は集合{Vn}を形成し、前記{Vn}の各サブベクトル内のすべての要素の位相部分は、前記第4の位相ベクトルを形成し、前記{Vn}の各サブベクトル内の第Kの要素の位相部分は、各対応する第4の位相ベクトルの第Kの要素である、または
すべての第5の位相ベクトルによって形成されるベクトル集合およびCMPコードブック集合内の少なくとも1つのCMPコードブックは、前記第5の位相ベクトルによって形成される前記ベクトル集合が前記CMPコードブック行列の位相行列内の対応する列ベクトルの集合の部分集合であるという第4の対応関係の条件を満たし、前記CMPの前記位相行列の中の第P行および第Q列内の要素は、前記CMPコードブック行列内の第P行および第Q列内の要素の位相部分であり、前記第1のコードブック内のすべての第2のサブベクトル
【数１１３】
2018129821.tif 000673
のVb部分は集合{Vn}を形成し、前記{Vn}の各サブベクトル内のすべての要素の位相部分は、前記第5の位相ベクトルを形成し、前記{Vn}の各サブベクトル内の第Kの要素の位相部分は、各対応する第5の位相ベクトルの第Kの要素であり、P、Q、およびKは、正整数である、または
すべての第6の位相ベクトルによって形成されるベクトル集合は、householder変換コードブック内の対応するサブベクトルによって形成される集合であり、前記第1のコードブック内のすべての第2のサブベクトル
【数１１４】
2018129821.tif 000674
のVb部分は集合{Vn}を形成し、前記{Vn}の各サブベクトル内のすべての要素の位相部分は、前記第6の位相ベクトルを形成し、前記{Vn}の各サブベクトル内の第Kの要素の位相部分は、各対応する第6の位相ベクトルの第Kの要素である請求項47に記載の装置。
【請求項５０】
少なくとも1つの第1のコードブックは、第3の条件を満たし、前記第3の条件は、
{Vm}に対応するすべての第1の振幅ベクトルにおいて、少なくとも1つの第1の振幅ベクトルが前記{Vn}に対応するすべての第2の振幅ベクトルと異なり、および/または前記{Vn}に対応するすべての第2の振幅ベクトルにおいて、少なくとも1つの第2の振幅ベクトルが前記{Vm}に対応するすべての第1の振幅ベクトルと異なるというものであり、前記第1のコードブック内のすべての第1のサブベクトル
【数１１５】
2018129821.tif 000675
のVa部分は前記集合{Vm}を形成し、前記{Vm}の各サブベクトル内のすべての要素の振幅部分は、前記第1の振幅ベクトルを形成し、前記{Vm}の各サブベクトル内の第Kの要素の位相部分は、各対応する第1の振幅ベクトルの第Kの要素であり、前記第1のコードブック内のすべての第2のサブベクトル
【数１１６】
2018129821.tif 000676
のVb部分は前記集合{Vn}を形成し、前記{Vn}の各サブベクトル内のすべての要素の振幅部分は、前記第2の振幅ベクトルを形成し、前記{Vn}の各サブベクトル内の第Kの要素の振幅部分は、各対応する第2の振幅ベクトルの第Kの要素である請求項47に記載の装置。
【請求項５１】
少なくとも1つの第1の構成メッセージを前記第1のネットワークデバイスに送信するように構成されている第2の送信ユニットであって、各第1の構成メッセージは、アンテナポートの1つのグループに対応する位相部分のサブベクトル集合を決定するために使用され、前記少なくとも1つの第1の構成メッセージの数は、前記アンテナポートのグループの数に等しい、第2の送信ユニット、および/または
少なくとも1つの第2の構成メッセージを前記第1のネットワークデバイスに送信するように構成されている第3の送信ユニットであって、各第2の構成メッセージは、アンテナポートの1つのグループに対応する振幅部分のサブベクトル集合を決定するために使用され、前記少なくとも1つの第2の構成メッセージの数は、前記アンテナポートのグループの数に等しい、第3の送信ユニットをさらに備える請求項46から50のいずれか一項に記載の装置。
【請求項５２】
前記第2の送信ユニットは、上位層のシグナリングまたは動的シグナリングを使用することによって前記第1の構成メッセージを送信し、および/または
第3の送信ユニットは、上位層のシグナリングまたは動的シグナリングを使用することによって前記第2の構成メッセージを送信する請求項51に記載の装置。
【請求項５３】
前記参照信号は、前記少なくとも1つの第1の構成メッセージを示すためにさらに使用され、各第1の構成メッセージは、アンテナポートの1つのグループに対応する位相部分のサブベクトル集合を決定するために使用され、前記少なくとも1つの第1の構成メッセージの数は、前記アンテナポートのグループの数に等しい、および/または
前記参照信号は、前記少なくとも1つの第2の構成メッセージを示すためにさらに使用され、各第2の構成メッセージは、アンテナポートの1つのグループに対応する振幅部分のサブベクトル集合を決定するために使用され、前記少なくとも1つの第2の構成メッセージの数は、前記アンテナポートのグループの数に等しい、請求項51に記載の装置。
【請求項５４】
前記第1のコードブックは、行列
【数１１７】
2018129821.tif 000677
のうちの1つであり、ランク指標の値は1であり、Va(x)によって表される非ゼロサブベクトルは、前記第1のベクトル集合{Vm}内のサブベクトルであり、順序番号xを有し、Vb(y)によって表される非ゼロサブベクトルは、前記第1のベクトル集合{Vn}内のサブベクトルであり、順序番号yを有し、0<i≦N1、および0<i'≦N1であり、N1は前記{Vm}内のサブベクトルの数を表し、N1'は前記{Vn}内のサブベクトルの数を表す、または
前記第1のコードブックは、行列
【数１１８】
2018129821.tif 000678
のうちの1つであり、ランク指標の値は2であり、0<i≦N1、0<i'≦N1、0<j≦N1、および0<j'≦N1である、または前記第1のコードブックは、行列
【数１１９】
2018129821.tif 000679
のうちの1つであり、ランク指標の値は3であり、0<i≦N1、0<i'≦N1、0<j≦N1、0<j'≦N1、0<k≦N1、および0<k'≦N1である、または
前記第1のコードブックは、行列
【数１２０】
2018129821.tif 000680
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
前記第1のコードブックは、行列
【数１２１】
2018129821.tif 000681
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
前記第1のコードブックは、行列
【数１２２Ａ】
2018129821.tif 000682
【数１２２Ｂ】
2018129821.tif 000683
【数１２２Ｃ】
2018129821.tif 000684
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
前記第1のコードブックは、行列
【数１２３Ａ】
2018129821.tif 000685
【数１２３Ｂ】
2018129821.tif 000686
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
前記第1のコードブックは、行列
【数１２４Ａ】
2018129821.tif 000687
【数１２４Ｂ】
2018129821.tif 000688
【数１２４Ｃ】
2018129821.tif 000689
【数１２４Ｄ】
2018129821.tif 000690
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、前記Va部分に対応する前記サブベクトルが2つおきに不等であり、i'、j'、k'、l'、m'、n'、p'、q'、および同様のもののパラメータについて、前記Vb部分に対応する前記サブベクトルが2つおきに不等である請求項46から53のいずれか一項に記載の装置。
【請求項５５】
前記RIの前記値が1よりも大きいときに、各第1のコードブック内のすべての第1のサブベクトル
【数１２５】
2018129821.tif 000691
のVa部分はサブベクトル集合{VK}を形成し、各第1のコードブック内のすべての第2のサブベクトル
【数１２６】
2018129821.tif 000692
のVb部分はサブベクトル集合{VL}を形成し、同じ第1のコードブック内の前記対応する{VK}および{VL}は第4の条件を満たし、前記第4の条件は、
前記{Vk}内のサブベクトルVkの位相部分がベクトルVk'を形成し、前記{Vk}内のすべてのサブベクトルVkに対応するベクトルVk'が集合{Vk'}を形成し、前記{VL}内のサブベクトルVLの位相部分がベクトルVL'を形成し、前記{VL}内のすべてのサブベクトルVLに対応するベクトルVL'が集合{VL'}を形成し、{Vk'}≠{VL'}が成り立つ、というものである請求項46から54のいずれか一項に記載の装置。
【請求項５６】
前記RIの前記値が1よりも大きいときに、各第1のコードブック内のすべての第1のサブベクトル
【数１２７】
2018129821.tif 000693
のVa部分はサブベクトル集合{VM}を形成し、各第1のコードブック内のすべての第2のサブベクトル
【数１２８】
2018129821.tif 000694
のVb部分はサブベクトル集合{VN}を形成し、同じ第1のコードブック内の前記対応する{VM}および{VN}は第5の条件を満たし、前記第5の条件は、
前記{VM}内のサブベクトルVMの振幅部分がベクトルVM'を形成し、前記{VM}内のすべてのサブベクトルVMに対応するベクトルVM'が集合{VM'}を形成し、前記{VN}内のサブベクトルVNの振幅部分がベクトルVN'を形成し、前記{VN}内のすべてのサブベクトルVNに対応するベクトルVN'が集合{VN'}を形成し、{VM'}≠{VN'}が成り立つ、というものである請求項46から54のいずれか一項に記載の装置。
【請求項５７】
前記第1のコードブック内の各第1のサブベクトル
【数１２９】
2018129821.tif 000695
のVaにおける振幅ベクトル内の少なくとも2つの要素は不等であり、前記第1のコードブック内の各第2のサブベクトル
【数１３０】
2018129821.tif 000696
のVbにおける振幅ベクトル内の少なくとも2つの要素は不等である、または
前記第1のコードブック内の各第1のサブベクトル
【数１３１】
2018129821.tif 000697
のVaにおける振幅ベクトル内の少なくとも2つの要素は不等であり、前記第1のコードブック内の各第2のサブベクトル
【数１３２】
2018129821.tif 000698
のVbにおける振幅ベクトル内のすべての要素は等しい、または
前記第1のコードブック内の各第1のサブベクトル
【数１３３】
2018129821.tif 000699
のVaにおける振幅ベクトル内のすべての要素は等しく、前記第1のコードブック内の各第2のサブベクトル
【数１３４】
2018129821.tif 000700
のVbにおける振幅ベクトル内の少なくとも2つの要素は不等であり、
前記Vaにおける前記振幅ベクトルは、前記Vaの前記振幅部分によって形成されるベクトルを指し、前記Vbにおける前記振幅ベクトルは、前記Vbの前記振幅部分によって形成されるベクトルを指す請求項46から54のいずれか一項に記載の装置。
【請求項５８】
前記第1のコードブック内のすべての第1のサブベクトル
【数１３５】
2018129821.tif 000701
のVaにおける振幅ベクトルによって形成されるベクトル集合内の少なくとも2つの振幅ベクトルは異なる、または
前記第1のコードブック内のすべての第2のサブベクトル
【数１３６】
2018129821.tif 000702
のVbにおける振幅ベクトルによって形成されるベクトル集合内の少なくとも2つの振幅ベクトルは異なる請求項46から54のいずれか一項に記載の装置。
【請求項５９】
前記第1のネットワークデバイスは、端末デバイスUEであり、
前記第2のネットワークデバイスは、基地局eNBであるか、または第2のネットワークデバイスは、端末装置UEである請求項46から58のいずれか一項に記載の装置。
【請求項６０】
前記第1のネットワークデバイスは、eNBであり、前記第2のネットワークデバイスは、eNBである請求項46から58のいずれか一項に記載の装置。
【発明の詳細な説明】
【技術分野】
【０００１】
本発明の実施形態は、通信分野に関し、詳細には、LTEシステムにおけるMIMO符号化および復号技術に関する。
【背景技術】
【０００２】
多入力多出力(Multiple Input Multiple Output、MIMO)技術は、システム容量を増加させ、セルサービスエリアを確実なものとするためにワイヤレス通信システムにおいて広範に適用されている。たとえば、ロングタームエボリューション(Long Term Evolution、LTE)システムでは、複数のアンテナに基づく送信ダイバシティ、開ループまたは閉ループ空間多重化、および復調参照信号(Demodulation Reference Signal、DM-RS)に基づくマルチストリーム伝送は、ダウンリンクにおいて使用される。それらのうちでもとりわけ、DM-RSベースのマルチストリーム伝送は、LTE-Advanced(LTE-A)システムおよびそれ以降のシステムにおいて主要な伝送モードである。
【０００３】
従来型のセルラーシステムでは、基地局の送信側のビームは、水平次元でのみ調整され得る。しかしながら、垂直次元では、すべてのユーザに対して固定ダウンチルト(fixed downtilt)が使用される。したがって、様々なビームフォーミングまたはプリコーディング技術または同様のものは、すべて、水平次元におけるチャネル情報に基づく。しかしながら、実際には、チャネルは3Dなので、固定ダウンチルト方法は、必ずしも、システムスループットを最適化できるとは限らない。したがって、垂直次元におけるビーム調整は、システムパフォーマンス向上に非常に重要である。
【０００４】
3Dビームフォーミング技術の考え方は、主に次のとおりである。能動アンテナ側の3Dビームフォーミング加重ベクトル(3D beamforming weighted vector)は、ユーザ側で推定された3Dチャネル情報に従って調整され、それにより、3D空間内のビームの主ローブはターゲットユーザに「狙いを定める」。この方法で、受信信号電力が大幅に増大され、信号対干渉雑音比が高められ、さらに、システム全体のスループットが向上する。3Dビームフォーミングと従来型アンテナの固定ダウンチルトとの間の比較の概略図が、図1および図2に示されている。固定ダウンチルトを有するアンテナポートモデルが、図1に示されており、従来型の2D MIMOに対応して、すべてのユーザに対して固定ダウンチルトが使用される。動的ダウンチルトを有するアンテナポートモデルが図2に示されており、各PRB(physical resource block、物理リソースブロック)について、基地局がサービスを受けるユーザのロケーションに従ってダウンチルトを動的に調整し得る。3Dビームフォーミング技術は、能動アンテナシステムに基づく必要がある。従来型のアンテナと比較すると、能動アンテナAASは、垂直方向に自由度をさらに備える。図3は、AASアンテナの概略図を示している。AASアンテナの垂直方向には複数のアンテナがあることがわかる。したがって、ビームは、垂直方向に動的に形成されるものとしてよく、垂直方向のビームフォーミングの自由度が加わる。図4は、データがベースバンドおよび無線周波ネットワーク内で処理され、AASアンテナを通して送信されるフローチャートを示している。ベースバンド処理の部分では、各層のデータストリームがプリコーディング処理を受け、次いで、NPポートにマップされる。IFFTおよび並列/直列変換を受けた後、各ポート上のデータストリームは、無線周波部分でドライブネットワークに入り、次いで、アンテナを通して送信される。各ドライブネットワークは、1対Mドライブネットワーク、すなわち、1つのポートがM個のアンテナ素子に対応する。図5は、ダウンチルトグルーピングの概略図を示している。例では、8個のアンテナポートがあり、各ポートは、4個のアンテナ素子を駆動してダウンチルトを形成する。それに加えて、水平方向の4個のアンテナポート(ポート0から3)は、ドライブネットワーク内の同じ加重ベクトルを有し、すべてダウンチルト0を指し、他の4個のアンテナポート(ポート4から7)は、同じ加重ベクトルを有し、すべてダウンチルト1を指す。
【０００５】
従来技術では、空間多重化マルチストリームデータは、水平ビームを使用することによって固定ダウンチルトを有する平面内でのみ送信されるものとしてよく、垂直空間の特性は、複数のデータストリームを多重化するのには使用され得ない。
【発明の概要】
【課題を解決するための手段】
【０００６】
この点を鑑みて、本発明の実施形態は、チャネル情報通信方法および装置を実現して、チャネル伝送におけるチャネルパラメータの最適化を実装する。
【０００７】
第1の態様によれば、チャネル情報を測定し、フィードバックするための方法が提供され、この方法は
第1のネットワークデバイスによって、参照信号を受信し、参照信号を測定して測定結果を取得し、測定結果に従って第1のコードブック集合から第1のコードブックを選択するステップであって、第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、ステップと、コードブックインデックスを第2のネットワークデバイスに送信するステップであって、コードブックインデックスは、第1のコードブック集合から選択された第1のコードブックに対応する、ステップとを含む。
【０００８】
第1の態様に関して、第1の可能な実装方式において、各第1のコードブックは、第1の構造を有する少なくとも1つの第1のサブベクトル
【０００９】
【数１】
2018129821.tif 000003
【００１０】
および/または第2の構造を有する少なくとも1つの第2のサブベクトル
【００１１】
【数２】
2018129821.tif 000004
【００１２】
を含み、
【００１３】
【数３】
2018129821.tif 000005
【００１４】
の中のVaは、n1次元の非ゼロベクトルであり、アンテナポートの第1のグループに対応し、
【００１５】
【数４】
2018129821.tif 000006
【００１６】
の中の0は、n2次元のゼロベクトルを表し、アンテナポートの第2のグループに対応し、
【００１７】
【数５】
2018129821.tif 000007
【００１８】
の中のVbは、n2次元の非ゼロベクトルであり、アンテナポートの第2のグループに対応し、
【００１９】
【数６】
2018129821.tif 000008
【００２０】
の中の0は、n1次元のゼロベクトルを表し、アンテナポートの第1のグループに対応する。
【００２１】
第1の態様に関して、第2の可能な実装方式において、少なくとも1つの第1のコードブックは、第1の条件を満たし、第1の条件は、すべての第1の位相ベクトルによって形成されるベクトル集合および離散フーリエ変換行列DFT行列が第1の位相ベクトルによって形成されるベクトル集合がDFT行列の位相行列内の対応する列ベクトルの集合の部分集合であるという第1の対応関係の条件を満たすというものであり、DFT行列の位相行列の中の第P行および第Q列内の要素は、DFT行列内の第P行および第Q列内の要素の位相部分であり、第1のコードブック内のすべての第1のサブベクトル
【００２２】
【数７】
2018129821.tif 000009
【００２３】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である、またはすべての第2の位相ベクトルによって形成されるベクトル集合およびCubic Metric Preserving(CMP)キュービックメトリック保存コードブック集合内の少なくとも1つのCMPコードブックが第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【００２４】
【数８】
2018129821.tif 000010
【００２５】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数である、またはすべての第3の位相ベクトルによって形成されるベクトル集合は、householder変換コードブック内の対応するサブベクトルによって形成される集合であり、第1のコードブック内のすべての第1のサブベクトル
【００２６】
【数９】
2018129821.tif 000011
【００２７】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【００２８】
第1の態様に関して、第3の可能な実装方式において、少なくとも1つの第1のコードブックは、第2の条件を満たし、第2の条件は、すべての第4の位相ベクトルによって形成されるベクトル集合および離散フーリエ変換行列DFT行列が第4の位相ベクトルによって形成されるベクトル集合がDFT行列の位相行列内の対応する列ベクトルの集合の部分集合であるという第3の対応関係の条件を満たすというものであり、DFT行列の位相行列の中の第P行および第Q列内の要素は、DFT行列内の第P行および第Q列内の要素の位相部分であり、第1のコードブック内のすべての第2のサブベクトル
【００２９】
【数１０】
2018129821.tif 000012
【００３０】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である、またはすべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【００３１】
【数１１】
2018129821.tif 000013
【００３２】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である、またはすべての第6の位相ベクトルによって形成されるベクトル集合は、householder変換コードブック内の対応するサブベクトルによって形成される集合であり、第1のコードブック内のすべての第2のサブベクトル
【００３３】
【数１２】
2018129821.tif 000014
【００３４】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【００３５】
第1の態様に関して、第4の可能な実装方式において、少なくとも1つの第1のコードブックは、第3の条件を満たし、第3の条件は、{Vm}に対応するすべての第1の振幅ベクトルにおいて、少なくとも1つの第1の振幅ベクトルが{Vn}に対応するすべての第2の振幅ベクトルと異なり、および/または{Vn}に対応するすべての第2の振幅ベクトルにおいて、少なくとも1つの第2の振幅ベクトルが{Vm}に対応するすべての第1の振幅ベクトルと異なるというものであり、第1のコードブック内のすべての第1のサブベクトル
【００３６】
【数１３】
2018129821.tif 000015
【００３７】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【００３８】
【数１４】
2018129821.tif 000016
【００３９】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。
【００４０】
第1の態様に関して、第5の可能な実装方式において、この方法は、少なくとも1つの第1の構成メッセージを受信するステップであって、各第1の構成メッセージは、アンテナポートの1つのグループに対応する位相部分のサブベクトル集合を決定するために使用され、少なくとも1つの第1の構成メッセージの数は、アンテナポートのグループの数に等しい、ステップ、および/または少なくとも1つの第2の構成メッセージを受信するステップであって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、ステップを含む。
【００４１】
第1の態様に関して、第6の可能な実装方式において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
【００４２】
第1の態様に関して、第7の可能な実装方式において、第1の構成メッセージは、参照信号を測定することにより第1のネットワークデバイスによって取得され、および/または第2の構成メッセージは、参照信号を測定することにより第1のネットワークデバイスによって取得される。
【００４３】
第1の態様に関して、第8の可能な実装方式において、本発明は、異なるRANKの第1のコードブック行列における異なる組合せをもたらす。
【００４４】
第1の態様に関して、第9の可能な実装方式において、RIの値が1よりも大きいときに、各第1のコードブック内のすべての第1のサブベクトル
【００４５】
【数１５】
2018129821.tif 000017
【００４６】
のVa部分はサブベクトル集合{VK}を形成し、各第1のコードブック内のすべての第2のサブベクトル
【００４７】
【数１６】
2018129821.tif 000018
【００４８】
のVb部分はサブベクトル集合{VL}を形成し、同じ第1のコードブック内の対応する{VK}および{VL}は第4の条件を満たし、第4の条件は、{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。
【００４９】
第1の態様に関して、第10の可能な実装方式において、RIの値が1よりも大きいときに、各第1のコードブック内のすべての第1のサブベクトル
【００５０】
【数１７】
2018129821.tif 000019
【００５１】
のVa部分はサブベクトル集合{VM}を形成し、各第1のコードブック内のすべての第2のサブベクトル
【００５２】
【数１８】
2018129821.tif 000020
【００５３】
のVb部分はサブベクトル集合{VN}を形成し、同じ第1のコードブック内の対応する{VM}および{VN}は第5の条件を満たし、第5の条件は、{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。
【００５４】
第1の態様に関して、第11の可能な実装方式において、第1のコードブック内の各第1のサブベクトル
【００５５】
【数１９】
2018129821.tif 000021
【００５６】
のVaにおける振幅ベクトル内の少なくとも2つの要素は不等であり、第1のコードブック内の各第2のサブベクトル
【００５７】
【数２０】
2018129821.tif 000022
【００５８】
のVbにおける振幅ベクトル内の少なくとも2つの要素は不等である、または第1のコードブック内の各第1のサブベクトル
【００５９】
【数２１】
2018129821.tif 000023
【００６０】
のVaにおける振幅ベクトル内の少なくとも2つの要素は不等であり、第1のコードブック内の各第2のサブベクトル
【００６１】
【数２２】
2018129821.tif 000024
【００６２】
のVbにおける振幅ベクトル内のすべての要素は等しい、または第1のコードブック内の各第1のサブベクトル
【００６３】
【数２３】
2018129821.tif 000025
【００６４】
のVaにおける振幅ベクトル内のすべての要素は等しく、第1のコードブック内の各第2のサブベクトル
【００６５】
【数２４】
2018129821.tif 000026
【００６６】
のVbにおける振幅ベクトル内の少なくとも2つの要素は不等である。
【００６７】
第1の態様に関して、第12の可能な実装方式において、第1のコードブック内のすべての第1のサブベクトル
【００６８】
【数２５】
2018129821.tif 000027
【００６９】
のVaにおける振幅ベクトルによって形成されるベクトル集合内の少なくとも2つの振幅ベクトルは異なる、または第1のコードブック内のすべての第2のサブベクトル
【００７０】
【数２６】
2018129821.tif 000028
【００７１】
のVbにおける振幅ベクトルによって形成されるベクトル集合内の少なくとも2つの振幅ベクトルは異なる。
【００７２】
第1の態様に関して、第13の可能な実装方式において、第1のネットワークデバイスは、端末デバイスUEである。
【００７３】
第1の態様に関して、第14の可能な実装方式において、第2のネットワークデバイスは、基地局eNBである。
【００７４】
第2の態様によれば、チャネル情報を測定し、フィードバックするための方法が提供され、この方法は
参照信号を第1のネットワークデバイスに送信するステップであって、参照信号は、測定を実行して測定結果を取得することを第1のネットワークデバイスに通知するために使用される、ステップと、第1のネットワークデバイスによって送信されたコードブックインデックスを受信するステップであって、コードブックインデックスは、第1のネットワークデバイスにより第1のコードブック集合において決定された第1のコードブックに対応し、コードブックインデックスは、測定結果に従って第1のネットワークデバイスによって決定され、第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、ステップと、コードブックインデックスに従って、第1のネットワークデバイスにより第1のコードブック集合において決定された第1のコードブックを決定するステップとを含む。
【００７５】
第2の態様に関して、第1の可能な実装方式において、各第1のコードブックは、第1の構造を有する少なくとも1つの第1のサブベクトル
【００７６】
【数２７】
2018129821.tif 000029
【００７７】
および/または第2の構造を有する少なくとも1つの第2のサブベクトル
【００７８】
【数２８】
2018129821.tif 000030
【００７９】
を含み、
【００８０】
【数２９】
2018129821.tif 000031
【００８１】
の中のVaは、n1次元の非ゼロベクトルであり、アンテナポートの第1のグループに対応し、
【００８２】
【数３０】
2018129821.tif 000032
【００８３】
の中の0は、n2次元のゼロベクトルを表し、アンテナポートの第2のグループに対応し、
【００８４】
【数３１】
2018129821.tif 000033
【００８５】
の中のVbは、n2次元の非ゼロベクトルであり、アンテナポートの第2のグループに対応し、
【００８６】
【数３２】
2018129821.tif 000034
【００８７】
の中の0は、n1次元のゼロベクトルを表し、アンテナポートの第1のグループに対応する。
【００８８】
第2の態様に関して、第2の可能な実装方式において、少なくとも1つの第1のコードブックは、第1の条件を満たし、第1の条件は、すべての第1の位相ベクトルによって形成されるベクトル集合および離散フーリエ変換行列DFT行列が第1の位相ベクトルによって形成されるベクトル集合がDFT行列の位相行列内の対応する列ベクトルの集合の部分集合であるという第1の対応関係の条件を満たすというものであり、DFT行列の位相行列の中の第P行および第Q列内の要素は、DFT行列内の第P行および第Q列内の要素の位相部分であり、第1のコードブック内のすべての第1のサブベクトル
【００８９】
【数３３】
2018129821.tif 000035
【００９０】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である、またはすべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【００９１】
【数３４】
2018129821.tif 000036
【００９２】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数である、またはすべての第3の位相ベクトルによって形成されるベクトル集合は、householder変換コードブック内の対応するサブベクトルによって形成される集合であり、第1のコードブック内のすべての第1のサブベクトル
【００９３】
【数３５】
2018129821.tif 000037
【００９４】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【００９５】
第2の態様に関して、第3の可能な実装方式において、少なくとも1つの第1のコードブックは、第2の条件を満たし、第2の条件は、すべての第4の位相ベクトルによって形成されるベクトル集合および離散フーリエ変換行列DFT行列が第4の位相ベクトルによって形成されるベクトル集合がDFT行列の位相行列内の対応する列ベクトルの集合の部分集合であるという第3の対応関係の条件を満たすというものであり、DFT行列の位相行列の中の第P行および第Q列内の要素は、DFT行列内の第P行および第Q列内の要素の位相部分であり、第1のコードブック内のすべての第2のサブベクトル
【００９６】
【数３６】
2018129821.tif 000038
【００９７】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である、またはすべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【００９８】
【数３７】
2018129821.tif 000039
【００９９】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である、またはすべての第6の位相ベクトルによって形成されるベクトル集合は、householder変換コードブック内の対応するサブベクトルによって形成される集合であり、第1のコードブック内のすべての第2のサブベクトル
【０１００】
【数３８】
2018129821.tif 000040
【０１０１】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０１０２】
第2の態様に関して、第4の可能な実装方式において、少なくとも1つの第1のコードブックは、第3の条件を満たし、第3の条件は、{Vm}に対応するすべての第1の振幅ベクトルにおいて、少なくとも1つの第1の振幅ベクトルが{Vn}に対応するすべての第2の振幅ベクトルと異なり、および/または{Vn}に対応するすべての第2の振幅ベクトルにおいて、少なくとも1つの第2の振幅ベクトルが{Vm}に対応するすべての第1の振幅ベクトルと異なるというものであり、第1のコードブック内のすべての第1のサブベクトル
【０１０３】
【数３９】
2018129821.tif 000041
【０１０４】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０１０５】
【数４０】
2018129821.tif 000042
【０１０６】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。
【０１０７】
第2の態様に関して、第5の可能な実装方式において、この方法は、少なくとも1つの第1の構成メッセージを第1のネットワークデバイスに送信するステップであって、各第1の構成メッセージは、アンテナポートの1つのグループに対応する位相部分のサブベクトル集合を決定するために使用され、少なくとも1つの第1の構成メッセージの数は、アンテナポートのグループの数に等しい、ステップと、少なくとも1つの第2の構成メッセージを第1のネットワークデバイスに送信するステップであって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、ステップとを含む。
【０１０８】
第2の態様に関して、第6の可能な実装方式において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
【０１０９】
第2の態様に関して、第7の可能な実装方式において、参照信号は、第1の構成メッセージを示すためにさらに使用され、および/または参照信号は、第2の構成メッセージを示すためにさらに使用される。
【０１１０】
第2の態様に関して、第8の可能な実装方式において、本発明は、異なるRANKの第1のコードブック行列における異なる組合せをもたらす。
【０１１１】
第2の態様に関して、第9の可能な実装方式において、RIの値が1よりも大きいときに、各第1のコードブック内のすべての第1のサブベクトル
【０１１２】
【数４１】
2018129821.tif 000043
【０１１３】
のVa部分はサブベクトル集合{VK}を形成し、各第1のコードブック内のすべての第2のサブベクトル
【０１１４】
【数４２】
2018129821.tif 000044
【０１１５】
のVb部分はサブベクトル集合{VL}を形成し、同じ第1のコードブック内の対応する{VK}および{VL}は第4の条件を満たし、第4の条件は、{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。
【０１１６】
第2の態様に関して、第10の可能な実装方式において、RIの値が1よりも大きいときに、各第1のコードブック内のすべての第1のサブベクトル
【０１１７】
【数４３】
2018129821.tif 000045
【０１１８】
のVa部分はサブベクトル集合{VM}を形成し、各第1のコードブック内のすべての第2のサブベクトル
【０１１９】
【数４４】
2018129821.tif 000046
【０１２０】
のVb部分はサブベクトル集合{VN}を形成し、同じ第1のコードブック内の対応する{VM}および{VN}は第5の条件を満たし、第5の条件は、{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。
【０１２１】
第2の態様に関して、第11の可能な実装方式において、第1のコードブック内の各第1のサブベクトル
【０１２２】
【数４５】
2018129821.tif 000047
【０１２３】
のVaにおける振幅ベクトル内の少なくとも2つの要素は不等であり、第1のコードブック内の各第2のサブベクトル
【０１２４】
【数４６】
2018129821.tif 000048
【０１２５】
のVbにおける振幅ベクトル内の少なくとも2つの要素は不等である、または第1のコードブック内の各第1のサブベクトル
【０１２６】
【数４７】
2018129821.tif 000049
【０１２７】
のVaにおける振幅ベクトル内の少なくとも2つの要素は不等であり、第1のコードブック内の各第2のサブベクトル
【０１２８】
【数４８】
2018129821.tif 000050
【０１２９】
のVbにおける振幅ベクトル内のすべての要素は等しい、または第1のコードブック内の各第1のサブベクトル
【０１３０】
【数４９】
2018129821.tif 000051
【０１３１】
のVaにおける振幅ベクトル内のすべての要素は等しく、第1のコードブック内の各第2のサブベクトル
【０１３２】
【数５０】
2018129821.tif 000052
【０１３３】
のVbにおける振幅ベクトル内の少なくとも2つの要素は不等である。
【０１３４】
第2の態様に関して、第12の可能な実装方式において、第1のコードブック内のすべての第1のサブベクトル
【０１３５】
【数５１】
2018129821.tif 000053
【０１３６】
のVaにおける振幅ベクトルによって形成されるベクトル集合内の少なくとも2つの振幅ベクトルは異なる、または第1のコードブック内のすべての第2のサブベクトル
【０１３７】
【数５２】
2018129821.tif 000054
【０１３８】
のVbにおける振幅ベクトルによって形成されるベクトル集合内の少なくとも2つの振幅ベクトルは異なる。
【０１３９】
第2の態様に関して、第13の可能な実装方式において、第1のネットワークデバイスは、端末デバイスUEである。
【０１４０】
第2の態様に関して、第14の可能な実装方式において、第2のネットワークデバイスは、基地局eNBである。
【０１４１】
第3の態様によれば、チャネル情報を測定し、フィードバックするための装置が実現され、この装置は参照信号を受信するように構成されている第1の受信ユニットと、参照信号を測定して測定結果を取得するように構成されている測定ユニットと、測定結果に従って第1のコードブック集合から第1のコードブックを選択するように構成されている選択ユニットであって、第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、選択ユニットと、コードブックインデックスを第2のネットワークデバイスに送信するように構成されている送信ユニットであって、コードブックインデックスは、第1のコードブック集合から選択された第1のコードブックに対応する、送信ユニットとを備える。
【０１４２】
第3の態様に関して、第1の可能な実装方式において、各第1のコードブックは、第1の構造を有する少なくとも1つの第1のサブベクトル
【０１４３】
【数５３】
2018129821.tif 000055
【０１４４】
および/または第2の構造を有する少なくとも1つの第2のサブベクトル
【０１４５】
【数５４】
2018129821.tif 000056
【０１４６】
を含み、
【０１４７】
【数５５】
2018129821.tif 000057
【０１４８】
の中のVaは、n1次元の非ゼロベクトルであり、アンテナポートの第1のグループに対応し、
【０１４９】
【数５６】
2018129821.tif 000058
【０１５０】
の中の0は、n2次元のゼロベクトルを表し、アンテナポートの第2のグループに対応し、
【０１５１】
【数５７】
2018129821.tif 000059
【０１５２】
の中のVbは、n2次元の非ゼロベクトルであり、アンテナポートの第2のグループに対応し、
【０１５３】
【数５８】
2018129821.tif 000060
【０１５４】
の中の0は、n1次元のゼロベクトルを表し、アンテナポートの第1のグループに対応する。
【０１５５】
第3の態様に関して、第2の可能な実装方式において、少なくとも1つの第1のコードブックは、第1の条件を満たし、第1の条件は、すべての第1の位相ベクトルによって形成されるベクトル集合および離散フーリエ変換行列DFT行列が第1の位相ベクトルによって形成されるベクトル集合がDFT行列の位相行列内の対応する列ベクトルの集合の部分集合であるという第1の対応関係の条件を満たすというものであり、DFT行列の位相行列の中の第P行および第Q列内の要素は、DFT行列内の第P行および第Q列内の要素の位相部分であり、第1のコードブック内のすべての第1のサブベクトル
【０１５６】
【数５９】
2018129821.tif 000061
【０１５７】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である、またはすべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【０１５８】
【数６０】
2018129821.tif 000062
【０１５９】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数である、またはすべての第3の位相ベクトルによって形成されるベクトル集合は、householder変換コードブック内の対応するサブベクトルによって形成される集合であり、第1のコードブック内のすべての第1のサブベクトル
【０１６０】
【数６１】
2018129821.tif 000063
【０１６１】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【０１６２】
第3の態様に関して、第3の可能な実装方式において、少なくとも1つの第1のコードブックは、第2の条件を満たし、第2の条件は、すべての第4の位相ベクトルによって形成されるベクトル集合および離散フーリエ変換行列DFT行列が第4の位相ベクトルによって形成されるベクトル集合がDFT行列の位相行列内の対応する列ベクトルの集合の部分集合であるという第3の対応関係の条件を満たすというものであり、DFT行列の位相行列の中の第P行および第Q列内の要素は、DFT行列内の第P行および第Q列内の要素の位相部分であり、第1のコードブック内のすべての第2のサブベクトル
【０１６３】
【数６２】
2018129821.tif 000064
【０１６４】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である、またはすべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【０１６５】
【数６３】
2018129821.tif 000065
【０１６６】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である、またはすべての第6の位相ベクトルによって形成されるベクトル集合は、householder変換コードブック内の対応するサブベクトルによって形成される集合であり、第1のコードブック内のすべての第2のサブベクトル
【０１６７】
【数６４】
2018129821.tif 000066
【０１６８】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０１６９】
第3の態様に関して、第4の可能な実装方式において、少なくとも1つの第1のコードブックは、第3の条件を満たし、第3の条件は、{Vm}に対応するすべての第1の振幅ベクトルにおいて、少なくとも1つの第1の振幅ベクトルが{Vn}に対応するすべての第2の振幅ベクトルと異なり、および/または{Vn}に対応するすべての第2の振幅ベクトルにおいて、少なくとも1つの第2の振幅ベクトルが{Vm}に対応するすべての第1の振幅ベクトルと異なるというものであり、第1のコードブック内のすべての第1のサブベクトル
【０１７０】
【数６５】
2018129821.tif 000067
【０１７１】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０１７２】
【数６６】
2018129821.tif 000068
【０１７３】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。
【０１７４】
第3の態様に関して、第5の可能な実装方式において、この装置は、少なくとも1つの第1の構成メッセージを受信するように構成されている第2の受信ユニットであって、各第1の構成メッセージは、アンテナポートの1つのグループに対応する位相部分のサブベクトル集合を決定するために使用され、少なくとも1つの第1の構成メッセージの数は、アンテナポートのグループの数に等しい、第2の受信ユニット、および/または少なくとも1つの第2の構成メッセージを受信するように構成されている第3の受信ユニットであって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、第3の受信ユニットを備える。
【０１７５】
第3の態様に関して、第6の可能な実装方式において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
【０１７６】
第3の態様に関して、第7の可能な実装方式において、この装置は、参照信号を測定することによって測定ユニットによって取得された結果に従って第1の構成メッセージを取得するように構成されている第1の取得ユニット、および/または参照信号を測定することによって測定ユニットによって取得された結果に従って第2の構成メッセージを取得するように構成されている第2の取得ユニットを備える。
【０１７７】
第3の態様に関して、第8の可能な実装方式において、本発明は、異なるRANKの第1のコードブック行列における異なる組合せをもたらす。
【０１７８】
第3の態様に関して、第9の可能な実装方式において、RIの値が1よりも大きいときに、各第1のコードブック内のすべての第1のサブベクトル
【０１７９】
【数６７】
2018129821.tif 000069
【０１８０】
のVa部分はサブベクトル集合{VK}を形成し、各第1のコードブック内のすべての第2のサブベクトル
【０１８１】
【数６８】
2018129821.tif 000070
【０１８２】
のVb部分はサブベクトル集合{VL}を形成し、同じ第1のコードブック内の対応する{VK}および{VL}は第4の条件を満たし、第4の条件は、{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。
【０１８３】
第3の態様に関して、第10の可能な実装方式において、RIの値が1よりも大きいときに、各第1のコードブック内のすべての第1のサブベクトル
【０１８４】
【数６９】
2018129821.tif 000071
【０１８５】
のVa部分はサブベクトル集合{VM}を形成し、各第1のコードブック内のすべての第2のサブベクトル
【０１８６】
【数７０】
2018129821.tif 000072
【０１８７】
のVb部分はサブベクトル集合{VN}を形成し、同じ第1のコードブック内の対応する{VM}および{VN}は第5の条件を満たし、第5の条件は、{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。
【０１８８】
第3の態様に関して、第11の可能な実装方式において、第1のコードブック内の各第1のサブベクトル
【０１８９】
【数７１】
2018129821.tif 000073
【０１９０】
のVaにおける振幅ベクトル内の少なくとも2つの要素は不等であり、第1のコードブック内の各第2のサブベクトル
【０１９１】
【数７２】
2018129821.tif 000074
【０１９２】
のVbにおける振幅ベクトル内の少なくとも2つの要素は不等である、または第1のコードブック内の各第1のサブベクトル
【０１９３】
【数７３】
2018129821.tif 000075
【０１９４】
のVaにおける振幅ベクトル内の少なくとも2つの要素は不等であり、第1のコードブック内の各第2のサブベクトル
【０１９５】
【数７４】
2018129821.tif 000076
【０１９６】
のVbにおける振幅ベクトル内のすべての要素は等しい、または第1のコードブック内の各第1のサブベクトル
【０１９７】
【数７５】
2018129821.tif 000077
【０１９８】
のVaにおける振幅ベクトル内のすべての要素は等しく、第1のコードブック内の各第2のサブベクトル
【０１９９】
【数７６】
2018129821.tif 000078
【０２００】
のVbにおける振幅ベクトル内の少なくとも2つの要素は不等である。
【０２０１】
第3の態様に関して、第12の可能な実装方式において、第1のコードブック内のすべての第1のサブベクトル
【０２０２】
【数７７】
2018129821.tif 000079
【０２０３】
のVaにおける振幅ベクトルによって形成されるベクトル集合内の少なくとも2つの振幅ベクトルは異なる、または第1のコードブック内のすべての第2のサブベクトル
【０２０４】
【数７８】
2018129821.tif 000080
【０２０５】
のVbにおける振幅ベクトルによって形成されるベクトル集合内の少なくとも2つの振幅ベクトルは異なる。
【０２０６】
第3の態様に関して、第13の可能な実装方式において、第1のネットワークデバイスは、端末デバイスUEである。
【０２０７】
第3の態様に関して、第14の可能な実装方式において、第2のネットワークデバイスは、基地局eNBである。
【０２０８】
第4の態様によれば、通信装置が実現され、この装置は参照信号を第1のネットワークデバイスに送信するように構成されている第1の送信ユニットであって、参照信号は、測定を実行して測定結果を取得することを第1のネットワークデバイスに通知するために使用される、第1の送信ユニットと、第1のネットワークデバイスによって送信されたコードブックインデックスを受信するように構成されている受信ユニットであって、コードブックインデックスは、第1のネットワークデバイスにより第1のコードブック集合において決定された第1のコードブックに対応し、コードブックインデックスは、測定結果に従って第1のネットワークデバイスによって決定される、受信ユニットと、コードブックインデックスに従って、第1のコードブック集合内の第1のコードブックを決定するように構成されている決定ユニットであって、第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、決定ユニットとを備える。
【０２０９】
第4の態様に関して、第1の可能な実装方式において、各第1のコードブックは、第1の構造を有する少なくとも1つの第1のサブベクトル
【０２１０】
【数７９】
2018129821.tif 000081
【０２１１】
および/または第2の構造を有する少なくとも1つの第2のサブベクトル
【０２１２】
【数８０】
2018129821.tif 000082
【０２１３】
を含み、
【０２１４】
【数８１】
2018129821.tif 000083
【０２１５】
の中のVaは、n1次元の非ゼロベクトルであり、アンテナポートの第1のグループに対応し、
【０２１６】
【数８２】
2018129821.tif 000084
【０２１７】
の中の0は、n2次元のゼロベクトルを表し、アンテナポートの第2のグループに対応し、
【０２１８】
【数８３】
2018129821.tif 000085
【０２１９】
の中のVbは、n2次元の非ゼロベクトルであり、アンテナポートの第2のグループに対応し、
【０２２０】
【数８４】
2018129821.tif 000086
【０２２１】
の中の0は、n1次元のゼロベクトルを表し、アンテナポートの第1のグループに対応する。
【０２２２】
第4の態様に関して、第2の可能な実装方式において、少なくとも1つの第1のコードブックは、第1の条件を満たし、第1の条件は、すべての第1の位相ベクトルによって形成されるベクトル集合および離散フーリエ変換行列DFT行列が第1の位相ベクトルによって形成されるベクトル集合がDFT行列の位相行列内の対応する列ベクトルの集合の部分集合であるという第1の対応関係の条件を満たすというものであり、DFT行列の位相行列の中の第P行および第Q列内の要素は、DFT行列内の第P行および第Q列内の要素の位相部分であり、第1のコードブック内のすべての第1のサブベクトル
【０２２３】
【数８５】
2018129821.tif 000087
【０２２４】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である、またはすべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【０２２５】
【数８６】
2018129821.tif 000088
【０２２６】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数である、またはすべての第3の位相ベクトルによって形成されるベクトル集合は、householder変換コードブック内の対応するサブベクトルによって形成される集合であり、第1のコードブック内のすべての第1のサブベクトル
【０２２７】
【数８７】
2018129821.tif 000089
【０２２８】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【０２２９】
第4の態様に関して、第3の可能な実装方式において、少なくとも1つの第1のコードブックは、第2の条件を満たし、第2の条件は、すべての第4の位相ベクトルによって形成されるベクトル集合および離散フーリエ変換行列DFT行列が第4の位相ベクトルによって形成されるベクトル集合がDFT行列の位相行列内の対応する列ベクトルの集合の部分集合であるという第3の対応関係の条件を満たすというものであり、DFT行列の位相行列の中の第P行および第Q列内の要素は、DFT行列内の第P行および第Q列内の要素の位相部分であり、第1のコードブック内のすべての第2のサブベクトル
【０２３０】
【数８８】
2018129821.tif 000090
【０２３１】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である、またはすべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【０２３２】
【数８９】
2018129821.tif 000091
【０２３３】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である、またはすべての第6の位相ベクトルによって形成されるベクトル集合は、householder変換コードブック内の対応するサブベクトルによって形成される集合であり、第1のコードブック内のすべての第2のサブベクトル
【０２３４】
【数９０】
2018129821.tif 000092
【０２３５】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０２３６】
第4の態様に関して、第4の可能な実装方式において、少なくとも1つの第1のコードブックは、第3の条件を満たし、第3の条件は、{Vm}に対応するすべての第1の振幅ベクトルにおいて、少なくとも1つの第1の振幅ベクトルが{Vn}に対応するすべての第2の振幅ベクトルと異なり、および/または{Vn}に対応するすべての第2の振幅ベクトルにおいて、少なくとも1つの第2の振幅ベクトルが{Vm}に対応するすべての第1の振幅ベクトルと異なるというものであり、第1のコードブック内のすべての第1のサブベクトル
【０２３７】
【数９１】
2018129821.tif 000093
【０２３８】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０２３９】
【数９２】
2018129821.tif 000094
【０２４０】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。
【０２４１】
第4の態様に関して、第5の可能な実装方式において、この装置は、少なくとも1つの第1の構成メッセージを第1のネットワークデバイスに送信するように構成されている第2の送信ユニットであって、各第1の構成メッセージは、アンテナポートの1つのグループに対応する位相部分のサブベクトル集合を決定するために使用され、少なくとも1つの第1の構成メッセージの数は、アンテナポートのグループの数に等しい、第2の送信ユニット、および/または少なくとも1つの第2の構成メッセージを第1のネットワークデバイスに送信するように構成されている第3の送信ユニットであって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、第3の送信ユニットを備える。
【０２４２】
第4の態様に関して、第6の可能な実装方式において、第2の送信ユニットは、上位層のシグナリングまたは動的シグナリングを使用することによって第1の構成メッセージを送信し、および/または第3の送信ユニットは、上位層のシグナリングまたは動的シグナリングを使用することによって第2の構成メッセージを送信する。
【０２４３】
第4の態様に関して、第7の可能な実装方式において、参照信号は、少なくとも1つの第1の構成メッセージを示すためにさらに使用され、各第1の構成メッセージは、アンテナポートの1つのグループに対応する位相部分のサブベクトル集合を決定するために使用され、少なくとも1つの第1の構成メッセージの数は、アンテナポートのグループの数に等しい、および/または参照信号は、少なくとも1つの第2の構成メッセージを示すためにさらに使用され、各第2の構成メッセージは、アンテナポートの1つのグループに対応する振幅部分のサブベクトル集合を決定するために使用され、少なくとも1つの第2の構成メッセージの数は、アンテナポートのグループの数に等しい。
【０２４４】
第4の態様に関して、第8の可能な実装方式において、本発明は、異なるRANKの第1のコードブック行列における異なる組合せをもたらす。
【０２４５】
第4の態様に関して、第9の可能な実装方法において、RIの値が1よりも大きいときに、各第1のコードブック内のすべての第1のサブベクトル
【０２４６】
【数９３】
2018129821.tif 000095
【０２４７】
のVa部分はサブベクトル集合{VK}を形成し、各第1のコードブック内のすべての第2のサブベクトル
【０２４８】
【数９４】
2018129821.tif 000096
【０２４９】
のVb部分はサブベクトル集合{VL}を形成し、同じ第1のコードブック内の対応する{VK}および{VL}は第4の条件を満たし、第4の条件は、{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。
【０２５０】
第4の態様に関して、第10の可能な実装方式において、RIの値が1よりも大きいときに、各第1のコードブック内のすべての第1のサブベクトル
【０２５１】
【数９５】
2018129821.tif 000097
【０２５２】
のVa部分はサブベクトル集合{VM}を形成し、各第1のコードブック内のすべての第2のサブベクトル
【０２５３】
【数９６】
2018129821.tif 000098
【０２５４】
のVb部分はサブベクトル集合{VN}を形成し、同じ第1のコードブック内の対応する{VM}および{VN}は第5の条件を満たし、第5の条件は、{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。
【０２５５】
第4の態様に関して、第11の可能な実装方式において、第1のコードブック内の各第1のサブベクトル
【０２５６】
【数９７】
2018129821.tif 000099
【０２５７】
のVaにおける振幅ベクトル内の少なくとも2つの要素は不等であり、第1のコードブック内の各第2のサブベクトル
【０２５８】
【数９８】
2018129821.tif 000100
【０２５９】
のVbにおける振幅ベクトル内の少なくとも2つの要素は不等である、または第1のコードブック内の各第1のサブベクトル
【０２６０】
【数９９】
2018129821.tif 000101
【０２６１】
のVaにおける振幅ベクトル内の少なくとも2つの要素は不等であり、第1のコードブック内の各第2のサブベクトル
【０２６２】
【数１００】
2018129821.tif 000102
【０２６３】
のVbにおける振幅ベクトル内のすべての要素は等しい、または第1のコードブック内の各第1のサブベクトル
【０２６４】
【数１０１】
2018129821.tif 000103
【０２６５】
のVaにおける振幅ベクトル内のすべての要素は等しく、第1のコードブック内の各第2のサブベクトル
【０２６６】
【数１０２】
2018129821.tif 000104
【０２６７】
のVbにおける振幅ベクトル内の少なくとも2つの要素は不等である。
【０２６８】
第4の態様に関して、第12の可能な実装方式において、第1のコードブック内のすべての第1のサブベクトル
【０２６９】
【数１０３】
2018129821.tif 000105
【０２７０】
のVaにおける振幅ベクトルによって形成されるベクトル集合内の少なくとも2つの振幅ベクトルは異なる、または第1のコードブック内のすべての第2のサブベクトル
【０２７１】
【数１０４】
2018129821.tif 000106
【０２７２】
のVbにおける振幅ベクトルによって形成されるベクトル集合内の少なくとも2つの振幅ベクトルは異なる。
【０２７３】
第4の態様に関して、第13の可能な実装方式において、第1のネットワークデバイスは、端末デバイスUEである。
【０２７４】
第4の態様に関して、第14の可能な実装方式において、第2のネットワークデバイスは、基地局eNBである。
【０２７５】
前述のソリューションにおいて、本発明によって実現されるコードブック構造は、アンテナポートの異なるグループの送信強度に従って独立して構成されるものとしてよく、したがって柔軟性およびMIMOのパフォーマンスが改善される。
【図面の簡単な説明】
【０２７６】
【図１】固定ダウンチルトを有するアンテナポートモデルのアーキテクチャ図である。
【図２】動的ダウンチルトを有するアンテナポートモデルのアーキテクチャ図である。
【図３】能動アンテナシステムAASの概略図である。
【図４】データがベースバンドおよび無線周波ネットワーク内で処理され、AASアンテナを通して送信されるフローチャートである。
【図５】ダウンチルトグルーピングの概略図である。
【図６】本発明に従って第1のネットワークデバイスによってチャネル情報を測定し、フィードバックするための方法を実装することに対するフローチャートである。
【図７】本発明に従って第2のネットワークデバイスによってチャネル情報を測定し、フィードバックするための方法を実装することに対するフローチャートである。
【図８】本発明に従ってチャネル情報を測定し、フィードバックするための方法を実装するためのネットワークデバイスの第1の概略構造図である。
【図９】本発明に従ってチャネル情報を測定し、フィードバックするための方法を実装するためのネットワークデバイスの第2の概略構造図である。
【図１０】本発明に従ってチャネル情報を測定し、フィードバックするための方法を実装するためのネットワークデバイスの第3の概略構造図である。
【図１１】本発明に従ってチャネル情報を測定し、フィードバックするための方法を実装するためのネットワークデバイスの第4の概略構造図である。
【図１２】本発明に従ってチャネル情報を測定し、フィードバックするための方法を実装するためのネットワークデバイスの第5の概略構造図である。
【図１３】本発明に従ってチャネル情報を測定し、フィードバックするための方法を実装するためのネットワークデバイスの第6の概略構造図である。
【図１４】本発明に従ってチャネル情報を測定し、フィードバックするための方法を実装するためのネットワークデバイスの第7の概略構造図である。
【図１５】本発明に従ってチャネル情報を測定し、フィードバックするための方法を実装するためのネットワークデバイスの第8の概略構造図である。
【図１６】本発明に従ってチャネル情報を測定し、フィードバックするための方法を実装するためのネットワークシステム内のフローチャートである。
【図１７】本発明に従ってチャネル情報を測定し、フィードバックするための方法を実装するためのネットワーク側デバイスのフローチャートである。
【発明を実施するための形態】
【０２７７】
本発明の実施形態は、前述の方法実施形態におけるステップおよび方法を実装するための装置実施形態をさらに提供する。便宜上、本発明では、Table 1(表1)からTable 6(表6)は、明細書に繰り返し提示されており、同じ番号を持つ表は、同じ表の内容に対応する。
【０２７８】
図6は、本発明による方法実施形態のフローチャートを示しており、これは特に次のとおりである。
【０２７９】
ステップ101:第1のネットワークデバイスが、参照信号を受信し、参照信号を測定して測定結果を取得し、測定結果に従って第1のコードブック集合から第1のコードブックを選択する。
【０２８０】
第1のコードブック集合は、少なくとも2つの第1のコードブックを含む。各第1のコードブックのサブベクトルWxは、ゼロベクトルと非ゼロベクトルによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである。
【０２８１】
ステップ102:コードブックインデックスを第2のネットワークデバイスに送信し、コードブックインデックスは、第1のコードブック集合から選択された第1のコードブックに対応する。
【０２８２】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、固定された垂直方向の傾きを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信強度に従って独立して構成されるものとしてよく、したがって柔軟性およびMIMOのパフォーマンスが改善される。
【０２８３】
本発明の一実施形態において、アンテナポートが垂直方向の傾きに従ってグループ化されたときに、コードブック内のコードブックベクトルのパラメータは、異なる傾きに従って独立して構成されるものとしてよく、したがって、データ伝送効率に柔軟に適応するという目的が達成される。この実施形態において、垂直方向の2つの傾きは、一例として使用されている(この方法は、2つよりも多い傾きにも適用可能である)。第1のコードブック内の各列において、アンテナポートの1つのグループは、非ゼロベクトルに対応し、アンテナポートの別のグループは、ゼロベクトルに対応するか、またはアンテナポートの1つのグループは、ゼロベクトルに対応し、アンテナポートの別のグループは、非ゼロベクトルに対応し、非ゼロベクトルとは、少なくとも1つの要素が非ゼロ要素であるベクトルのことであり、ゼロベクトルとは、すべての要素がゼロ要素であるベクトルのことである。本発明では、コードブックに含まれるベクトル内の第1のn1個の要素がアンテナポートの1つのグループに対応し、最後のn2個の要素がアンテナポートの別のグループに対応するときに、このベクトルの構造は
【０２８４】
【数１０５】
2018129821.tif 000107
【０２８５】
であり、V1はn1次元であり、V2はn2次元である。この場合、各第1のコードブックは、第1の構造を有する少なくとも1つの第1のサブベクトル
【０２８６】
【数１０６】
2018129821.tif 000108
【０２８７】
および/または第2の構造を有する少なくとも1つの第2のサブベクトル
【０２８８】
【数１０７】
2018129821.tif 000109
【０２８９】
を含み、
【０２９０】
【数１０８】
2018129821.tif 000110
【０２９１】
の中のVaは、n1次元の非ゼロベクトルであり、アンテナポートの第1のグループに対応し、
【０２９２】
【数１０９】
2018129821.tif 000111
【０２９３】
の中の0は、n2次元のゼロベクトルを表し、アンテナポートの第2のグループに対応し、
【０２９４】
【数１１０】
2018129821.tif 000112
【０２９５】
の中のVbは、n2次元の非ゼロベクトルであり、アンテナポートの第2のグループに対応し、
【０２９６】
【数１１１】
2018129821.tif 000113
【０２９７】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルト角度または信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【０２９８】
第1のコードブックの中のサブベクトルの構造は、限定はしないが、前述の第1の構造または第2の構造であり得ることが理解されるであろう。適宜、第1のコードブック内のゼロベクトルおよび非ゼロベクトルのサブベクトルのロケーションは、異なっていてもよい。本発明の一実施形態において、4つのアンテナポートがある場合、第1の構造を有する第1のサブベクトル
【０２９９】
【数１１２】
2018129821.tif 000114
【０３００】
中のベクトル内の要素は、
【０３０１】
【数１１３】
2018129821.tif 000115
【０３０２】
として表され、第2の構造を有する第2のサブベクトル
【０３０３】
【数１１４】
2018129821.tif 000116
【０３０４】
中のベクトル内の要素は、
【０３０５】
【数１１５】
2018129821.tif 000117
【０３０６】
として表され、
【０３０７】
【数１１６】
2018129821.tif 000118
【０３０８】
は、ベクトルVa内の要素であり、
【０３０９】
【数１１７】
2018129821.tif 000119
【０３１０】
は、ベクトルVb内の要素である。本発明の別の実施形態において、アンテナポートが、2つのグループにグループ化されるときに、第1の構造は、
【０３１１】
【数１１８】
2018129821.tif 000120
【０３１２】
であってよく、第2の構造は、
【０３１３】
【数１１９】
2018129821.tif 000121
【０３１４】
であってよい。同様に、アンテナグループが、2つのグループにグループ化されるときに、本発明の別の実施形態において、第1の構造は、
【０３１５】
【数１２０】
2018129821.tif 000122
【０３１６】
であってよく、第2の構造は、
【０３１７】
【数１２１】
2018129821.tif 000123
【０３１８】
であってよい。
【０３１９】
代替的に、コードブック集合は、第1の構造
【０３２０】
【数１２２】
2018129821.tif 000124
【０３２１】
第2の構造
【０３２２】
【数１２３】
2018129821.tif 000125
【０３２３】
第3の構造
【０３２４】
【数１２４】
2018129821.tif 000126
【０３２５】
または第4の構造
【０３２６】
【数１２５】
2018129821.tif 000127
【０３２７】
のうちの少なくとも1つの構造を含む。
【０３２８】
【数１２６】
2018129821.tif 000128
【０３２９】
は、ベクトルVa内の要素であり、Vaは、アンテナポートの1つのグループに対応する。対応関係は次のとおりである。第1の構造において、
【０３３０】
【数１２７】
2018129821.tif 000129
【０３３１】
は第1のアンテナポートに対応し、
【０３３２】
【数１２８】
2018129821.tif 000130
【０３３３】
は第3のアンテナポートに対応し、第2の構造において、
【０３３４】
【数１２９】
2018129821.tif 000131
【０３３５】
は第2のアンテナポートに対応し、
【０３３６】
【数１３０】
2018129821.tif 000132
【０３３７】
は第4のアンテナポートに対応し、第3の構造において、
【０３３８】
【数１３１】
2018129821.tif 000133
【０３３９】
は第1のアンテナポートに対応し、
【０３４０】
【数１３２】
2018129821.tif 000134
【０３４１】
は第4のアンテナポートに対応し、第4の構造において、
【０３４２】
【数１３３】
2018129821.tif 000135
【０３４３】
は第2のアンテナポートに対応し、
【０３４４】
【数１３４】
2018129821.tif 000136
【０３４５】
は第3のアンテナポートに対応し、
【０３４６】
【数１３５】
2018129821.tif 000137
【０３４７】
は、ベクトルVa内の要素であり、
【０３４８】
【数１３６】
2018129821.tif 000138
【０３４９】
は、ベクトルVb内の要素である。
【０３５０】
アンテナポートが、3つのグループにグループ化されるときに、第1のコードブック集合は、第1の構造
【０３５１】
【数１３７】
2018129821.tif 000139
【０３５２】
第2の構造
【０３５３】
【数１３８】
2018129821.tif 000140
【０３５４】
第3の構造
【０３５５】
【数１３９】
2018129821.tif 000141
【０３５６】
第4の構造
【０３５７】
【数１４０】
2018129821.tif 000142
【０３５８】
第5の構造
【０３５９】
【数１４１】
2018129821.tif 000143
【０３６０】
または第6の構造
【０３６１】
【数１４２】
2018129821.tif 000144
【０３６２】
のうちの少なくとも1つを含む。ベクトルVa、Vb、およびVcは各々、アンテナポートの1つのグループに対応する。
【０３６３】
本発明の一実施形態において、本発明は、第1の構造およびランク指標の値に対応する第2の構造の組合せを形成する。
【０３６４】
一般的に、第1のコードブックに含まれる非ゼロベクトル内の要素は、複素数の形態をとる。複素数α・eβに対して、αは振幅部分と称され、実数であり、eβは位相部分と称される。本発明のさらに別の実施形態において、少なくとも1つの第1のコードブックは、第1の条件を満たす。本発明は、実装され得る第1の条件のいくつかの定義を与える。本発明では、断りのない限り、P、Q、およびKは、正整数である。
【０３６５】
第1の条件の第1の定義
【０３６６】
すべての第1の位相ベクトルによって形成されるベクトル集合および離散フーリエ変換行列DFT行列は第1の位相ベクトルによって形成されるベクトル集合がDFT行列の位相行列内の対応する列ベクトルの集合の部分集合であるという第1の対応関係の条件を満たし、DFT行列の位相行列の中の第P行および第Q列内の要素は、DFT行列内の第P行および第Q列内の要素の位相部分であり、第1のコードブック内のすべての第1のサブベクトル
【０３６７】
【数１４３】
2018129821.tif 000145
【０３６８】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である。
【０３６９】
離散フーリエ変換行列DFT行列の一般的な表現は、
【０３７０】
【数１４４】
2018129821.tif 000146
【０３７１】
である。
【０３７２】
DFTの位相行列は、
【０３７３】
【数１４５】
2018129821.tif 000147
【０３７４】
である。
【０３７５】
Nの値は、DFT行列が正方行列である場合の次数である。たとえば、
【０３７６】
【数１４６】
2018129821.tif 000148
【０３７７】
において、Vaが4次元である場合、DFT行列の位相行列の次数である。一実施形態において、ωの値は、
【０３７８】
【数１４７】
2018129821.tif 000149
【０３７９】
であり、
【０３８０】
【数１４８】
2018129821.tif 000150
【０３８１】
となる。
【０３８２】
たとえば、ωの値が、
【０３８３】
【数１４９】
2018129821.tif 000151
【０３８４】
であるときに、4次DFT行列
【０３８５】
【数１５０】
2018129821.tif 000152
【０３８６】
の形態は、
【０３８７】
【数１５１】
2018129821.tif 000153
【０３８８】
である。
【０３８９】
それに対応して、DFT行列の位相行列内の対応する列の集合は、
【０３９０】
【数１５２】
2018129821.tif 000154
【０３９１】
である。
【０３９２】
本発明では、DFTの位相行列は、必ずしも正方行列ではないことが理解される
であろう。次数に従ってより多くの列または行が選択され得る。たとえば、行列は、
【０３９３】
【数１５３】
2018129821.tif 000155
【０３９４】
であってよい。
【０３９５】
DFT行列の位相行列内の対応する列の集合は、
【０３９６】
【数１５４】
2018129821.tif 000156
【０３９７】
である。
【０３９８】
DFT行列から選択された行の数または列の数は、本明細書において制限されないことが理解されるであろう。行の数は、Vaの値と少なくとも同じであるべきであり、列の数は、コードブック内の第1のベクトルの数と少なくとも同じであるべきであることが理解されるであろう。
【０３９９】
第1の条件の第2の定義
【０４００】
すべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【０４０１】
【数１５５】
2018129821.tif 000157
【０４０２】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数であり、CMPコードブックは、各ポートに対応する層内のただ1つの層が非ゼロ要素であるコードブックを指す。
【０４０３】
すべてのCMPコードブックにおいて、列ベクトルが2次元であるCMPコードブックは次のとおりである。
【０４０４】
【表１】
2018129821.tif 000158
【０４０５】
列ベクトルが4次元であり、層の数が1であるCMPコードブックは次のとおりである。
【０４０６】
【表２】
2018129821.tif 000159
【０４０７】
列ベクトルが4次元であり、層の数が2であるCMPコードブックは次のとおりである。
【０４０８】
【表３】
2018129821.tif 000160
【０４０９】
たとえば、Table 3(表3)の中のインデックスが0であるときに、対応するCMPコードブック行列の位相行列内の対応する列ベクトルの集合の部分集合は次のとおりである。
【０４１０】
【数１５６】
2018129821.tif 000161
【０４１１】
列ベクトルが4次元であり、層の数が3であるCMPコードブックは次のとおりである。
【０４１２】
【表４】
2018129821.tif 000162
【０４１３】
列ベクトルが4次元であり、層の数が4であるCMPコードブックは次のとおりである。
【０４１４】
【表５】
2018129821.tif 000163
【０４１５】
第1の条件の第3の定義
【０４１６】
すべての第3の位相ベクトルによって形成されるベクトル集合は、ハウスホルダーHouseholder変換コードブック内の対応するサブベクトルによって形成される集合の部分集合であり、householder変換式は
【０４１７】
【数１５７】
2018129821.tif 000164
【０４１８】
である。
【０４１９】
第1のコードブック内のすべての第1のサブベクトル
【０４２０】
【数１５８】
2018129821.tif 000165
【０４２１】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【０４２２】
たとえば、第3の位相ベクトルは、Table 6(表6)の層の異なる数および異なるコードブックインデックスに対応する特定の行列内の
【０４２３】
【数１５９】
2018129821.tif 000166
【０４２４】
の位相部分によって形成される集合の部分集合である。インデックスは、異なるコードブックインデックスに対応する。{αi}は、整数集合に対応し、
【０４２５】
【数１６０】
2018129821.tif 000167
【０４２６】
内の異なる列が第3の位相ベクトルとして選択されることを示すために使用される。Table 6(表6)において、Unはhouseholder変換における対応するUnであり、Iは単位行列である。
【０４２７】
本発明において、Vaの位相ベクトルは、第1の条件の第1の定義、第1の条件の第2の定義、および第1の条件の第3の定義に示されている場合または関係にのみ限定されないことが理解されるであろう。コードブックは、さらには、LTEにおいて2本のアンテナ、4本のアンテナ、または8本のアンテナについて定義されているコードブックであってよい。
【０４２８】
【表６】
2018129821.tif 000168
【０４２９】
本発明のさらに別の実施形態において、少なくとも1つの第1のコードブックは、第2の条件を満たす。本発明は、実装され得る第2の条件のいくつかの定義を与える。
【０４３０】
第2の条件の第1の定義
【０４３１】
すべての第4の位相ベクトルによって形成されるベクトル集合および離散フーリエ変換行列DFT行列は、第4の位相ベクトルによって形成されるベクトル集合がDFT行列の位相行列内の対応する列ベクトルの集合の部分集合であるという第3の対応関係の条件を満たし、DFT行列の位相行列の中の第P行および第Q列内の要素は、DFT行列内の第P行および第Q列内の要素の位相部分であり、第1のコードブック内のすべての第2のサブベクトル
【０４３２】
【数１６１】
2018129821.tif 000169
【０４３３】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である。
【０４３４】
第2の条件の第2の定義
【０４３５】
すべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【０４３６】
【数１６２】
2018129821.tif 000170
【０４３７】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である。
【０４３８】
第2の条件の第3の定義
【０４３９】
すべての第6の位相ベクトルによって形成されるベクトル集合は、householder変換コードブック内の対応するサブベクトルによって形成される集合であり、第1のコードブック内のすべての第2のサブベクトル
【０４４０】
【数１６３】
2018129821.tif 000171
【０４４１】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０４４２】
本発明において、Vbの値は、第2の条件の第1の定義、第2の条件の第2の定義、および第2の条件の第3の定義に示されている場合または関係にのみ限定されないことが理解されるであろう。本発明では、第2の条件により対応関係を保護するために、第4の位相ベクトルと異なるパラメータによって形成される異なるDFT行列との間の関係、第5の位相ベクトルとCMPコードブック集合との間の関係、および第6の位相ベクトルとhouseholder変換を通じて異なる元のベクトルによって形成されるhouseholderコードブックとの間の関係を要求する。
【０４４３】
非依存性により、一コードブックにおいて、第1のコードブックが第1の条件の定義を満たしているときに、第2のコードブックは第2の条件の定義を満たし得ることが理解されるであろう。たとえば、第1のコードブックにおいて、第1の位相ベクトルによって形成されるベクトル集合がDFT行列の位相行列内の対応する列ベクトルの集合の部分集合であるという条件が満たされ、第2のコードブックにおいて、第5の位相ベクトルによって形成されるベクトル集合がCMPコードブック行列の位相行列内の対応する列ベクトルの集合の部分集合であるという条件、またはそれらの任意の組合せが満たされる。
【０４４４】
本発明のさらに別の実施形態において、少なくとも1つの第1のコードブックは、第3の条件を満たす。
【０４４５】
{Vm}に対応するすべての第1の振幅ベクトルにおいて、少なくとも1つの第1の振幅ベクトルは{Vn}に対応するすべての第2の振幅ベクトルと異なり、および/または{Vn}に対応するすべての第2の振幅ベクトルにおいて、少なくとも1つの第2の振幅ベクトルは{Vm}に対応するすべての第1の振幅ベクトルと異なる。第1のコードブック内のすべての第1のサブベクトル
【０４４６】
【数１６４】
2018129821.tif 000172
【０４４７】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０４４８】
【数１６５】
2018129821.tif 000173
【０４４９】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの異なる対応する電力を表す。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【０４５０】
適宜、ステップ101において、第1のコードブック集合は、第1のコードブックが選択される前に取得される。本発明の一実施形態において、第1のコードブック集合は、第1のネットワークデバイスに事前に記憶され得るか、または第2のネットワークデバイスまたは別の装置によって第1のネットワークデバイスに配信され得る。
【０４５１】
適宜、少なくとも1つの第1の構成メッセージが受信され、各第1の構成メッセージは、アンテナポートの1つのグループに対応する位相部分のサブベクトル集合を決定するために使用され、少なくとも1つの第1の構成メッセージの数は、アンテナポートのグループの数に等しい、および/または少なくとも1つの第2の構成メッセージが受信され、各第2の構成メッセージは、アンテナポートの1つのグループに対応する振幅部分のサブベクトル集合を決定するために使用され、少なくとも1つの第2の構成メッセージの数は、アンテナポートのグループの数に等しい。一実施形態において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。別の実施形態において、第1の構成メッセージは、参照信号を測定することにより第1のネットワークデバイスによって取得され、および/または第2の構成メッセージは、参照信号を測定することにより第1のネットワークデバイスによって取得される。
【０４５２】
一実施形態において、本発明は、第1の構造および第2の構造を有するコードブック集合の可能な場合を与える。本発明が保護することを要求する第1のコードブックは、限定はしないが、次の構造であってよい。
1.第1のコードブックは、行列
【０４５３】
【数１６６】
2018129821.tif 000174
【０４５４】
のうちの1つであり、ランク指標の値は1であり、Va(x)によって表される非ゼロサブベクトルは、第1のベクトル集合{Vm}内のサブベクトルであり、順序番号xを有し、Vb(y)によって表される非ゼロサブベクトルは、第1のベクトル集合{Vn}内のサブベクトルであり、順序番号yを有し、0<i≦N1、および0<i'≦N1であり、N1は{Vm}内のサブベクトルの数を表し、N1'は{Vn}内のサブベクトルの数を表す、または
2.第1のコードブックは、行列
【０４５５】
【数１６７】
2018129821.tif 000175
【０４５６】
のうちの1つであり、ランク指標の値は2であり、0<i≦N1、0<i'≦N1、0<j≦N1、および0<j'≦N1である、または
3.第1のコードブックは、行列
【０４５７】
【数１６８】
2018129821.tif 000176
【０４５８】
のうちの1つであり、ランク指標の値は3であり、0<i≦N1、0<i'≦N1、0<j≦N1、0<j'≦N1、0<k≦N1、および0<k'≦N1である、または
3.第1のコードブックは、行列
【０４５９】
【数１６９】
2018129821.tif 000177
【０４６０】
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
5.第1のコードブックは、行列
【０４６１】
【数１７０】
2018129821.tif 000178
【０４６２】
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
6.第1のコードブックは、行列
【０４６３】
【数１７１Ａ】
2018129821.tif 000179
【数１７１Ｂ】
2018129821.tif 000180
【数１７１Ｃ】
2018129821.tif 000181
【０４６４】
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
7.第1のコードブックは、行列
【０４６５】
【数１７２Ａ】
2018129821.tif 000182
【数１７２Ｂ】
2018129821.tif 000183
【０４６６】
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
8.第1のコードブックは、行列
【０４６７】
【数１７３Ａ】
2018129821.tif 000184
【数１７３Ｂ】
2018129821.tif 000185
【数１７３Ｃ】
2018129821.tif 000186
【数１７３Ｄ】
2018129821.tif 000187
【０４６８】
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、Va部分に対応するサブベクトルが2つおきに不等であり、i'、j'、k'、l'、m'、n'、p'、q'、および同様のもののパラメータについて、Vb部分に対応するサブベクトルが2つおきに不等である。
【０４６９】
第1のコードブック集合に含まれる第1のコードブックの例示されている可能な形態において、i、j、k、l、m、n、p、およびqは、異なるコードブックベクトルを区別するためだけのものであることが理解されるであろう。
【０４７０】
さらに、本発明の一実施形態において、各第1のコードブック内のすべての第1のサブベクトル
【０４７１】
【数１７４】
2018129821.tif 000188
【０４７２】
のVa部分はサブベクトル集合{VK}を形成し、各第1のコードブック内のすべての第2のサブベクトル
【０４７３】
【数１７５】
2018129821.tif 000189
【０４７４】
のVb部分はサブベクトル集合{VL}を形成し、同じ第1のコードブック内の対応する{VK}および{VL}は第4の条件を満たし、第4の条件は、
{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。集合の概念によれば、{Vk'}の次元の数および{VL'}の次元の数が不等であるときに、{Vk'}≠{VL'}が成り立つか、{Vk'}の次元の数および{VL'}の次元の数が等しいが、{Vk'}に含まれるサブベクトルの数および{VL'}に含まれるサブベクトルの数が不等であるときに、{Vk'}≠{VL'}が成り立つか、または{Vk'}の次元の数および{VL'}の次元の数が等しく、{Vk'}に含まれるサブベクトルの数および{VL'}に含まれるサブベクトルの数が等しいが、{Vk'}に含まれるサブベクトルは{VL'}に含まれるサブベクトルと異なるときにも、{Vk'}≠{VL'}が成り立つ。
【０４７５】
本発明の別の実施形態において、RIの値が1よりも大きいときに、各第1のコードブック内のすべての第1のサブベクトル
【０４７６】
【数１７６】
2018129821.tif 000190
【０４７７】
のVa部分はサブベクトル集合{VM}を形成し、各第1のコードブック内のすべての第2のサブベクトル
【０４７８】
【数１７７】
2018129821.tif 000191
【０４７９】
のVb部分はサブベクトル集合{VN}を形成し、同じ第1のコードブック内の対応する{VM}および{VN}は第5の条件を満たし、第5の条件は、
{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。
【０４８０】
集合の概念によれば、{VM'}の次元の数および{VN'}の次元の数が不等であるときに、{VM'}≠{VN'}が成り立ち、{VM'}の次元の数および{VN'}の次元の数が等しいが、{VM'}に含まれるサブベクトルの数および{VN'}に含まれるサブベクトルの数が不等であるときに、{VM'}≠{VN'}が成り立つか、または{VM'}の次元の数および{VN'}の次元の数が等しく、{VM'}に含まれるサブベクトルの数および{VN'}に含まれるサブベクトルの数が等しいが、{VM'}に含まれるサブベクトルは{VN'}に含まれるサブベクトルと異なるときにも、{VM'}≠{VN'}が成り立つ。
【０４８１】
前述の実施形態において、{Vk'}≠{VL'}および/または{VM'}≠{VN'}関係を成り立たせる第1のコードブックでは、第1の構造および第2の構造の柔軟な構成が実装され、コードブックは、チャネルとよりよくマッチする。
【０４８２】
次に、
【０４８３】
【数１７８】
2018129821.tif 000192
【０４８４】
にそれぞれ対応する振幅ベクトルの関係を提示する。振幅ベクトルの第1の関係、振幅ベクトルの第2の関係、および振幅ベクトルの第3の関係は各々、各サブベクトルに含まれる要素間の関係の構成モードを与える。振幅ベクトルの第3の関係および振幅ベクトルの第4の関係は、コードブック内の異なるコードブックベクトル間の関係を与える。第2のネットワークデバイスは、チャネル条件に従って異なる振幅ベクトルを構成することができ、したがって、伝送効率が高まる。振幅ベクトルの定義は、すでに説明されており、ここでさらに説明することはしない。
【０４８５】
たとえば、コードブック集合内のコードブックM2は、
【０４８６】
【数１７９】
2018129821.tif 000193
【０４８７】
である。
【０４８８】
M2が、振幅ベクトルの第1の関係を満たす場合、
第1のコードブック内の各第1のサブベクトル
【０４８９】
【数１８０】
2018129821.tif 000194
【０４９０】
のVaにおける振幅ベクトル内の少なくとも2つの要素は不等であり、第1のコードブック内の各第2のサブベクトル
【０４９１】
【数１８１】
2018129821.tif 000195
【０４９２】
のVbにおける振幅ベクトル内の少なくとも2つの要素は不等であり、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1≠g2である。
【０４９３】
M2が、振幅ベクトルの第2の関係を満たす場合、
第1のコードブック内の各第1のサブベクトル
【０４９４】
【数１８２】
2018129821.tif 000196
【０４９５】
のVaにおける振幅ベクトル内の少なくとも2つの要素は不等であり、第1のコードブック内の各第2のサブベクトル
【０４９６】
【数１８３】
2018129821.tif 000197
【０４９７】
のVbにおける振幅ベクトル内のすべての要素は等しく、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1=g4である。
【０４９８】
M2が、振幅ベクトルの第3の関係を満たす場合、
第1のコードブック内の各第1のサブベクトル
【０４９９】
【数１８４】
2018129821.tif 000198
【０５００】
のVaにおける振幅ベクトル内のすべての要素は等しく、第1のコードブック内の各第2のサブベクトル
【０５０１】
【数１８５】
2018129821.tif 000199
【０５０２】
のVbにおける振幅ベクトル内の少なくとも2つの要素は不等であり、
a1=a2=a3=a4、b1=b2=b3=b4、c1=c2=c3=c4、d1≠d2、およびg1≠g2である。
【０５０３】
M2が、振幅ベクトルの第4の関係を満たす場合、
第1のコードブック内のすべての第1のサブベクトル
【０５０４】
【数１８６】
2018129821.tif 000200
【０５０５】
のVaにおける振幅ベクトルによって形成されるベクトル集合内の少なくとも2つの振幅ベクトルは異なり、
M2におけるすべての対応する第1のサブベクトル
【０５０６】
【数１８７】
2018129821.tif 000201
【０５０７】
のVaにおける振幅ベクトルは、
【０５０８】
【数１８８】
2018129821.tif 000202
【０５０９】
であり、
【０５１０】
【数１８９】
2018129821.tif 000203
【０５１１】
のうちの少なくとも2つのベクトルは異なる。
【０５１２】
振幅ベクトルの第5の関係は、
第1のコードブック内のすべての第2のサブベクトル
【０５１３】
【数１９０】
2018129821.tif 000204
【０５１４】
のVbにおける振幅ベクトルによって形成されるベクトル集合内の少なくとも2つの振幅ベクトルが異なるというものである。
【０５１５】
この場合、M2におけるすべての対応する第2のサブベクトル
【０５１６】
【数１９１】
2018129821.tif 000205
【０５１７】
のVbにおける振幅ベクトルは、
【０５１８】
【数１９２】
2018129821.tif 000206
【０５１９】
であり、
【０５２０】
【数１９３】
2018129821.tif 000207
【０５２１】
は不等である。
【０５２２】
本発明では、Vaにおける振幅ベクトルは、Vaの振幅部分によって形成されるベクトルを指し、Vbにおける振幅ベクトルは、Vbの振幅部分によって形成されるベクトルを指す。たとえば、以下のようになる。
Va部分が
【０５２３】
【数１９４】
2018129821.tif 000208
【０５２４】
である場合、Vaにおける振幅ベクトルは、
【０５２５】
【数１９５】
2018129821.tif 000209
【０５２６】
であり、
Vb部分が
【０５２７】
【数１９６】
2018129821.tif 000210
【０５２８】
である場合、Vbにおける振幅ベクトルは、
【０５２９】
【数１９７】
2018129821.tif 000211
【０５３０】
である。
【０５３１】
図7は、本発明による方法実施形態のフローチャートを示しており、これは特に次のとおりである。
【０５３２】
ステップ201:参照信号を第1のネットワークデバイスに送信し、参照信号は、測定を実行して測定結果を取得するために第1のネットワークデバイスによって使用される。
【０５３３】
ステップ202:第1のネットワークデバイスによって送信されたコードブックインデックスを受信し、コードブックインデックスは、第1のネットワークデバイスにより第1のコードブック集合において決定された第1のコードブックに対応し、コードブックインデックスは、測定結果に従って第1のネットワークデバイスによって決定される。
【０５３４】
ステップ203:コードブックインデックスに従って、第1のネットワークデバイスにより第1のコードブック集合において決定された第1のコードブックを決定する。
【０５３５】
第1のコードブック集合は、少なくとも2つの第1のコードブックを含む。各第1のコードブックのサブベクトルWxは、ゼロベクトルと非ゼロベクトルによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである。
【０５３６】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、固定された垂直方向の傾きを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信強度に従って独立して構成されるものとしてよく、したがって柔軟性およびMIMOのパフォーマンスが改善される。
【０５３７】
本発明の一実施形態において、アンテナポートが垂直方向の傾きに従ってグループ化されたときに、コードブック内のコードブックベクトルのパラメータは、異なる傾きに従って独立して構成されるものとしてよく、したがって、データ伝送効率に柔軟に適応するという目的が達成される。この実施形態において、垂直方向の2つの傾きは、一例として使用されている(この方法は、2つよりも多い傾きにも適用可能である)。第1のコードブック内の各列において、アンテナポートの1つのグループは、非ゼロベクトルに対応し、アンテナポートの別のグループは、ゼロベクトルに対応するか、またはアンテナポートの1つのグループは、ゼロベクトルに対応し、アンテナポートの別のグループは、非ゼロベクトルに対応し、非ゼロベクトルとは、少なくとも1つの要素が非ゼロ要素であるベクトルのことであり、ゼロベクトルとは、すべての要素がゼロ要素であるベクトルのことである。本発明では、コードブックに含まれるベクトル内の第1のn1個の要素がアンテナポートの1つのグループに対応し、最後のn2個の要素がアンテナポートの別のグループに対応するときに、このベクトルの構造は
【０５３８】
【数１９８】
2018129821.tif 000212
【０５３９】
であり、V1はn1次元であり、V2はn2次元である。この場合、各第1のコードブックは、第1の構造を有する少なくとも1つの第1のサブベクトル
【０５４０】
【数１９９】
2018129821.tif 000213
【０５４１】
および/または第2の構造を有する少なくとも1つの第2のサブベクトル
【０５４２】
【数２００】
2018129821.tif 000214
【０５４３】
を含み、
【０５４４】
【数２０１】
2018129821.tif 000215
【０５４５】
の中のVaは、n1次元の非ゼロベクトルであり、アンテナポートの第1のグループに対応し、
【０５４６】
【数２０２】
2018129821.tif 000216
【０５４７】
の中の0は、n2次元のゼロベクトルを表し、アンテナポートの第2のグループに対応し、
【０５４８】
【数２０３】
2018129821.tif 000217
【０５４９】
の中のVbは、n2次元の非ゼロベクトルであり、アンテナポートの第2のグループに対応し、
【０５５０】
【数２０４】
2018129821.tif 000218
【０５５１】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルト角度または信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【０５５２】
第1のコードブックの中のサブベクトルの構造は、限定はしないが、前述の第1の構造または第2の構造であり得ることが理解されるであろう。適宜、第1のコードブック内のゼロベクトルおよび非ゼロベクトルのサブベクトルのロケーションは、異なっていてもよい。本発明の一実施形態において、4つのアンテナポートがある場合、第1の構造を有する第1のサブベクトル
【０５５３】
【数２０５】
2018129821.tif 000219
【０５５４】
中のベクトル内の要素は、
【０５５５】
【数２０６】
2018129821.tif 000220
【０５５６】
として表され、第2の構造を有する第2のサブベクトル
【０５５７】
【数２０７】
2018129821.tif 000221
【０５５８】
中のベクトル内の要素は、
【０５５９】
【数２０８】
2018129821.tif 000222
【０５６０】
として表され、
【０５６１】
【数２０９】
2018129821.tif 000223
【０５６２】
は、ベクトルVa内の要素であり、
【０５６３】
【数２１０】
2018129821.tif 000224
【０５６４】
は、ベクトルVb内の要素である。本発明の別の実施形態において、アンテナポートが、2つのグループにグループ化されるときに、第1の構造は、
【０５６５】
【数２１１】
2018129821.tif 000225
【０５６６】
であってよく、第2の構造は、
【０５６７】
【数２１２】
2018129821.tif 000226
【０５６８】
であってよい。同様に、アンテナグループが、2つのグループにグループ化されるときに、本発明の別の実施形態において、第1の構造は、
【０５６９】
【数２１３】
2018129821.tif 000227
【０５７０】
であってよく、第2の構造は、
【０５７１】
【数２１４】
2018129821.tif 000228
【０５７２】
であってよい。
【０５７３】
代替的に、コードブック集合は、第1の構造
【０５７４】
【数２１５】
2018129821.tif 000229
【０５７５】
第2の構造
【０５７６】
【数２１６】
2018129821.tif 000230
【０５７７】
第3の構造
【０５７８】
【数２１７】
2018129821.tif 000231
【０５７９】
または第4の構造
【０５８０】
【数２１８】
2018129821.tif 000232
【０５８１】
のうちの少なくとも1つの構造を含む。
【０５８２】
【数２１９】
2018129821.tif 000233
【０５８３】
は、ベクトルVa内の要素であり、Vaは、アンテナポートの1つのグループに対応する。対応関係は次のとおりである。第1の構造において、
【０５８４】
【数２２０】
2018129821.tif 000234
【０５８５】
は第1のアンテナポートに対応し、
【０５８６】
【数２２１】
2018129821.tif 000235
【０５８７】
は第3のアンテナポートに対応し、第2の構造において、
【０５８８】
【数２２２】
2018129821.tif 000236
【０５８９】
は第2のアンテナポートに対応し、
【０５９０】
【数２２３】
2018129821.tif 000237
【０５９１】
は第4のアンテナポートに対応し、第3の構造において、
【０５９２】
【数２２４】
2018129821.tif 000238
【０５９３】
は第1のアンテナポートに対応し、
【０５９４】
【数２２５】
2018129821.tif 000239
【０５９５】
は第4のアンテナポートに対応し、第4の構造において、
【０５９６】
【数２２６】
2018129821.tif 000240
【０５９７】
は第2のアンテナポートに対応し、
【０５９８】
【数２２７】
2018129821.tif 000241
【０５９９】
は第3のアンテナポートに対応し、
【０６００】
【数２２８】
2018129821.tif 000242
【０６０１】
は、ベクトルVa内の要素であり、
【０６０２】
【数２２９】
2018129821.tif 000243
【０６０３】
は、ベクトルVb内の要素である。
【０６０４】
アンテナポートが、3つのグループにグループ化されるときに、第1のコードブック集合は、第1の構造
【０６０５】
【数２３０】
2018129821.tif 000244
【０６０６】
第2の構造
【０６０７】
【数２３１】
2018129821.tif 000245
【０６０８】
第3の構造
【０６０９】
【数２３２】
2018129821.tif 000246
【０６１０】
第4の構造
【０６１１】
【数２３３】
2018129821.tif 000247
【０６１２】
第5の構造
【０６１３】
【数２３４】
2018129821.tif 000248
【０６１４】
または第6の構造
【０６１５】
【数２３５】
2018129821.tif 000249
【０６１６】
のうちの少なくとも1つを含む。ベクトルVa、Vb、およびVcは各々、アンテナポートの1つのグループに対応する。
【０６１７】
本発明の一実施形態において、本発明は、第1構造およびランク指標の値に対応する第2の構造の組合せを形成する。
【０６１８】
一般的に、第1のコードブックに含まれる非ゼロベクトル内の要素は、複素数の形態をとる。複素数α・eβに対して、αは振幅部分と称され、実数であり、eβは位相部分と称される。本発明のさらに別の実施形態において、少なくとも1つの第1のコードブックは、第1の条件を満たす。本発明は、実装され得る第1の条件のいくつかの定義を与える。本発明では、断りのない限り、P、Q、およびKは、正整数である。
【０６１９】
第1の条件の第1の定義
【０６２０】
すべての第1の位相ベクトルによって形成されるベクトル集合および離散フーリエ変換行列DFT行列は第1の位相ベクトルによって形成されるベクトル集合がDFT行列の位相行列内の対応する列ベクトルの集合の部分集合であるという第1の対応関係の条件を満たし、DFT行列の位相行列の中の第P行および第Q列内の要素は、DFT行列内の第P行および第Q列内の要素の位相部分であり、第1のコードブック内のすべての第1のサブベクトル
【０６２１】
【数２３６】
2018129821.tif 000250
【０６２２】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である。
【０６２３】
離散フーリエ変換行列DFT行列の一般的な表現は、
【０６２４】
【数２３７】
2018129821.tif 000251
【０６２５】
である。
【０６２６】
DFTの位相行列は、
【０６２７】
【数２３８】
2018129821.tif 000252
【０６２８】
である。
【０６２９】
Nの値は、DFT行列が正方行列である場合の次数である。たとえば、
【０６３０】
【数２３９】
2018129821.tif 000253
【０６３１】
において、Vaが4次元である場合、DFT行列の位相行列の次数は4である。一実施形態において、ωの値は、
【０６３２】
【数２４０】
2018129821.tif 000254
【０６３３】
であり、
【０６３４】
【数２４１】
2018129821.tif 000255
【０６３５】
となる。
【０６３６】
たとえば、ωの値が、
【０６３７】
【数２４２】
2018129821.tif 000256
【０６３８】
であるときに、4次DFT行列
【０６３９】
【数２４３】
2018129821.tif 000257
【０６４０】
の形態は、
【０６４１】
【数２４４】
2018129821.tif 000258
【０６４２】
である。
【０６４３】
それに対応して、DFT行列の位相行列内の対応する列の集合は、
【０６４４】
【数２４５】
2018129821.tif 000259
【０６４５】
である。
【０６４６】
本発明では、DFTの位相行列は、必ずしも正方行列ではないことが理解される
であろう。次数に従ってより多くの列または行が選択され得る。たとえば、行列は、
【０６４７】
【数２４６】
2018129821.tif 000260
【０６４８】
であってよい。
【０６４９】
DFT行列の位相行列内の対応する列の集合は、
【０６５０】
【数２４７】
2018129821.tif 000261
【０６５１】
である。
【０６５２】
DFT行列から選択された行の数または列の数は、本発明において制限されないことが理解されるであろう。行の数は、Vaの値と少なくとも同じであるべきであり、列の数は、コードブック内の第1のベクトルの数と少なくとも同じであるべきであることが理解されるであろう。
【０６５３】
第1の条件の第2の定義
【０６５４】
すべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【０６５５】
【数２４８】
2018129821.tif 000262
【０６５６】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数であり、CMPコードブックは、各ポートに対応する層内のただ1つの層が非ゼロ要素であるコードブックを指す。
【０６５７】
すべてのCMPコードブックにおいて、列ベクトルが2次元であるCMPコードブックは次のとおりである。
【０６５８】
【表７】
2018129821.tif 000263
【０６５９】
列ベクトルが4次元であり、層の数が1であるCMPコードブックは次のとおりである。
【０６６０】
【表８】
2018129821.tif 000264
【０６６１】
列ベクトルが4次元であり、層の数が2であるCMPコードブックは次のとおりである。
【０６６２】
【表９】
2018129821.tif 000265
【０６６３】
たとえば、Table 3(表9)の中のインデックスが0であるときに、対応するCMPコードブック行列の位相行列内の対応する列ベクトルの集合の部分集合は次のとおりである。
【０６６４】
【数２４９】
2018129821.tif 000266
【０６６５】
列ベクトルが4次元であり、層の数が3であるCMPコードブックは次のとおりである。
【０６６６】
【表１０】
2018129821.tif 000267
【０６６７】
列ベクトルが4次元であり、層の数が4であるCMPコードブックは次のとおりである。
【０６６８】
【表１１】
2018129821.tif 000268
【０６６９】
第1の条件の第3の定義
【０６７０】
すべての第3の位相ベクトルによって形成されるベクトル集合は、ハウスホルダーHouseholder変換コードブック内の対応するサブベクトルによって形成される集合の部分集合であり、householder変換式は
【０６７１】
【数２５０】
2018129821.tif 000269
【０６７２】
である。
【０６７３】
第1のコードブック内のすべての第1のサブベクトル
【０６７４】
【数２５１】
2018129821.tif 000270
【０６７５】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【０６７６】
たとえば、第3の位相ベクトルは、Table 6(表12)の層の異なる数および異なるコードブックインデックスに対応する特定の行列内の
【０６７７】
【数２５２】
2018129821.tif 000271
【０６７８】
の位相部分によって形成される集合の部分集合である。インデックスは、異なるコードブックインデックスに対応する。{αi}は、整数集合に対応し、
【０６７９】
【数２５３】
2018129821.tif 000272
【０６８０】
内の異なる列が第3の位相ベクトルとして選択されることを示すために使用される。Table 6(表12)において、Unはhouseholder変換における対応するUnであり、Iは単位行列である。
【０６８１】
本発明において、Vaの値は、第1の条件の第1の定義、第1の条件の第2の定義、および第1の条件の第3の定義に示されている場合または関係にのみ限定されないことが理解されるであろう。コードブックは、さらには、LTEにおいて2本のアンテナ、4本のアンテナ、または8本のアンテナについて定義されているコードブックであってよい。
【０６８２】
【表１２】
2018129821.tif 000273
【０６８３】
本発明のさらに別の実施形態において、少なくとも1つの第1のコードブックは、第2の条件を満たす。本発明は、実装され得る第2の条件のいくつかの定義を与える。
【０６８４】
第2の条件の第1の定義
【０６８５】
すべての第4の位相ベクトルによって形成されるベクトル集合および離散フーリエ変換行列DFT行列は、第4の位相ベクトルによって形成されるベクトル集合がDFT行列の位相行列内の対応する列ベクトルの集合の部分集合であるという第3の対応関係の条件を満たし、DFT行列の位相行列の中の第P行および第Q列内の要素は、DFT行列内の第P行および第Q列内の要素の位相部分であり、第1のコードブック内のすべての第2のサブベクトル
【０６８６】
【数２５４】
2018129821.tif 000274
【０６８７】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である。
【０６８８】
第2の条件の第2の定義
【０６８９】
すべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【０６９０】
【数２５５】
2018129821.tif 000275
【０６９１】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である。
【０６９２】
第2の条件の第3の定義
【０６９３】
すべての第6の位相ベクトルによって形成されるベクトル集合は、householder変換コードブック内の対応するサブベクトルによって形成される集合であり、第1のコードブック内のすべての第2のサブベクトル
【０６９４】
【数２５６】
2018129821.tif 000276
【０６９５】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０６９６】
本発明において、Vbの値は、第2の条件の第1の定義、第2の条件の第2の定義、および第2の条件の第3の定義に示されている場合または関係にのみ限定されないことが理解されるであろう。本発明では、第2の条件により対応関係を保護するために、第4の位相ベクトルと異なるパラメータによって形成される異なるDFT行列との間の関係、第5の位相ベクトルとCMPコードブック集合との間の関係、および第6の位相ベクトルとhouseholder変換を通じて異なる元のベクトルによって形成されるhouseholderコードブックとの間の関係を要求する。
【０６９７】
非依存性により、一コードブックにおいて、第1のコードブックが第1の条件の定義を満たしているときに、第2のコードブックは第2の条件の定義を満たし得ることが理解されるであろう。たとえば、第1のコードブックにおいて、第1の位相ベクトルによって形成されるベクトル集合がDFT行列の位相行列内の対応する列ベクトルの集合の部分集合であるという条件が満たされ、第2のコードブックにおいて、第5の位相ベクトルによって形成されるベクトル集合がCMPコードブック行列の位相行列内の対応する列ベクトルの集合の部分集合であるという条件、またはそれらの任意の組合せが満たされる。
【０６９８】
本発明のさらに別の実施形態において、少なくとも1つの第1のコードブックは、第3の条件を満たす。
【０６９９】
{Vm}に対応するすべての第1の振幅ベクトルにおいて、少なくとも1つの第1の振幅ベクトルは{Vn}に対応するすべての第2の振幅ベクトルと異なり、および/または{Vn}に対応するすべての第2の振幅ベクトルにおいて、少なくとも1つの第2の振幅ベクトルは{Vm}に対応するすべての第1の振幅ベクトルと異なる。第1のコードブック内のすべての第1のサブベクトル
【０７００】
【数２５７】
2018129821.tif 000277
【０７０１】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０７０２】
【数２５８】
2018129821.tif 000278
【０７０３】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの異なる対応する電力を表す。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【０７０４】
適宜、ステップ202において、第1のコードブック集合は、第1のコードブックが選択される前に取得される。本発明の一実施形態において、第1のコードブック集合は、第1のネットワークデバイスに事前に記憶され得るか、または第2のネットワークデバイスまたは別の装置によって第1のネットワークデバイスに配信され得る。
【０７０５】
適宜、少なくとも1つの第1の構成メッセージが、第1のネットワークデバイスに送信され、各第1の構成メッセージは、アンテナポートの1つのグループに対応する位相部分のサブベクトル集合を決定するために使用され、少なくとも1つの第1の構成メッセージの数は、アンテナポートのグループの数に等しい、および/または
参照信号は、第1の構成メッセージを示すためにさらに使用され、および/または参照信号は、第2の構成メッセージを示すためにさらに使用され、それにより、第1のネットワークデバイスは、参照信号に従って第1の構成メッセージおよびまたは第2の構成メッセージを取得する。
【０７０６】
一実施形態において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
別の実施形態では、第1の構成メッセージが受信され、および/または第2の構成メッセージが受信され、第1の構成メッセージは、参照信号を測定することにより第1のネットワークデバイスによって取得され、および/または第2の構成メッセージは、参照信号を測定することにより第1のネットワークデバイスによって取得される。
【０７０７】
一実施形態において、本発明は、第1の構造および第2の構造を有するコードブック集合の可能な場合を与える。本発明が保護することを要求する第1のコードブックは、限定はしないが、次の構造であってよい。
1.第1のコードブックは、行列
【０７０８】
【数２５９】
2018129821.tif 000279
【０７０９】
のうちの1つであり、ランク指標の値は1であり、Va(x)によって表される非ゼロサブベクトルは、第1のベクトル集合{Vm}内のサブベクトルであり、順序番号xを有し、Vb(y)によって表される非ゼロサブベクトルは、第1のベクトル集合{Vn}内のサブベクトルであり、順序番号yを有し、0<i≦N1、および0<i'≦N1であり、N1は{Vm}内のサブベクトルの数を表し、N1'は{Vn}内のサブベクトルの数を表す、または
2.第1のコードブックは、行列
【０７１０】
【数２６０】
2018129821.tif 000280
【０７１１】
のうちの1つであり、ランク指標の値は2であり、0<i≦N1、0<i'≦N1、0<j≦N1、および0<j'≦N1である、または
3.第1のコードブックは、行列
【０７１２】
【数２６１】
2018129821.tif 000281
【０７１３】
のうちの1つであり、ランク指標の値は3であり、0<i≦N1、0<i'≦N1、0<j≦N1、0<j'≦N1、0<k≦N1、および0<k'≦N1である、または
3.第1のコードブックは、行列
【０７１４】
【数２６２】
2018129821.tif 000282
【０７１５】
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
5.第1のコードブックは、行列
【０７１６】
【数２６３】
2018129821.tif 000283
【０７１７】
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
6.第1のコードブックは、行列
【０７１８】
【数２６４Ａ】
2018129821.tif 000284
【数２６４Ｂ】
2018129821.tif 000285
【数２６４Ｃ】
2018129821.tif 000286
【０７１９】
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
7.第1のコードブックは、行列
【０７２０】
【数２６５Ａ】
2018129821.tif 000287
【数２６５Ｂ】
2018129821.tif 000288
【０７２１】
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
8.第1のコードブックは、行列
【０７２２】
【数２６６Ａ】
2018129821.tif 000289
【数２６６Ｂ】
2018129821.tif 000290
【数２６６Ｃ】
2018129821.tif 000291
【数２６６Ｄ】
2018129821.tif 000292
【０７２３】
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、Va部分に対応するサブベクトルが2つおきに不等であり、i'、j'、k'、l'、m'、n'、p'、q'、および同様のもののパラメータについて、Vb部分に対応するサブベクトルが2つおきに不等である。
【０７２４】
第1のコードブック集合に含まれる第1のコードブックの例示されている可能な形態において、i、j、k、l、m、n、p、およびqは、異なるコードブックベクトルを区別するためだけのものであることが理解されるであろう。
【０７２５】
さらに、本発明の一実施形態において、各第1のコードブック内のすべての第1のサブベクトル
【０７２６】
【数２６７】
2018129821.tif 000293
【０７２７】
のVa部分はサブベクトル集合{VK}を形成し、各第1のコードブック内のすべての第2のサブベクトル
【０７２８】
【数２６８】
2018129821.tif 000294
【０７２９】
のVb部分はサブベクトル集合{VL}を形成し、同じ第1のコードブック内の対応する{VK}および{VL}は第4の条件を満たし、第4の条件は、
{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。集合の概念によれば、{Vk'}の次元の数および{VL'}の次元の数が不等であるときに、{Vk'}≠{VL'}が成り立ち、{Vk'}の次元の数および{VL'}の次元の数が等しいが、{Vk'}に含まれるサブベクトルの数および{VL'}に含まれるサブベクトルの数が不等であるときに、{Vk'}≠{VL'}が成り立つか、または{Vk'}の次元の数および{VL'}の次元の数が等しく、{Vk'}に含まれるサブベクトルの数および{VL'}に含まれるサブベクトルの数が等しいが、{Vk'}に含まれるサブベクトルは{VL'}に含まれるサブベクトルと異なるときにも、{Vk'}≠{VL'}が成り立つ。
【０７３０】
本発明の別の実施形態において、RIの値が1よりも大きいときに、各第1のコードブック内のすべての第1のサブベクトル
【０７３１】
【数２６９】
2018129821.tif 000295
【０７３２】
のVa部分はサブベクトル集合{VM}を形成し、各第1のコードブック内のすべての第2のサブベクトル
【０７３３】
【数２７０】
2018129821.tif 000296
【０７３４】
のVb部分はサブベクトル集合{VN}を形成し、同じ第1のコードブック内の対応する{VM}および{VN}は第5の条件を満たし、第5の条件は、
{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。集合の概念によれば、{VM'}の次元の数および{VN'}の次元の数が不等であるときに、{VM'}≠{VN'}が成り立ち、{VM'}の次元の数および{VN'}の次元の数が等しいが、{VM'}に含まれるサブベクトルの数および{VN'}に含まれるサブベクトルの数が不等であるときに、{VM'}≠{VN'}が成り立つか、または{VM'}の次元の数および{VN'}の次元の数が等しく、{VM'}に含まれるサブベクトルの数および{VN'}に含まれるサブベクトルの数が等しいが、{VM'}に含まれるサブベクトルは{VN'}に含まれるサブベクトルと異なるときにも、{VM'}≠{VN'}が成り立つ。
【０７３５】
前述の実施形態において、{Vk'}≠{VL'}および/または{VM'}≠{VN'}関係を成り立たせる第1のコードブックでは、第1の構造および第2の構造の柔軟な構成が実装され、コードブックは、チャネルとよりよくマッチする。
【０７３６】
次に、
【０７３７】
【数２７１】
2018129821.tif 000297
【０７３８】
にそれぞれ対応する振幅ベクトルの関係を提示する。振幅ベクトルの第1の関係、振幅ベクトルの第2の関係、および振幅ベクトルの第3の関係は各々、各サブベクトルに含まれる要素間の関係の構成モードを与える。振幅ベクトルの第3の関係および振幅ベクトルの第4の関係は、コードブック内の異なるコードブックベクトル間の関係を与える。第2のネットワークデバイスは、チャネル条件に従って異なる振幅ベクトルを構成することができ、したがって、伝送効率が高まる。振幅ベクトルの定義は、すでに説明されており、ここでさらに説明することはしない。
【０７３９】
たとえば、コードブック集合内のコードブックM2は、
【０７４０】
【数２７２】
2018129821.tif 000298
【０７４１】
である。
【０７４２】
M2が、振幅ベクトルの第1の関係を満たす場合、
第1のコードブック内の各第1のサブベクトル
【０７４３】
【数２７３】
2018129821.tif 000299
【０７４４】
のVaにおける振幅ベクトル内の少なくとも2つの要素は不等であり、第1のコードブック内の各第2のサブベクトル
【０７４５】
【数２７４】
2018129821.tif 000300
【０７４６】
のVbにおける振幅ベクトル内の少なくとも2つの要素は不等であり、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1≠g2である。
【０７４７】
M2が、振幅ベクトルの第2の関係を満たす場合、
第1のコードブック内の各第1のサブベクトル
【０７４８】
【数２７５】
2018129821.tif 000301
【０７４９】
のVaにおける振幅ベクトル内の少なくとも2つの要素は不等であり、第1のコードブック内の各第2のサブベクトル
【０７５０】
【数２７６】
2018129821.tif 000302
【０７５１】
のVbにおける振幅ベクトル内のすべての要素は等しく、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1=g4である。
【０７５２】
M2が、振幅ベクトルの第3の関係を満たす場合、
第1のコードブック内の各第1のサブベクトル
【０７５３】
【数２７７】
2018129821.tif 000303
【０７５４】
のVaにおける振幅ベクトル内のすべての要素は等しく、第1のコードブック内の各第2のサブベクトル
【０７５５】
【数２７８】
2018129821.tif 000304
【０７５６】
のVbにおける振幅ベクトル内の少なくとも2つの要素は不等であり、
a1=a2=a3=a4、b1=b2=b3=b4、c1=c2=c3=c4、d1≠d2、およびg1≠g2である。
【０７５７】
M2が、振幅ベクトルの第4の関係を満たす場合、
第1のコードブック内のすべての第1のサブベクトル
【０７５８】
【数２７９】
2018129821.tif 000305
【０７５９】
のVaにおける振幅ベクトルによって形成されるベクトル集合内の少なくとも2つの振幅ベクトルは異なり、
M2におけるすべての対応する第1のサブベクトル
【０７６０】
【数２８０】
2018129821.tif 000306
【０７６１】
のVaにおける振幅ベクトルは、
【０７６２】
【数２８１】
2018129821.tif 000307
【０７６３】
であり、
【０７６４】
【数２８２】
2018129821.tif 000308
【０７６５】
のうちの少なくとも2つのベクトルは異なる。
【０７６６】
振幅ベクトルの第5の関係は、
第1のコードブック内のすべての第2のサブベクトル
【０７６７】
【数２８３】
2018129821.tif 000309
【０７６８】
のVbにおける振幅ベクトルによって形成されるベクトル集合内の少なくとも2つの振幅ベクトルは異なる。
【０７６９】
この場合、M2におけるすべての対応する第2のサブベクトル
【０７７０】
【数２８４】
2018129821.tif 000310
【０７７１】
のVbにおける振幅ベクトルは、
【０７７２】
【数２８５】
2018129821.tif 000311
【０７７３】
であり、
【０７７４】
【数２８６】
2018129821.tif 000312
【０７７５】
は不等である。
【０７７６】
図8は、本発明による第1のネットワーク側装置の一実施形態を示しており、第1のネットワーク側装置は、
参照信号を受信するように構成されている第1の受信ユニット301と、
参照信号を測定して測定結果を取得するように構成されている測定ユニット302と、
測定結果に従って第1のコードブック集合から第1のコードブックを選択するように構成されている選択ユニット303であって、
第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、選択ユニット303と、
コードブックインデックスを第2のネットワークデバイスに送信するように構成されている送信ユニット304であって、コードブックインデックスは、第1のコードブック集合から選択された第1のコードブックに対応する、送信ユニット304とを備える。
【０７７７】
さらに、コードブックインデックスは、符号化および/または復号プロセスにおいて第2のネットワークデバイスによって使用される第1のコードブックを示すために使用される。
【０７７８】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、固定された垂直方向の傾きを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信強度に従って独立して構成されるものとしてよく、したがって柔軟性およびMIMOのパフォーマンスが改善される。
【０７７９】
本発明の一実施形態において、アンテナポートが垂直方向の傾きに従ってグループ化されたときに、コードブック内のコードブックベクトルのパラメータは、異なる傾きに従って独立して構成されるものとしてよく、したがって、データ伝送効率に柔軟に適応するという目的が達成される。この実施形態において、垂直方向の2つの傾きは、一例として使用されている(この方法は、2つよりも多い傾きにも適用可能である)。第1のコードブック内の各列において、アンテナポートの1つのグループは、非ゼロベクトルに対応し、アンテナポートの別のグループは、ゼロベクトルに対応するか、またはアンテナポートの1つのグループは、ゼロベクトルに対応し、アンテナポートの別のグループは、非ゼロベクトルに対応し、非ゼロベクトルとは、少なくとも1つの要素が非ゼロ要素であるベクトルのことであり、ゼロベクトルとは、すべての要素がゼロ要素であるベクトルのことである。本発明では、コードブックに含まれるベクトル内の第1のn1個の要素がアンテナポートの1つのグループに対応し、最後のn2個の要素がアンテナポートの別のグループに対応するときに、このベクトルの構造は
【０７８０】
【数２８７】
2018129821.tif 000313
【０７８１】
であり、V1はn1次元であり、V2はn2次元である。この場合、各第1のコードブックは、第1の構造を有する少なくとも1つの第1のサブベクトル
【０７８２】
【数２８８】
2018129821.tif 000314
【０７８３】
および/または第2の構造を有する少なくとも1つの第2のサブベクトル
【０７８４】
【数２８９】
2018129821.tif 000315
【０７８５】
を含み、
【０７８６】
【数２９０】
2018129821.tif 000316
【０７８７】
の中のVaは、n1次元の非ゼロベクトルであり、アンテナポートの第1のグループに対応し、
【０７８８】
【数２９１】
2018129821.tif 000317
【０７８９】
の中の0は、n2次元のゼロベクトルを表し、アンテナポートの第2のグループに対応し、
【０７９０】
【数２９２】
2018129821.tif 000318
【０７９１】
の中のVbは、n2次元の非ゼロベクトルであり、アンテナポートの第2のグループに対応し、
【０７９２】
【数２９３】
2018129821.tif 000319
【０７９３】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルト角度または信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【０７９４】
第1のコードブックの中のサブベクトルの構造は、限定はしないが、前述の第1の構造または第2の構造であり得ることが理解されるであろう。適宜、第1のコードブック内のゼロベクトルおよび非ゼロベクトルのサブベクトルのロケーションは、異なっていてもよい。本発明の一実施形態において、4つのアンテナポートがある場合、第1の構造を有する第1のサブベクトル
【０７９５】
【数２９４】
2018129821.tif 000320
【０７９６】
中のベクトル内の要素は、
【０７９７】
【数２９５】
2018129821.tif 000321
【０７９８】
として表され、第2の構造を有する第2のサブベクトル
【０７９９】
【数２９６】
2018129821.tif 000322
【０８００】
中のベクトル内の要素は、
【０８０１】
【数２９７】
2018129821.tif 000323
【０８０２】
として表され、
【０８０３】
【数２９８】
2018129821.tif 000324
【０８０４】
は、ベクトルVa内の要素であり、
【０８０５】
【数２９９】
2018129821.tif 000325
【０８０６】
は、ベクトルVb内の要素である。本発明の別の実施形態において、アンテナポートが、2つのグループにグループ化されるときに、第1の構造は、
【０８０７】
【数３００】
2018129821.tif 000326
【０８０８】
であってよく、第2の構造は、
【０８０９】
【数３０１】
2018129821.tif 000327
【０８１０】
であってよい。同様に、アンテナグループが、2つのグループにグループ化されるときに、本発明の別の実施形態において、第1の構造は、
【０８１１】
【数３０２】
2018129821.tif 000328
【０８１２】
であってよく、第2の構造は、
【０８１３】
【数３０３】
2018129821.tif 000329
【０８１４】
であってよい。
【０８１５】
代替的に、コードブック集合は、第1の構造
【０８１６】
【数３０４】
2018129821.tif 000330
【０８１７】
第2の構造
【０８１８】
【数３０５】
2018129821.tif 000331
【０８１９】
第3の構造
【０８２０】
【数３０６】
2018129821.tif 000332
【０８２１】
または第4の構造
【０８２２】
【数３０７】
2018129821.tif 000333
【０８２３】
のうちの少なくとも1つの構造を含む。
【０８２４】
【数３０８】
2018129821.tif 000334
【０８２５】
は、ベクトルVa内の要素であり、Vaは、アンテナポートの1つのグループに対応する。対応関係は次のとおりである。第1の構造において、
【０８２６】
【数３０９】
2018129821.tif 000335
【０８２７】
は第1のアンテナポートに対応し、
【０８２８】
【数３１０】
2018129821.tif 000336
【０８２９】
は第3のアンテナポートに対応し、第2の構造において、
【０８３０】
【数３１１】
2018129821.tif 000337
【０８３１】
は第2のアンテナポートに対応し、
【０８３２】
【数３１２】
2018129821.tif 000338
【０８３３】
は第4のアンテナポートに対応し、第3の構造において、
【０８３４】
【数３１３】
2018129821.tif 000339
【０８３５】
は第1のアンテナポートに対応し、
【０８３６】
【数３１４】
2018129821.tif 000340
【０８３７】
は第4のアンテナポートに対応し、第4の構造において、
【０８３８】
【数３１５】
2018129821.tif 000341
【０８３９】
は第2のアンテナポートに対応し、
【０８４０】
【数３１６】
2018129821.tif 000342
【０８４１】
は第3のアンテナポートに対応し、
【０８４２】
【数３１７】
2018129821.tif 000343
【０８４３】
は、ベクトルVa内の要素であり、
【０８４４】
【数３１８】
2018129821.tif 000344
【０８４５】
は、ベクトルVb内の要素である。
【０８４６】
アンテナポートが、3つのグループにグループ化されるときに、第1のコードブック集合は、第1の構造
【０８４７】
【数３１９】
2018129821.tif 000345
【０８４８】
第2の構造
【０８４９】
【数３２０】
2018129821.tif 000346
【０８５０】
第3の構造
【０８５１】
【数３２１】
2018129821.tif 000347
【０８５２】
第4の構造
【０８５３】
【数３２２】
2018129821.tif 000348
【０８５４】
第5の構造
【０８５５】
【数３２３】
2018129821.tif 000349
【０８５６】
または第6の構造
【０８５７】
【数３２４】
2018129821.tif 000350
【０８５８】
のうちの少なくとも1つを含む。ベクトルVa、Vb、およびVcは各々、アンテナポートの1つのグループに対応する。
【０８５９】
本発明の一実施形態において、本発明は、第1の構造およびランク指標の値に対応する第2の構造の組合せを形成する。
【０８６０】
一般的に、第1のコードブックに含まれる非ゼロベクトル内の要素は、複素数の形態をとる。複素数α・eβに対して、αは振幅部分と称され、実数であり、eβは位相部分と称される。本発明のさらに別の実施形態において、少なくとも1つの第1のコードブックは、第1の条件を満たす。本発明は、実装され得る第1の条件のいくつかの定義を与える。本発明では、断りのない限り、P、Q、およびKは、正整数である。
【０８６１】
第1の条件の第1の定義
【０８６２】
すべての第1の位相ベクトルによって形成されるベクトル集合および離散フーリエ変換行列DFT行列は第1の位相ベクトルによって形成されるベクトル集合がDFT行列の位相行列内の対応する列ベクトルの集合の部分集合であるという第1の対応関係の条件を満たし、DFT行列の位相行列の中の第P行および第Q列内の要素は、DFT行列内の第P行および第Q列内の要素の位相部分であり、第1のコードブック内のすべての第1のサブベクトル
【０８６３】
【数３２５】
2018129821.tif 000351
【０８６４】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である。
【０８６５】
離散フーリエ変換行列DFT行列の一般的な表現は、
【０８６６】
【数３２６】
2018129821.tif 000352
【０８６７】
である。
【０８６８】
DFTの位相行列は、
【０８６９】
【数３２７】
2018129821.tif 000353
【０８７０】
である。
【０８７１】
Nの値は、DFT行列が正方行列である場合の次数である。たとえば、
【０８７２】
【数３２８】
2018129821.tif 000354
【０８７３】
において、Vaが4次元である場合、DFT行列の位相行列の次数は4である。一実施形態において、ωの値は、
【０８７４】
【数３２９】
2018129821.tif 000355
【０８７５】
であり、
【０８７６】
【数３３０】
2018129821.tif 000356
【０８７７】
となる。
【０８７８】
たとえば、ωの値が、
【０８７９】
【数３３１】
2018129821.tif 000357
【０８８０】
であるときに、4次DFT行列
【０８８１】
【数３３２】
2018129821.tif 000358
【０８８２】
の形態は、
【０８８３】
【数３３３】
2018129821.tif 000359
【０８８４】
である。
【０８８５】
それに対応して、DFT行列の位相行列内の対応する列の集合は、
【０８８６】
【数３３４】
2018129821.tif 000360
【０８８７】
である。
【０８８８】
本発明では、DFTの位相行列は、必ずしも正方行列ではないことが理解されるであろう。次数に従ってより多くの列または行が選択され得る。たとえば、行列は、
【０８８９】
【数３３５】
2018129821.tif 000361
【０８９０】
であってよい。
【０８９１】
DFT行列の位相行列内の対応する列の集合は、
【０８９２】
【数３３６】
2018129821.tif 000362
【０８９３】
である。
【０８９４】
DFT行列から選択された行の数または列の数は、本明細書において制限されないことが理解されるであろう。行の数は、Vaの値と少なくとも同じであるべきであり、列の数は、コードブック内の第1のベクトルの数と少なくとも同じであるべきであることが理解されるであろう。
【０８９５】
第1の条件の第2の定義
【０８９６】
すべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【０８９７】
【数３３７】
2018129821.tif 000363
【０８９８】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数であり、CMPコードブックは、各ポートに対応する層内のただ1つの層が非ゼロ要素であるコードブックを指す。
【０８９９】
すべてのCMPコードブックにおいて、列ベクトルが2次元であるCMPコードブックは次のとおりである。
【０９００】
【表１３】
2018129821.tif 000364
【０９０１】
列ベクトルが4次元であり、層の数が1であるCMPコードブックは次のとおりである。
【０９０２】
【表１４】
2018129821.tif 000365
【０９０３】
列ベクトルが4次元であり、層の数が2であるCMPコードブックは次のとおりである。
【０９０４】
【表１５】
2018129821.tif 000366
【０９０５】
たとえば、Table 3(表15)の中のインデックスが0であるときに、対応するCMPコードブック行列の位相行列内の対応する列ベクトルの集合の部分集合は次のとおりである。
【０９０６】
【数３３８】
2018129821.tif 000367
【０９０７】
列ベクトルが4次元であり、層の数が3であるCMPコードブックは次のとおりである。
【０９０８】
【表１６】
2018129821.tif 000368
【０９０９】
列ベクトルが4次元であり、層の数が4であるCMPコードブックは次のとおりである。
【０９１０】
【表１７】
2018129821.tif 000369
【０９１１】
第1の条件の第3の定義
【０９１２】
すべての第3の位相ベクトルによって形成されるベクトル集合は、ハウスホルダーHouseholder変換コードブック内の対応するサブベクトルによって形成される集合の部分集合であり、householder変換式は
【０９１３】
【数３３９】
2018129821.tif 000370
【０９１４】
である。
【０９１５】
第1のコードブック内のすべての第1のサブベクトル
【０９１６】
【数３４０】
2018129821.tif 000371
【０９１７】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【０９１８】
たとえば、第3の位相ベクトルは、Table 6(表18)の層の異なる数および異なるコードブックインデックスに対応する特定の行列内の
【０９１９】
【数３４１】
2018129821.tif 000372
【０９２０】
の位相部分によって形成される集合の部分集合である。インデックスは、異なるコードブックインデックスに対応する。{αi}は、整数集合に対応し、
【０９２１】
【数３４２】
2018129821.tif 000373
【０９２２】
内の異なる列が第3の位相ベクトルとして選択されることを示すために使用される。Table 6(表18)において、Unはhouseholder変換における対応するUnであり、Iは単位行列である。
【０９２３】
本発明において、Vaの値は、第1の条件の第1の定義、第1の条件の第2の定義、および第1の条件の第3の定義に示されている場合または関係にのみ限定されないことが理解されるであろう。コードブックは、さらには、LTEにおいて2本のアンテナ、4本のアンテナ、または8本のアンテナについて定義されているコードブックであってよい。
【０９２４】
【表１８】
2018129821.tif 000374
【０９２５】
本発明のさらに別の実施形態において、少なくとも1つの第1のコードブックは、第2の条件を満たす。本発明は、実装され得る第2の条件のいくつかの定義を与える。
【０９２６】
第2の条件の第1の定義
【０９２７】
すべての第4の位相ベクトルによって形成されるベクトル集合および離散フーリエ変換行列DFT行列は、第4の位相ベクトルによって形成されるベクトル集合がDFT行列の位相行列内の対応する列ベクトルの集合の部分集合であるという第3の対応関係の条件を満たし、DFT行列の位相行列の中の第P行および第Q列内の要素は、DFT行列内の第P行および第Q列内の要素の位相部分であり、第1のコードブック内のすべての第2のサブベクトル
【０９２８】
【数３４３】
2018129821.tif 000375
【０９２９】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である。
【０９３０】
第2の条件の第2の定義
【０９３１】
すべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【０９３２】
【数３４４】
2018129821.tif 000376
【０９３３】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である。
【０９３４】
第2の条件の第3の定義
【０９３５】
すべての第6の位相ベクトルによって形成されるベクトル集合は、householder変換コードブック内の対応するサブベクトルによって形成される集合であり、第1のコードブック内のすべての第2のサブベクトル
【０９３６】
【数３４５】
2018129821.tif 000377
【０９３７】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【０９３８】
本発明において、Vbの値は、第2の条件の第1の定義、第2の条件の第2の定義、および第2の条件の第3の定義に示されている場合または関係にのみ限定されないことが理解されるであろう。本発明では、第2の条件により対応関係を保護するために、第4の位相ベクトルと異なるパラメータによって形成される異なるDFT行列との間の関係、第5の位相ベクトルとCMPコードブック集合との間の関係、および第6の位相ベクトルとhouseholder変換を通じて異なる元のベクトルによって形成されるhouseholderコードブックとの間の関係を要求する。
【０９３９】
非依存性により、一コードブックにおいて、第1のコードブックが第1の条件の定義を満たしているときに、第2のコードブックは第2の条件の定義を満たし得ることが理解されるであろう。たとえば、第1のコードブックにおいて、第1の位相ベクトルによって形成されるベクトル集合がDFT行列の位相行列内の対応する列ベクトルの集合の部分集合であるという条件が満たされ、第2のコードブックにおいて、第5の位相ベクトルによって形成されるベクトル集合がCMPコードブック行列の位相行列内の対応する列ベクトルの集合の部分集合であるという条件、またはそれらの任意の組合せが満たされる。
【０９４０】
本発明のさらに別の実施形態において、少なくとも1つの第1のコードブックは、第3の条件を満たす。
【０９４１】
{Vm}に対応するすべての第1の振幅ベクトルにおいて、少なくとも1つの第1の振幅ベクトルは{Vn}に対応するすべての第2の振幅ベクトルと異なり、および/または{Vn}に対応するすべての第2の振幅ベクトルにおいて、少なくとも1つの第2の振幅ベクトルは{Vm}に対応するすべての第1の振幅ベクトルと異なる。第1のコードブック内のすべての第1のサブベクトル
【０９４２】
【数３４６】
2018129821.tif 000378
【０９４３】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【０９４４】
【数３４７】
2018129821.tif 000379
【０９４５】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの異なる対応する電力を表す。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【０９４６】
本発明の一実施形態において、図9は、第1のコードブックが選択される前に第1のコードブック集合を取得するように構成されている第3の取得ユニット305をさらに示している。本発明の別の実施形態において、図10は、第1のネットワークデバイスに第1のコードブック集合を事前記憶し、送信ユニット304または別の装置を使用することによって第1のコードブック集合を第1のネットワークデバイスに配信するように構成されているメモリ306を示している。
【０９４７】
適宜、図11は、少なくとも1つの第1の構成メッセージを受信するように構成されている第2の受信ユニット307であって、各第1の構成メッセージは、アンテナポートの1つのグループに対応する位相部分のサブベクトル集合を決定するために使用され、少なくとも1つの第1の構成メッセージの数は、アンテナポートのグループの数に等しい、第2の受信ユニット307、および/または少なくとも1つの第2の構成メッセージを受信するように構成されている第3の受信ユニット308であって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、第3の受信ユニット308をさらに示している。一実施形態において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。別の実施形態において、第1の構成メッセージは、参照信号を測定することにより第1のネットワークデバイスによって取得され、および/または第2の構成メッセージは、参照信号を測定することにより第1のネットワークデバイスによって取得される。
【０９４８】
一実施形態において、本発明は、第1の構造および第2の構造を有するコードブック集合の可能な場合を与える。本発明が保護することを要求する第1のコードブックは、限定はしないが、次の構造であってよい。
1.第1のコードブックは、行列
【０９４９】
【数３４８】
2018129821.tif 000380
【０９５０】
のうちの1つであり、ランク指標の値は1であり、Va(x)によって表される非ゼロサブベクトルは、第1のベクトル集合{Vm}内のサブベクトルであり、順序番号xを有し、Vb(y)によって表される非ゼロサブベクトルは、第1のベクトル集合{Vn}内のサブベクトルであり、順序番号yを有し、0<i≦N1、および0<i'≦N1であり、N1は{Vm}内のサブベクトルの数を表し、N1'は{Vn}内のサブベクトルの数を表す、または
2.第1のコードブックは、行列
【０９５１】
【数３４９】
2018129821.tif 000381
【０９５２】
のうちの1つであり、ランク指標の値は2であり、0<i≦N1、0<i'≦N1、0<j≦N1、および0<j'≦N1である、または
3.第1のコードブックは、行列
【０９５３】
【数３５０】
2018129821.tif 000382
【０９５４】
のうちの1つであり、ランク指標の値は3であり、0<i≦N1、0<i'≦N1、0<j≦N1、0<j'≦N1、0<k≦N1、および0<k'≦N1である、または
3.第1のコードブックは、行列
【０９５５】
【数３５１】
2018129821.tif 000383
【０９５６】
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
5.第1のコードブックは、行列
【０９５７】
【数３５２Ａ】
2018129821.tif 000384
【数３５２Ｂ】
2018129821.tif 000385
【０９５８】
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
6.第1のコードブックは、行列
【０９５９】
【数３５３Ａ】
2018129821.tif 000386
【数３５３Ｂ】
2018129821.tif 000387
【数３５３Ｃ】
2018129821.tif 000388
【０９６０】
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
7.第1のコードブックは、行列
【０９６１】
【数３５４Ａ】
2018129821.tif 000389
【数３５４Ｂ】
2018129821.tif 000390
【０９６２】
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
8.第1のコードブックは、行列
【０９６３】
【数３５５Ａ】
2018129821.tif 000391
【数３５５Ｂ】
2018129821.tif 000392
【数３５５Ｃ】
2018129821.tif 000393
【数３５５Ｄ】
2018129821.tif 000394
【０９６４】
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、Va部分に対応するサブベクトルが2つおきに不等であり、i'、j'、k'、l'、m'、n'、p'、q'、および同様のもののパラメータについて、Vb部分に対応するサブベクトルが2つおきに不等である。
【０９６５】
第1のコードブック集合に含まれる第1のコードブックの例示されている可能な形態において、i、j、k、l、m、n、p、およびqは、異なるコードブックベクトルのロケーションを区別するためだけのものであることが理解されるであろう。
【０９６６】
さらに、本発明の一実施形態において、各第1のコードブック内のすべての第1のサブベクトル
【０９６７】
【数３５６】
2018129821.tif 000395
【０９６８】
のVa部分はサブベクトル集合{VK}を形成し、各第1のコードブック内のすべての第2のサブベクトル
【０９６９】
【数３５７】
2018129821.tif 000396
【０９７０】
のVb部分はサブベクトル集合{VL}を形成し、同じ第1のコードブック内の対応する{VK}および{VL}は第4の条件を満たし、第4の条件は、
{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。集合の概念によれば、{Vk'}の次元の数および{VL'}の次元の数が不等であるときに、{Vk'}≠{VL'}が成り立ち、{Vk'}の次元の数および{VL'}の次元の数が等しいが、{Vk'}に含まれるサブベクトルの数および{VL'}に含まれるサブベクトルの数が不等であるときに、{Vk'}≠{VL'}が成り立つか、または{Vk'}の次元の数および{VL'}の次元の数が等しく、{Vk'}に含まれるサブベクトルの数および{VL'}に含まれるサブベクトルの数が等しいが、{Vk'}に含まれるサブベクトルは{VL'}に含まれるサブベクトルと異なるときにも、{Vk'}≠{VL'}が成り立つ。
【０９７１】
本発明の別の実施形態において、RIの値が1よりも大きいときに、各第1のコードブック内のすべての第1のサブベクトル
【０９７２】
【数３５８】
2018129821.tif 000397
【０９７３】
のVa部分はサブベクトル集合{VM}を形成し、各第1のコードブック内のすべての第2のサブベクトル
【０９７４】
【数３５９】
2018129821.tif 000398
【０９７５】
のVb部分はサブベクトル集合{VN}を形成し、同じ第1のコードブック内の対応する{VM}および{VN}は第5の条件を満たし、第5の条件は、
{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。集合の概念によれば、{VM'}の次元の数および{VN'}の次元の数が不等であるときに、{VM'}≠{VN'}が成り立ち、{VM'}の次元の数および{VN'}の次元の数が等しいが、{VM'}に含まれるサブベクトルの数および{VN'}に含まれるサブベクトルの数が不等であるときに、{VM'}≠{VN'}が成り立つか、または{VM'}の次元の数および{VN'}の次元の数が等しく、{VM'}に含まれるサブベクトルの数および{VN'}に含まれるサブベクトルの数が等しいが、{VM'}に含まれるサブベクトルは{VN'}に含まれるサブベクトルと異なるときにも、{VM'}≠{VN'}が成り立つ。
【０９７６】
前述の実施形態において、{Vk'}≠{VL'}および/または{VM'}≠{VN'}関係を成り立たせる第1のコードブックでは、第1の構造および第2の構造の柔軟な構成が実装され、コードブックは、チャネルとよりよくマッチする。
【０９７７】
次に、
【０９７８】
【数３６０】
2018129821.tif 000399
【０９７９】
にそれぞれ対応する振幅ベクトルの関係を提示する。振幅ベクトルの第1の関係、振幅ベクトルの第2の関係、および振幅ベクトルの第3の関係は各々、各サブベクトルに含まれる要素間の関係の構成モードを与える。振幅ベクトルの第3の関係および振幅ベクトルの第4の関係は、コードブック内の異なるコードブックベクトル間の関係を与える。第2のネットワークデバイスは、チャネル条件に従って異なる振幅ベクトルを構成することができ、したがって、伝送効率が高まる。振幅ベクトルの定義は、すでに説明されており、ここでさらに説明することはしない。
【０９８０】
たとえば、コードブック集合内のコードブックM2は、
【０９８１】
【数３６１】
2018129821.tif 000400
【０９８２】
である。
【０９８３】
M2が、振幅ベクトルの第1の関係を満たす場合、
第1のコードブック内の各第1のサブベクトル
【０９８４】
【数３６２】
2018129821.tif 000401
【０９８５】
のVaにおける振幅ベクトル内の少なくとも2つの要素は不等であり、第1のコードブック内の各第2のサブベクトル
【０９８６】
【数３６３】
2018129821.tif 000402
【０９８７】
のVbにおける振幅ベクトル内の少なくとも2つの要素は不等であり、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1≠g2である。
【０９８８】
M2が、振幅ベクトルの第2の関係を満たす場合、
第1のコードブック内の各第1のサブベクトル
【０９８９】
【数３６４】
2018129821.tif 000403
【０９９０】
のVaにおける振幅ベクトル内の少なくとも2つの要素は不等であり、第1のコードブック内の各第2のサブベクトル
【０９９１】
【数３６５】
2018129821.tif 000404
【０９９２】
のVbにおける振幅ベクトル内のすべての要素は等しく、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1=g4である。
【０９９３】
M2が、振幅ベクトルの第3の関係を満たす場合、
第1のコードブック内の各第1のサブベクトル
【０９９４】
【数３６６】
2018129821.tif 000405
【０９９５】
のVaにおける振幅ベクトル内のすべての要素は等しく、第1のコードブック内の各第2のサブベクトル
【０９９６】
【数３６７】
2018129821.tif 000406
【０９９７】
のVbにおける振幅ベクトル内の少なくとも2つの要素は不等であり、
a1=a2=a3=a4、b1=b2=b3=b4、c1=c2=c3=c4、d1≠d2、およびg1≠g2である。
【０９９８】
M2が、振幅ベクトルの第4の関係を満たす場合、
第1のコードブック内のすべての第1のサブベクトル
【０９９９】
【数３６８】
2018129821.tif 000407
【１０００】
のVaにおける振幅ベクトルによって形成されるベクトル集合内の少なくとも2つの振幅ベクトルは異なり、
M2におけるすべての対応する第1のサブベクトル
【１００１】
【数３６９】
2018129821.tif 000408
【１００２】
のVaにおける振幅ベクトルは、
【１００３】
【数３７０】
2018129821.tif 000409
【１００４】
であり、
【１００５】
【数３７１】
2018129821.tif 000410
【１００６】
のうちの少なくとも2つのベクトルは異なる。
【１００７】
振幅ベクトルの第5の関係は、
第1のコードブック内のすべての第2のサブベクトル
【１００８】
【数３７２】
2018129821.tif 000411
【１００９】
のVbにおける振幅ベクトルによって形成されるベクトル集合内の少なくとも2つの振幅ベクトルは異なる。
【１０１０】
この場合、M2におけるすべての対応する第2のサブベクトル
【１０１１】
【数３７３】
2018129821.tif 000412
【１０１２】
のVbにおける振幅ベクトルは、
【１０１３】
【数３７４】
2018129821.tif 000413
【１０１４】
であり、
【１０１５】
【数３７５】
2018129821.tif 000414
【１０１６】
は不等である。
【１０１７】
図12は、本発明による第2のネットワーク側デバイスの一実施形態を示しており、第2のネットワーク側デバイスは、
参照信号を第1のネットワークデバイスに送信するように構成されている第1の送信ユニット401であって、参照信号は、測定を実行して測定結果を取得することを第1のネットワークデバイスに通知するために使用される、第1の送信ユニット401と、
第1のネットワークデバイスによって送信されたコードブックインデックスを受信するように構成されている受信ユニット402であって、コードブックインデックスは、第1のネットワークデバイスにより第1のコードブック集合において決定された第1のコードブックに対応し、コードブックインデックスは、測定結果に従って第1のネットワークデバイスによって決定される、受信ユニット402と、
コードブックインデックスに従って、第1のコードブック集合内の第1のコードブックを決定するように構成されている決定ユニット403であって、
第1のコードブック集合は、少なくとも2つの第1のコードブックを含み、各第1のコードブックのサブベクトルWxは、ゼロベクトルと非ゼロベクトルとによって形成され、Wxを形成するベクトルは、アンテナポートの異なるグループに対応し、各第1のコードブックにおいて、異なるサブベクトルWxは、同じ構造または異なる構造に従って形成され、同じ構造による形成は、異なるサブベクトルWx(1)およびWx(2)について、Wx(1)における非ゼロベクトルのロケーションが、Wx(2)における非ゼロベクトルのロケーションと同じである、というものであり、異なる構造による形成は、異なるサブベクトルWx(1)およびWx(2)について、Wx(1)における非ゼロベクトルのロケーションが、Wx(2)における非ゼロベクトルのロケーションと異なる、というものである、決定ユニット403とを備える。
【１０１８】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、固定された垂直方向の傾きを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信強度に従って独立して構成されるものとしてよく、したがって柔軟性およびMIMOのパフォーマンスが改善される。
【１０１９】
本発明の一実施形態において、アンテナポートが垂直方向の傾きに従ってグループ化されたときに、コードブック内のコードブックベクトルのパラメータは、異なる傾きに従って独立して構成されるものとしてよく、したがって、データ伝送効率に柔軟に適応するという目的が達成される。この実施形態において、垂直方向の2つの傾きは、一例として使用されている(この方法は、2つよりも多い傾きにも適用可能である)。第1のコードブック内の各列において、アンテナポートの1つのグループは、非ゼロベクトルに対応し、アンテナポートの別のグループは、ゼロベクトルに対応するか、またはアンテナポートの1つのグループは、ゼロベクトルに対応し、アンテナポートの別のグループは、非ゼロベクトルに対応し、非ゼロベクトルとは、少なくとも1つの要素が非ゼロ要素であるベクトルのことであり、ゼロベクトルとは、すべての要素がゼロ要素であるベクトルのことである。本発明では、コードブックに含まれるベクトル内の第1のn1個の要素がアンテナポートの1つのグループに対応し、最後のn2個の要素がアンテナポートの別のグループに対応するときに、このベクトルの構造は
【１０２０】
【数３７６】
2018129821.tif 000415
【１０２１】
であり、V1はn1次元であり、V2はn2次元である。この場合、各第1のコードブックは、第1の構造を有する少なくとも1つの第1のサブベクトル
【１０２２】
【数３７７】
2018129821.tif 000416
【１０２３】
および/または第2の構造を有する少なくとも1つの第2のサブベクトル
【１０２４】
【数３７８】
2018129821.tif 000417
【１０２５】
を含み、
【１０２６】
【数３７９】
2018129821.tif 000418
【１０２７】
の中のVaは、n1次元の非ゼロベクトルであり、アンテナポートの第1のグループに対応し、
【１０２８】
【数３８０】
2018129821.tif 000419
【１０２９】
の中の0は、n2次元のゼロベクトルを表し、アンテナポートの第2のグループに対応し、
【１０３０】
【数３８１】
2018129821.tif 000420
【１０３１】
の中のVbは、n2次元の非ゼロベクトルであり、アンテナポートの第2のグループに対応し、
【１０３２】
【数３８２】
2018129821.tif 000421
【１０３３】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルト角度または信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【１０３４】
第1のコードブックの中のサブベクトルの構造は、限定はしないが、前述の第1の構造または第2の構造であり得ることが理解されるであろう。適宜、第1のコードブック内のゼロベクトルおよび非ゼロベクトルのサブベクトルのロケーションは、異なっていてもよい。本発明の一実施形態において、4つのアンテナポートがある場合、第1の構造を有する第1のサブベクトル
【１０３５】
【数３８３】
2018129821.tif 000422
【１０３６】
中のベクトル内の要素は、
【１０３７】
【数３８４】
2018129821.tif 000423
【１０３８】
として表され、第2の構造を有する第2のサブベクトル
【１０３９】
【数３８５】
2018129821.tif 000424
【１０４０】
中のベクトル内の要素は、
【１０４１】
【数３８６】
2018129821.tif 000425
【１０４２】
として表され、
【１０４３】
【数３８７】
2018129821.tif 000426
【１０４４】
は、ベクトルVa内の要素であり、
【１０４５】
【数３８８】
2018129821.tif 000427
【１０４６】
は、ベクトルVb内の要素である。本発明の別の実施形態において、アンテナポートが、2つのグループにグループ化されるときに、第1の構造は、
【１０４７】
【数３８９】
2018129821.tif 000428
【１０４８】
であってよく、第2の構造は、
【１０４９】
【数３９０】
2018129821.tif 000429
【１０５０】
であってよい。同様に、アンテナグループが、2つのグループにグループ化されるときに、本発明の別の実施形態において、第1の構造は、
【１０５１】
【数３９１】
2018129821.tif 000430
【１０５２】
であってよく、第2の構造は、
【１０５３】
【数３９２】
2018129821.tif 000431
【１０５４】
であってよい。
【１０５５】
代替的に、コードブック集合は、第1の構造
【１０５６】
【数３９３】
2018129821.tif 000432
【１０５７】
第2の構造
【１０５８】
【数３９４】
2018129821.tif 000433
【１０５９】
第3の構造
【１０６０】
【数３９５】
2018129821.tif 000434
【１０６１】
または第4の構造
【１０６２】
【数３９６】
2018129821.tif 000435
【１０６３】
のうちの少なくとも1つの構造を含む。
【１０６４】
【数３９７】
2018129821.tif 000436
【１０６５】
は、ベクトルVa内の要素であり、Vaは、アンテナポートの1つのグループに対応する。対応関係は次のとおりである。第1の構造において、
【１０６６】
【数３９８】
2018129821.tif 000437
【１０６７】
は第1のアンテナポートに対応し、
【１０６８】
【数３９９】
2018129821.tif 000438
【１０６９】
は第3のアンテナポートに対応し、第2の構造において、
【１０７０】
【数４００】
2018129821.tif 000439
【１０７１】
は第2のアンテナポートに対応し、
【１０７２】
【数４０１】
2018129821.tif 000440
【１０７３】
は第4のアンテナポートに対応し、第3の構造において、
【１０７４】
【数４０２】
2018129821.tif 000441
【１０７５】
は第1のアンテナポートに対応し、
【１０７６】
【数４０３】
2018129821.tif 000442
【１０７７】
は第4のアンテナポートに対応し、第4の構造において、
【１０７８】
【数４０４】
2018129821.tif 000443
【１０７９】
は第2のアンテナポートに対応し、
【１０８０】
【数４０５】
2018129821.tif 000444
【１０８１】
は第3のアンテナポートに対応し、
【１０８２】
【数４０６】
2018129821.tif 000445
【１０８３】
は、ベクトルVa内の要素であり、
【１０８４】
【数４０７】
2018129821.tif 000446
【１０８５】
は、ベクトルVb内の要素である。
【１０８６】
アンテナポートが、3つのグループにグループ化されるときに、第1のコードブック集合は、第1の構造
【１０８７】
【数４０８】
2018129821.tif 000447
【１０８８】
第2の構造
【１０８９】
【数４０９】
2018129821.tif 000448
【１０９０】
第3の構造
【１０９１】
【数４１０】
2018129821.tif 000449
【１０９２】
第4の構造
【１０９３】
【数４１１】
2018129821.tif 000450
【１０９４】
第5の構造
【１０９５】
【数４１２】
2018129821.tif 000451
【１０９６】
または第6の構造
【１０９７】
【数４１３】
2018129821.tif 000452
【１０９８】
のうちの少なくとも1つを含む。ベクトルVa、Vb、およびVcは各々、アンテナポートの1つのグループに対応する。
【１０９９】
本発明の一実施形態において、本発明は、第1構造およびランク指標の値に対応する第2の構造の組合せを形成する。
【１１００】
一般的に、第1のコードブックに含まれる非ゼロベクトル内の要素は、複素数の形態をとる。複素数α・eβに対して、αは振幅部分と称され、実数であり、eβは位相部分と称される。本発明のさらに別の実施形態において、少なくとも1つの第1のコードブックは、第1の条件を満たす。本発明は、実装され得る第1の条件のいくつかの定義を与える。本発明では、断りのない限り、P、Q、およびKは、正整数である。
【１１０１】
第1の条件の第1の定義
【１１０２】
すべての第1の位相ベクトルによって形成されるベクトル集合および離散フーリエ変換行列DFT行列は第1の位相ベクトルによって形成されるベクトル集合がDFT行列の位相行列内の対応する列ベクトルの集合の部分集合であるという第1の対応関係の条件を満たし、DFT行列の位相行列の中の第P行および第Q列内の要素は、DFT行列内の第P行および第Q列内の要素の位相部分であり、第1のコードブック内のすべての第1のサブベクトル
【１１０３】
【数４１４】
2018129821.tif 000453
【１１０４】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である。
【１１０５】
離散フーリエ変換行列DFT行列の一般的な表現は、
【１１０６】
【数４１５】
2018129821.tif 000454
【１１０７】
である。
【１１０８】
DFTの位相行列は、
【１１０９】
【数４１６】
2018129821.tif 000455
【１１１０】
である。
【１１１１】
Nの値は、DFT行列が正方行列である場合の次数である。たとえば、
【１１１２】
【数４１７】
2018129821.tif 000456
【１１１３】
において、Vaが4次元である場合、DFT行列の位相行列の次数は4である。一実施形態において、ωの値は、
【１１１４】
【数４１８】
2018129821.tif 000457
【１１１５】
であり、
【１１１６】
【数４１９】
2018129821.tif 000458
【１１１７】
となる。
【１１１８】
たとえば、ωの値が、
【１１１９】
【数４２０】
2018129821.tif 000459
【１１２０】
であるときに、4次DFT行列
【１１２１】
【数４２１】
2018129821.tif 000460
【１１２２】
の形態は、
【１１２３】
【数４２２】
2018129821.tif 000461
【１１２４】
である。
【１１２５】
それに対応して、DFT行列の位相行列内の対応する列の集合は、
【１１２６】
【数４２３】
2018129821.tif 000462
【１１２７】
である。
【１１２８】
本発明では、DFTの位相行列は、必ずしも正方行列ではないことが理解されるであろう。次数に従ってより多くの列または行が選択され得る。たとえば、行列は、
【１１２９】
【数４２４】
2018129821.tif 000463
【１１３０】
であってよい。
【１１３１】
DFT行列の位相行列内の対応する列の集合は、
【１１３２】
【数４２５】
2018129821.tif 000464
【１１３３】
である。
【１１３４】
DFT行列から選択された行の数または列の数は、本明細書において制限されないことが理解されるであろう。行の数は、Vaの値と少なくとも同じであるべきであり、列の数は、コードブック内の第1のベクトルの数と少なくとも同じであるべきであることが理解されるであろう。
【１１３５】
第1の条件の第2の定義
【１１３６】
すべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【１１３７】
【数４２６】
2018129821.tif 000465
【１１３８】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数であり、CMPコードブックは、各ポートに対応する層内のただ1つの層が非ゼロ要素であるコードブックを指す。
【１１３９】
すべてのCMPコードブックにおいて、列ベクトルが2次元であるCMPコードブックは次のとおりである。
【１１４０】
【表１９】
2018129821.tif 000466
【１１４１】
列ベクトルが4次元であり、層の数が1であるCMPコードブックは次のとおりである。
【１１４２】
【表２０】
2018129821.tif 000467
【１１４３】
列ベクトルが4次元であり、層の数が2であるCMPコードブックは次のとおりである。
【１１４４】
【表２１】
2018129821.tif 000468
【１１４５】
たとえば、Table 3(表21)の中のインデックスが0であるときに、対応するCMPコードブック行列の位相行列内の対応する列ベクトルの集合の部分集合は次のとおりである。
【１１４６】
【数４２７】
2018129821.tif 000469
【１１４７】
列ベクトルが4次元であり、層の数が3であるCMPコードブックは次のとおりである。
【１１４８】
【表２２】
2018129821.tif 000470
【１１４９】
列ベクトルが4次元であり、層の数が4であるCMPコードブックは次のとおりである。
【１１５０】
【表２３】
2018129821.tif 000471
【１１５１】
第1の条件の第3の定義
【１１５２】
すべての第3の位相ベクトルによって形成されるベクトル集合は、ハウスホルダーHouseholder変換コードブック内の対応するサブベクトルによって形成される集合の部分集合であり、householder変換式は
【１１５３】
【数４２８】
2018129821.tif 000472
【１１５４】
である。
【１１５５】
第1のコードブック内のすべての第1のサブベクトル
【１１５６】
【数４２９】
2018129821.tif 000473
【１１５７】
のVa部分は集合{Vm}を形成し、{Vm}の各サブベクトル内のすべての要素の位相部分は、第3の位相ベクトルを形成し、{Vm}の各サブベクトル内の第Kの要素の位相部分は、各対応する第3の位相ベクトルの第Kの要素である。
【１１５８】
たとえば、第3の位相ベクトルは、Table 6(表24)の層の異なる数および異なるコードブックインデックスに対応する特定の行列内の
【１１５９】
【数４３０】
2018129821.tif 000474
【１１６０】
の位相部分によって形成される集合の部分集合である。インデックスは、異なるコードブックインデックスに対応する。{αi}は、整数集合に対応し、
【１１６１】
【数４３１】
2018129821.tif 000475
【１１６２】
内の異なる列が第3の位相ベクトルとして選択されることを示すために使用される。Table 6(表24)において、Unはhouseholder変換における対応するUnであり、Iは単位行列である。
【１１６３】
本発明において、Vaの値は、第1の条件の第1の定義、第1の条件の第2の定義、および第1の条件の第3の定義に示されている場合または関係にのみ限定されないことが理解されるであろう。コードブックは、さらには、LTEにおいて2本のアンテナ、4本のアンテナ、または8本のアンテナについて定義されているコードブックであってよい。
【１１６４】
【表２４】
2018129821.tif 000476
【１１６５】
本発明のさらに別の実施形態において、少なくとも1つの第1のコードブックは、第2の条件を満たす。本発明は、実装され得る第2の条件のいくつかの定義を与える。
【１１６６】
第2の条件の第1の定義
【１１６７】
すべての第4の位相ベクトルによって形成されるベクトル集合および離散フーリエ変換行列DFT行列は、第4の位相ベクトルによって形成されるベクトル集合がDFT行列の位相行列内の対応する列ベクトルの集合の部分集合であるという第3の対応関係の条件を満たし、DFT行列の位相行列の中の第P行および第Q列内の要素は、DFT行列内の第P行および第Q列内の要素の位相部分であり、第1のコードブック内のすべての第2のサブベクトル
【１１６８】
【数４３２】
2018129821.tif 000477
【１１６９】
のVb部分は集合{Vn}を形成し、{Vn}の各サブベクトル内のすべての要素の位相部分は、第4の位相ベクトルを形成し、{Vn}の各サブベクトル内の第Kの要素の位相部分は、各対応する第4の位相ベクトルの第Kの要素である。
【１１７０】
第2の条件の第2の定義
【１１７１】
すべての第5の位相ベクトルによって形成されるベクトル集合およびCMPコードブック集合内の少なくとも1つのCMPコードブックは、第5の位相ベクトルによって形成されるベクトル集合がCMPコードブック行列の位相行列内の対応する列ベクトルの集合の部分集合であるという第4の対応関係の条件を満たし、CMPの位相行列の中の第P行および第Q列内の要素は、CMPコードブック行列内の第P行および第Q列内の要素の位相部分であり、第1のコードブック内のすべての第2のサブベクトル
【１１７２】
【数４３３】
2018129821.tif 000478
【１１７３】
のVb部分は集合{Vn}を形成し、{Vn}の各サブベクトル内のすべての要素の位相部分は、第5の位相ベクトルを形成し、{Vn}の各サブベクトル内の第Kの要素の位相部分は、各対応する第5の位相ベクトルの第Kの要素であり、P、Q、およびKは、正整数である。
【１１７４】
第2の条件の第3の定義
【１１７５】
すべての第6の位相ベクトルによって形成されるベクトル集合は、householder変換コードブック内の対応するサブベクトルによって形成される集合であり、第1のコードブック内のすべての第2のサブベクトル
【１１７６】
【数４３４】
2018129821.tif 000479
【１１７７】
のVb部分は集合{Vn}を形成し、{Vn}の各サブベクトル内のすべての要素の位相部分は、第6の位相ベクトルを形成し、{Vn}の各サブベクトル内の第Kの要素の位相部分は、各対応する第6の位相ベクトルの第Kの要素である。
【１１７８】
本発明において、Vbの値は、第2の条件の第1の定義、第2の条件の第2の定義、および第2の条件の第3の定義に示されている場合または関係にのみ限定されないことが理解されるであろう。本発明では、第2の条件により対応関係を保護するために、第4の位相ベクトルと異なるパラメータによって形成される異なるDFT行列との間の関係、第5の位相ベクトルとCMPコードブック集合との間の関係、および第6の位相ベクトルとhouseholder変換を通じて異なる元のベクトルによって形成されるhouseholderコードブックとの間の関係を要求する。
【１１７９】
非依存性により、一コードブックにおいて、第1のコードブックが第1の条件の定義を満たしているときに、第2のコードブックは第2の条件の定義を満たし得ることが理解されるであろう。たとえば、第1のコードブックにおいて、第1の位相ベクトルによって形成されるベクトル集合がDFT行列の位相行列内の対応する列ベクトルの集合の部分集合であるという条件が満たされ、第2のコードブックにおいて、第5の位相ベクトルによって形成されるベクトル集合がCMPコードブック行列の位相行列内の対応する列ベクトルの集合の部分集合であるという条件、またはそれらの任意の組合せが満たされる。
【１１８０】
本発明のさらに別の実施形態において、少なくとも1つの第1のコードブックは、第3の条件を満たす。
【１１８１】
{Vm}に対応するすべての第1の振幅ベクトルにおいて、少なくとも1つの第1の振幅ベクトルは{Vn}に対応するすべての第2の振幅ベクトルと異なり、および/または{Vn}に対応するすべての第2の振幅ベクトルにおいて、少なくとも1つの第2の振幅ベクトルは{Vm}に対応するすべての第1の振幅ベクトルと異なる。第1のコードブック内のすべての第1のサブベクトル
【１１８２】
【数４３５】
2018129821.tif 000480
【１１８３】
のVa部分は集合{Vm}を形成し、{Vm}の各サブベクトル内のすべての要素の振幅部分は、第1の振幅ベクトルを形成し、{Vm}の各サブベクトル内の第Kの要素の位相部分は、各対応する第1の振幅ベクトルの第Kの要素であり、第1のコードブック内のすべての第2のサブベクトル
【１１８４】
【数４３６】
2018129821.tif 000481
【１１８５】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの異なる対応する電力を表す。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【１１８６】
適宜、図13は、第1のコードブックが選択される前に第1のコードブック集合を取得するように構成されている取得ユニット404をさらに示している。本発明の一実施形態において、図14は、第1のコードブック集合が、メモリ405に事前に記憶され得るか、または第2のネットワークデバイスまたは別の装置によって第1のネットワークデバイスに配信され得ることをさらに示している。
【１１８７】
適宜、図15は、少なくとも1つの第1の構成メッセージを第1のネットワークデバイスに送信するように構成されている第2の送信ユニット406であって、各第1の構成メッセージは、アンテナポートの1つのグループに対応する位相部分のサブベクトル集合を決定するために使用され、少なくとも1つの第1の構成メッセージの数は、アンテナポートのグループの数に等しい、第2の送信ユニット406、および/または
少なくとも1つの第2の構成メッセージを第1のネットワークデバイスに送信するように構成されている第3の送信ユニット407であって、各第2の構成メッセージは、アンテナポートの1つのグループに対応する振幅部分のサブベクトル集合を決定するために使用され、少なくとも1つの第2の構成メッセージの数は、アンテナポートのグループの数に等しい、第3の送信ユニット407をさらに示している。
【１１８８】
参照信号は、少なくとも1つの第1の構成メッセージを示すためにさらに使用され、各第1の構成メッセージは、アンテナポートの1つのグループに対応する位相部分のサブベクトル集合を決定するために使用され、少なくとも1つの第1の構成メッセージの数は、アンテナポートのグループの数に等しい、および/または
参照信号は、少なくとも1つの第2の構成メッセージを示すためにさらに使用され、各第2の構成メッセージは、アンテナポートの1つのグループに対応する振幅部分のサブベクトル集合を決定するために使用され、少なくとも1つの第2の構成メッセージの数は、アンテナポートのグループの数に等しい。
【１１８９】
一実施形態において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
【１１９０】
一実施形態において、本発明は、第1の構造および第2の構造を有するコードブック集合の可能な場合を与える。本発明が保護することを要求する第1のコードブックは、限定はしないが、次の構造であってよい。
1.第1のコードブックは、行列
【１１９１】
【数４３７】
2018129821.tif 000482
【１１９２】
のうちの1つであり、ランク指標の値は1であり、Va(x)によって表される非ゼロサブベクトルは、第1のベクトル集合{Vm}内のサブベクトルであり、順序番号xを有し、Vb(y)によって表される非ゼロサブベクトルは、第1のベクトル集合{Vn}内のサブベクトルであり、順序番号yを有し、0<i≦N1、および0<i'≦N1であり、N1は{Vm}内のサブベクトルの数を表し、N1'は{Vn}内のサブベクトルの数を表す、または
2.第1のコードブックは、行列
【１１９３】
【数４３８】
2018129821.tif 000483
【１１９４】
のうちの1つであり、ランク指標の値は2であり、0<i≦N1、0<i'≦N1、0<j≦N1、および0<j'≦N1である、または
3.第1のコードブックは、行列
【１１９５】
【数４３９】
2018129821.tif 000484
【１１９６】
のうちの1つであり、ランク指標の値は3であり、0<i≦N1、0<i'≦N1、0<j≦N1、0<j'≦N1、0<k≦N1、および0<k'≦N1である、または
3.第1のコードブックは、行列
【１１９７】
【数４４０】
2018129821.tif 000485
【１１９８】
のうちの1つであり、ランク指標の値は4であり、0<i≦N1、0<i'≦N1、0<j≦N1、0<j'≦N1、0<k≦N1、0<k'≦N1、0<l≦N1、および0<l'≦N1である、または
5.第1のコードブックは、行列
【１１９９】
【数４４１Ａ】
2018129821.tif 000486
【数４４１Ｂ】
2018129821.tif 000487
【１２００】
のうちの1つであり、ランク指標の値は5であり、0<i≦N1、0<i'≦N1、0<j≦N1、0<j'≦N1、0<k≦N1、0<k'≦N1、0<l≦N1、0<l'≦N1、0<m≦N1、および0<m'≦N1である、または
6.第1のコードブックは、行列
【１２０１】
【数４４２Ａ】
2018129821.tif 000488
【数４４２Ｂ】
2018129821.tif 000489
【数４４２Ｃ】
2018129821.tif 000490
【１２０２】
のうちの1つであり、ランク指標の値は6であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、および0<n'≦N1である、または
7.第1のコードブックは、行列
【１２０３】
【数４４３Ａ】
2018129821.tif 000491
【数４４３Ｂ】
2018129821.tif 000492
【１２０４】
のうちの1つであり、ランク指標の値は7であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、および0<p'=N1である、または
8.第1のコードブックは、行列
【１２０５】
【数４４４Ａ】
2018129821.tif 000493
【数４４４Ｂ】
2018129821.tif 000494
【数４４４Ｃ】
2018129821.tif 000495
【数４４４Ｄ】
2018129821.tif 000496
【１２０６】
のうちの1つであり、ランク指標の値は8であり、0<i≦N1、0<i'≦N1、0<j≦N1、0<j'≦N1、0<k≦N1、0<k'≦N1、0<l≦N1、0<l'≦N1、0<m≦N1、0<m'≦N1、0<n≦N1、0<n'≦N1、0<p≦N1、0<p'=N1、0<q≦N1、および0<q'≦N1であり、
i、j、k、l、m、n、p、q、および同様のもののパラメータについて、Va部分に対応するサブベクトルが2つおきに不等であり、i'、j'、k'、l'、m'、n'、p'、q'、および同様のもののパラメータについて、Vb部分に対応するサブベクトルが2つおきに不等である。
【１２０７】
第1のコードブック集合に含まれる第1のコードブックの例示されている可能な形態において、i、j、k、l、m、n、p、およびqは、異なるコードブックベクトルのロケーションを区別するためだけのものであることが理解されるであろう。
【１２０８】
さらに、本発明の一実施形態において、各第1のコードブック内のすべての第1のサブベクトル
【１２０９】
【数４４５】
2018129821.tif 000497
【１２１０】
のVa部分はサブベクトル集合{VK}を形成し、各第1のコードブック内のすべての第2のサブベクトル
【１２１１】
【数４４６】
2018129821.tif 000498
【１２１２】
のVb部分はサブベクトル集合{VL}を形成し、同じ第1のコードブック内の対応する{VK}および{VL}は第4の条件を満たし、第4の条件は、
{Vk}内のサブベクトルVkの位相部分がベクトルVk'を形成し、{Vk}内のすべてのサブベクトルVkに対応するベクトルVk'が集合{Vk'}を形成し、{VL}内のサブベクトルVLの位相部分がベクトルVL'を形成し、{VL}内のすべてのサブベクトルVLに対応するベクトルVL'が集合{VL'}を形成し、{Vk'}≠{VL'}が成り立つ、というものである。集合の概念によれば、{Vk'}の次元の数および{VL'}の次元の数が不等であるときに、{Vk'}≠{VL'}が成り立ち、{Vk'}の次元の数および{VL'}の次元の数が等しいが、{Vk'}に含まれるサブベクトルの数および{VL'}に含まれるサブベクトルの数が不等であるときに、{Vk'}≠{VL'}が成り立つか、または{Vk'}の次元の数および{VL'}の次元の数が等しく、{Vk'}に含まれるサブベクトルの数および{VL'}に含まれるサブベクトルの数が等しいが、{Vk'}に含まれるサブベクトルは{VL'}に含まれるサブベクトルと異なるときにも、{Vk'}≠{VL'}が成り立つ。
【１２１３】
本発明の別の実施形態において、RIの値が1よりも大きいときに、各第1のコードブック内のすべての第1のサブベクトル
【１２１４】
【数４４７】
2018129821.tif 000499
【１２１５】
のVa部分はサブベクトル集合{VM}を形成し、各第1のコードブック内のすべての第2のサブベクトル
【１２１６】
【数４４８】
2018129821.tif 000500
【１２１７】
のVb部分はサブベクトル集合{VN}を形成し、同じ第1のコードブック内の対応する{VM}および{VN}は第5の条件を満たし、第5の条件は、
{VM}内のサブベクトルVMの振幅部分がベクトルVM'を形成し、{VM}内のすべてのサブベクトルVMに対応するベクトルVM'が集合{VM'}を形成し、{VN}内のサブベクトルVNの振幅部分がベクトルVN'を形成し、{VN}内のすべてのサブベクトルVNに対応するベクトルVN'が集合{VN'}を形成し、{VM'}≠{VN'}が成り立つ、というものである。集合の概念によれば、{VM'}の次元の数および{VN'}の次元の数が不等であるときに、{VM'}≠{VN'}が成り立ち、{VM'}の次元の数および{VN'}の次元の数が等しいが、{VM'}に含まれるサブベクトルの数および{VN'}に含まれるサブベクトルの数が不等であるときに、{VM'}≠{VN'}が成り立つか、または{VM'}の次元の数および{VN'}の次元の数が等しく、{VM'}に含まれるサブベクトルの数および{VN'}に含まれるサブベクトルの数が等しいが、{VM'}に含まれるサブベクトルは{VN'}に含まれるサブベクトルと異なるときにも、{VM'}≠{VN'}が成り立つ。
【１２１８】
前述の実施形態において、{Vk'}≠{VL'}および/または{VM'}≠{VN'}関係を成り立たせる第1のコードブックでは、第1の構造および第2の構造の柔軟な構成が実装され、コードブックは、チャネルとよりよくマッチする。
【１２１９】
次に、
【１２２０】
【数４４９】
2018129821.tif 000501
【１２２１】
にそれぞれ対応する振幅ベクトルの関係を提示する。振幅ベクトルの第1の関係、振幅ベクトルの第2の関係、および振幅ベクトルの第3の関係は各々、各サブベクトルに含まれる要素間の関係の構成モードを与える。振幅ベクトルの第3の関係および振幅ベクトルの第4の関係は、コードブック内の異なるコードブックベクトル間の関係を与える。第2のネットワークデバイスは、チャネル条件に従って異なる振幅ベクトルを構成することができ、したがって、伝送効率が高まる。振幅ベクトルの定義は、すでに説明されており、ここでさらに説明することはしない。
【１２２２】
たとえば、コードブック集合内のコードブックM2は、
【１２２３】
【数４５０】
2018129821.tif 000502
【１２２４】
である。
【１２２５】
M2が、振幅ベクトルの第1の関係を満たす場合、
第1のコードブック内の各第1のサブベクトル
【１２２６】
【数４５１】
2018129821.tif 000503
【１２２７】
のVaにおける振幅ベクトル内の少なくとも2つの要素は不等であり、第1のコードブック内の各第2のサブベクトル
【１２２８】
【数４５２】
2018129821.tif 000504
【１２２９】
のVbにおける振幅ベクトル内の少なくとも2つの要素は不等であり、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1≠g2である。
【１２３０】
M2が、振幅ベクトルの第2の関係を満たす場合、
第1のコードブック内の各第1のサブベクトル
【１２３１】
【数４５３】
2018129821.tif 000505
【１２３２】
のVaにおける振幅ベクトル内の少なくとも2つの要素は不等であり、第1のコードブック内の各第2のサブベクトル
【１２３３】
【数４５４】
2018129821.tif 000506
【１２３４】
のVbにおける振幅ベクトル内のすべての要素は等しく、
a1、a2、a3、およびa4のうちの少なくとも2つの値は不等であり、b1、b2、b3、およびb4のうちの少なくとも2つの値は不等であり、c1、c2、c3、およびc4のうちの少なくとも2つの値は不等であり、d1≠d2、およびg1=g4である。
【１２３５】
M2が、振幅ベクトルの第3の関係を満たす場合、
第1のコードブック内の各第1のサブベクトル
【１２３６】
【数４５５】
2018129821.tif 000507
【１２３７】
のVaにおける振幅ベクトル内のすべての要素は等しく、第1のコードブック内の各第2のサブベクトル
【１２３８】
【数４５６】
2018129821.tif 000508
【１２３９】
のVbにおける振幅ベクトル内の少なくとも2つの要素は不等であり、
a1=a2=a3=a4、b1=b2=b3=b4、c1=c2=c3=c4、d1≠d2、およびg1≠g2である。
【１２４０】
M2が、振幅ベクトルの第4の関係を満たす場合、
第1のコードブック内のすべての第1のサブベクトル
【１２４１】
【数４５７】
2018129821.tif 000509
【１２４２】
のVaにおける振幅ベクトルによって形成されるベクトル集合内の少なくとも2つの振幅ベクトルは異なり、
M2におけるすべての対応する第1のサブベクトル
【１２４３】
【数４５８】
2018129821.tif 000510
【１２４４】
のVaにおける振幅ベクトルは、
【１２４５】
【数４５９】
2018129821.tif 000511
【１２４６】
であり、
【１２４７】
【数４６０】
2018129821.tif 000512
【１２４８】
のうちの少なくとも2つのベクトルは異なる。
【１２４９】
振幅ベクトルの第5の関係は、
第1のコードブック内のすべての第2のサブベクトル
【１２５０】
【数４６１】
2018129821.tif 000513
【１２５１】
のVbにおける振幅ベクトルによって形成されるベクトル集合内の少なくとも2つの振幅ベクトルは異なる。
【１２５２】
この場合、M2におけるすべての対応する第2のサブベクトル
【１２５３】
【数４６２】
2018129821.tif 000514
【１２５４】
のVbにおける振幅ベクトルは、
【１２５５】
【数４６３】
2018129821.tif 000515
【１２５６】
であり、
【１２５７】
【数４６４】
2018129821.tif 000516
【１２５８】
は不等である。
【１２５９】
適宜、上に示されているすべての実施形態において、第1のネットワークデバイスは、端末デバイスUEであり、第2のネットワークデバイスは、基地局eNBである。
【１２６０】
図16は、本発明による別の特定のシステム実施形態を示している。
【１２６１】
501。第2のネットワーク側デバイスが、参照信号を第1のネットワークデバイスに送信し、参照信号は、測定を実行して測定結果を取得することを第1のネットワークデバイスに通知するために使用される。
【１２６２】
502。第1のネットワークデバイスが、参照信号を受信し、参照信号を測定して測定結果を取得し、測定結果に従って第1のコードブック集合から第1のコードブックを選択する。
【１２６３】
一実施形態において、RANKがrである場合、第1のコードブック集合Cは、n個の第1のコードブックC(1)、C(2)、...、C(n)を含む。チャネル行列HRx×Txは、参照信号を測定することによって得られ、ランク値rは、チャネル行列HRx×Txに従って得られる。第1のコードブック集合内でランクがrであるすべての第1のコードブックC(1)からC(n)が横断される。第1のコードブックの行数値はTxであり、第1のコードブックの列数値はrである。第1のコードブックに含まれるC(1)からC(n)の各々に対応するチャネル品質が計算される。適宜、C(1)からC(n)に対応するチャネル品質は、各第1のコードブックにおけるチャネルスループットであるか、または各第1のコードブックにおけるチャネルの信号対雑音比であり得る。C(i)が決定され、それにより、伝送効率は最高または最適となる。たとえば、最大チャネルスループットに対応する第1のコードブックが、すべての第1のコードブックから選択されるか、または最大信号対雑音比に対応する第1のコードブックが、すべての第1のコードブックから選択される。
【１２６４】
503。第1のネットワーク側デバイスは、コードブックインデックスを第2のネットワークデバイスに送信し、コードブックインデックスは、第1のコードブック集合から選択された第1のコードブックに対応する。
【１２６５】
504。第2のネットワーク側デバイスは、第1のネットワークデバイスによって送信されたコードブックインデックスを受信し、コードブックインデックスは、第1のネットワークデバイスにより第1のコードブック集合において決定された第1のコードブックに対応する。
【１２６６】
505。第2のネットワーク側デバイスは、コードブックインデックスに従って、第1のネットワークデバイスにより第1のコードブック集合において決定された第1のコードブックを決定する。
【１２６７】
コードブックの特性は、前述の実施形態においてすでに説明されており、ここでさらに説明することはしない。
【１２６８】
以下では、本発明は、第1のコードブックにおけるサブベクトル特性の一実施形態を提示する。この実施形態における条件は、前述の実施形態に対応する。
【１２６９】
第1のコードブックの例示的なV1
【１２７０】
【数４６５】
2018129821.tif 000517
【１２７１】
において、
条件に合致する構造は、
【１２７２】
【数４６６】
2018129821.tif 000518
【１２７３】
である。
【１２７４】
Va部分は4次元であり、Vb部分も4次元である、すなわち、第1のグループ内のアンテナポートの数が4であるとき、それに対応してRANK 8では、第1の構造の条件を満たすWxの対応する列ベクトルは5個ある。この場合、第1のコードブックにおいて、第1の構造の条件を満たすVaを有するすべてのサブベクトルWxは、第1の構造のベクトル集合を形成し、第1の構造のベクトル集合に含まれる要素は、それぞれ、
【１２７５】
【数４６７】
2018129821.tif 000519
【１２７６】
である。
【１２７７】
第1の構造のベクトル集合内のすべてのサブベクトルWxのVa部分は第1のベクトル集合{Vm}を形成する。この実施形態では、対応する{Vm}は
【１２７８】
【数４６８】
2018129821.tif 000520
【１２７９】
である。
【１２８０】
{Vm}の各サブベクトル内のすべての要素の位相部分は、対応する第1のサブベクトルを形成し、{Vm}の各サブベクトル内の第Kの要素の位相部分は、各対応する第1のサブベクトルの第Kの要素である。第1の位相ベクトルによって形成されるベクトル集合は
【１２８１】
【数４６９】
2018129821.tif 000521
【１２８２】
であり、
これは、DFT行列の位相行列内の対応する列ベクトルの集合の部分集合である。{Vm}の中の第M列内の第Kの要素の位相は、{Vm'}の中の第M列内の第Kの要素に等しい。たとえば、{Vm}の中の第3列内の第4の要素
【１２８３】
【数４７０】
2018129821.tif 000522
【１２８４】
の位相は、{Vm'}の中の第3列内の第4の要素
【１２８５】
【数４７１】
2018129821.tif 000523
【１２８６】
に等しい、すなわち、行列V1は、次の条件を満たす。
すべての第1の位相ベクトルによって形成されるベクトル集合および離散フーリエ変換行列DFT行列は第1の位相ベクトルによって形成されるベクトル集合がDFT行列の位相行列内の対応する列ベクトルの集合の部分集合であるという第1の対応関係の条件を満たし、DFT行列の位相行列の中の第P行および第Q列内の要素は、DFT行列内の第P行および第Q列内の要素の位相部分であり、第1のコードブック内のすべての第1のサブベクトル
【１２８７】
【数４７２】
2018129821.tif 000524
【１２８８】
のVa部分は集合{Vm}を形成し、{Vm}の各サブベクトル内のすべての要素の位相部分は、第1の位相ベクトルを形成し、{Vm}の各サブベクトル内の第Kの要素の位相部分は、各対応する第1の位相ベクトルの第Kの要素であり、P、Q、およびKは、正整数である。
【１２８９】
第1のコードブックの第2の実施形態のV2
【１２９０】
【数４７３】
2018129821.tif 000525
【１２９１】
において、
条件に合致する構造は、
【１２９２】
【数４７４】
2018129821.tif 000526
【１２９３】
である。
【１２９４】
Va部分は4次元であり、Vb部分も4次元である、すなわち、第1のグループ内のアンテナポートの数が4であるとき、それに対応してRANK 5では、第1のコードブック構造の条件を満たすWxの対応する列ベクトルは2個ある。この場合、第1のコードブックにおいて、第1の構造の条件を満たすVaを有するすべてのサブベクトルWxは、第1の構造のベクトル集合を形成し、第1の構造のベクトル集合に含まれる要素は、それぞれ、
【１２９５】
【数４７５】
2018129821.tif 000527
【１２９６】
である。
【１２９７】
第1の構造のベクトル集合内のすべてのサブベクトルWxのVa部分は第1のベクトル集合{Vm}を形成する。この実施形態では、対応する{Vm}は
【１２９８】
【数４７６】
2018129821.tif 000528
【１２９９】
である。
【１３００】
{Vm}の各サブベクトル内のすべての要素の位相部分は、対応する第1のサブベクトルを形成し、{Vm}の各サブベクトル内の第Kの要素の位相部分は、各対応する第1のサブベクトルの第Kの要素である。すべての第1のサブベクトルによって形成されるベクトル集合は
【１３０１】
【数４７７】
2018129821.tif 000529
【１３０２】
であるか、または
【１３０３】
【数４７８】
2018129821.tif 000530
【１３０４】
と表される。
【１３０５】
すべてのCMPコードブックにおいて、列ベクトルが2次元であるCMPコードブックは次のとおりである。
【１３０６】
【表２５】
2018129821.tif 000531
【１３０７】
列ベクトルが4次元であり、層の数が1であるCMPコードブックは次のとおりである。
【１３０８】
【表２６】
2018129821.tif 000532
【１３０９】
列ベクトルが4次元であり、層の数が2であるCMPコードブックは次のとおりである。
【１３１０】
【表２７】
2018129821.tif 000533
【１３１１】
列ベクトルが4次元であり、層の数が3であるCMPコードブックは次のとおりである。
【１３１２】
【表２８】
2018129821.tif 000534
【１３１３】
列ベクトルが4次元であり、層の数が4であるCMPコードブックは次のとおりである。
【１３１４】
【表２９】
2018129821.tif 000535
【１３１５】
この実施形態では、{Vm'}において、列ベクトルは4次元であり、要素は合計2個ある。列ベクトルが4次元であり、層の数が2であるTable 3(表27)において、コードブックインデックスが5であるCMPコードブックCmは
【１３１６】
【数４７９】
2018129821.tif 000536
【１３１７】
であり、Cmの対応する位相行列は、
【１３１８】
【数４８０】
2018129821.tif 000537
【１３１９】
である。
【１３２０】
{Vm'}およびCmは、{Vm'}の列ベクトルの数2がCMPコードブック内の列の数2に等しいという第1の対応関係の条件を満たし、{Vm'}およびCmは、第2の位相ベクトルによって形成されるベクトル集合
【１３２１】
【数４８１】
2018129821.tif 000538
【１３２２】
が、CMPコードブック行列の位相行列内の対応する列ベクトルの集合の部分集合であるという条件を満たす。明らかに、
【１３２３】
【数４８２】
2018129821.tif 000539
【１３２４】
は、Cmの位相行列内の第1の列に対応し、
【１３２５】
【数４８３】
2018129821.tif 000540
【１３２６】
は、Cmの位相行列内の第2の列に対応する。
【１３２７】
すなわち、V2は、すべての第2の位相ベクトルによって形成されるベクトル集合およびCMPコードブック集合内の少なくとも1つのCMPコードブックは、第2の位相ベクトルによって形成されるベクトル集合がCMPコードブック行列の位相行列内の対応する列ベクトルの集合の部分集合であるという第2の対応関係の条件を満たす、という条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【１３２８】
【数４８４】
2018129821.tif 000541
【１３２９】
のVa部分は集合{Vm}を形成し、{Vm}の各サブベクトル内のすべての要素の位相部分は、第2の位相ベクトルを形成し、{Vm}の各サブベクトル内の第Kの要素の位相部分は、各対応する第2の位相ベクトルの第Kの要素であり、P、Q、およびKは、正整数であり、CMPコードブックは、各ポートに対応する層内のただ1つの層が非ゼロ要素であるコードブックを指す。
【１３３０】
図17は、前述の装置の汎用コンピュータシステムの構造を示している。
【１３３１】
コンピュータシステムは、特に、プロセッサベースのコンピュータ、たとえば、汎用パーソナルコンピュータ(PC)、タブレットなどの携帯デバイス、またはスマートフォンであってよい。
【１３３２】
より具体的には、コンピュータシステムは、バス、プロセッサ601、入力デバイス602、出力デバイス603、通信インターフェース604、およびメモリ605を備え得る。プロセッサ601、入力デバイス602、出力デバイス603、通信インターフェース604、およびメモリ605は、バスを使用することによって相互に接続される。
【１３３３】
バスは、チャネルを備え、コンピュータシステムのコンポーネントの間で情報を転送する。
【１３３４】
プロセッサ601は、汎用プロセッサ、たとえば、汎用中央演算処理装置(CPU)、ネットワークプロセッサ(Network Processor、略してNP)、またはマイクロプロセッサであり得るか、または特定用途向け集積回路(application-specific integrated circuit、ASIC)、または本発明のソリューションにおいてプログラムの実行を制御するために使用される1つもしくは複数の集積回路であり得るか、またはデジタルシグナルプロセッサ(DSP)、特定用途向け集積回路(ASIC)、フィールドプログラマブルゲートアレイ(FPGA)、もしくは他のプログラム可能な論理デバイス、ディスクリートゲート、もしくはトランジスタ論理デバイス、もしくはディスクリートハードウェアコンポーネントであり得る。
【１３３５】
メモリ605は、本発明の技術的ソリューションを実行するためにプログラムを記憶するものであり、オペレーティングシステムおよび他のアプリケーションプログラムをさらに記憶することができる。特に、プログラマは、プログラムコードを含むものとしてよく、プログラムコードはコンピュータ操作命令を含む。より具体的には、メモリ605は、リードオンリーメモリ(read-only memory、ROM)、静的情報および命令を記憶することができる別のタイプの静的記憶デバイス、ランダムアクセスメモリ(random access memory、RAM)、情報および命令を記憶することができる別のタイプの動的記憶デバイス、磁気ディスク記憶装置、および同様のものであってよい。
【１３３６】
入力デバイス602は、ユーザによって入力されるデータおよび情報を受け取るための装置、たとえば、キーボード、マウス、カメラ、スキャナ、ライトペン、音声入力装置、またはタッチスクリーンを含み得る。
【１３３７】
出力デバイス603は、ユーザへの情報の出力を可能にし得る装置、たとえば、ディスプレイ、プリンタ、またはスピーカを含み得る。
【１３３８】
通信インターフェース604は、別のデバイスまたは通信ネットワーク、たとえば、Ethernet、無線アクセスネットワーク(RAN)、またはワイヤレスローカルエリアネットワーク(WLAN)と通信するために、トランシーバを使用する装置を含み得る。
【１３３９】
プロセッサ601は、メモリ605に記憶されているプログラムを実行し、本発明の実施形態および実施形態における装置に従ってローカルルーティングのための方法を実装するように構成される。前述の実施形態の説明により、当業者は、本発明がハードウェア、ファームウェア、またはこれらの組合せによって実装され得ることを明確に理解することができる。本発明が、ソフトウェアによって実装される場合、前述の機能は、コンピュータ可読媒体内に記憶されるか、またはコンピュータ可読媒体内の1つまたは複数の命令もしくはコードとして伝送され得る。コンピュータ可読媒体は、コンピュータ記憶媒体および通信媒体の両方を含み、通信媒体は、コンピュータプログラムを一方の場所から別の場所に伝送することを可能にする媒体を含む。記憶媒体は、コンピュータからアクセス可能な利用可能媒体であってよい。次に、一例を示すが、制限を課すものではない。コンピュータ可読媒体は、RAM、ROM、EEPROM、CD-ROM、または他の光ディスク(disc)記憶もしくはディスク(disk)記憶媒体、もしくは別の磁気記憶デバイス、または命令またはデータ構造体の形態で予想されるプログラムコードを搬送もしくは記憶することができ、コンピュータによってアクセスされ得る他の媒体を含み得る。それに加えて、接続は、コンピュータ可読媒体と適切に定義され得る。たとえば、ソフトウェアが同軸ケーブル、光ファイバ/ケーブル、ツイストペア線、デジタル加入者回線(DSL)、または赤外線、電波、およびマイクロ波などのワイヤレス技術を使用することによってウェブサイト、サーバ、または別のリモートソースから送信される場合、同軸ケーブル、光ファイバ/ケーブル、ツイストペア線、DSL、または赤外線、電波、およびマイクロ波などのワイヤレス技術は、これらが属す媒体の据え付けに含まれる。たとえば、本発明で使用されているディスク(disk)およびディスク(disc)は、コンパクトディスク(CD)、レーザディスク、光ディスク、デジタル多用途ディスク(DVD)、フロッピーディスク、およびブルーレイディスクを含み、ディスク(disk)は、一般的に磁気的手段によってデータをコピーし、ディスク(disc)は、レーザ手段によってデータを光学的にコピーする。前述の組合せも、コンピュータ可読媒体の保護範囲内に含まれるべきである。
【１３４０】
要約すると、上で説明されている内容は、本発明の技術的解決策の例示的な実施形態にすぎないが、本発明の保護範囲を制限することを意図されていない。本発明の範囲および原理から逸脱することなく行われる変更、同等物の置換、または改善は、本発明の保護範囲内に収まるであろう。
【符号の説明】
【１３４１】
301  第1の受信ユニット
302  測定ユニット
303  選択ユニット
304  送信ユニット
305  第3の取得ユニット
306  メモリ
307  第2の受信ユニット
308  第3の受信ユニット
401  第1の送信ユニット
402  受信ユニット
403  決定ユニット
404  取得ユニット
405  メモリ
406  第2の送信ユニット
407  第3の送信ユニット
601  プロセッサ
602  入力デバイス
603  出力デバイス
604  通信インターフェース
605  メモリ
【図１】
2018129821.tif 000703
【図２】
2018129821.tif 000704
【図３】
2018129821.tif 000705
【図４】
2018129821.tif 000706
【図５】
2018129821.tif 000707
【図６】
2018129821.tif 000708
【図７】
2018129821.tif 000709
【図８】
2018129821.tif 000710
【図９】
2018129821.tif 000711
【図１０】
2018129821.tif 000712
【図１１】
2018129821.tif 000713
【図１２】
2018129821.tif 000714
【図１３】
2018129821.tif 000715
【図１４】
2018129821.tif 000716
【図１５】
2018129821.tif 000717
【図１６】
2018129821.tif 000718
【図１７】
2018129821.tif 000719
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
チャネル情報を測定し、フィードバックするための方法であって、
第1のネットワークデバイスによって、参照信号を受信し、前記参照信号を測定して測定結果を取得し、前記測定結果に従って第1のコードブック集合から第1のコードブックを選択するステップであって、
前記第1のコードブック集合は、少なくとも2つの第1のコードブックを含み、各第1のコードブックのサブベクトルWxは、ゼロベクトルと非ゼロベクトルとによって形成され、前記Wxを形成するベクトルは、アンテナポートの異なるグループに対応し、各第1のコードブックは、少なくとも1つの第1のサブベクトル
【数１】
2018129821.tif 000720
および/または少なくとも1つの第2のサブベクトル
【数２】
2018129821.tif 000721
を含み、
【数３】
2018129821.tif 000722
および
【数４】
2018129821.tif 000723
はベクトルVaの要素であり、
【数５】
2018129821.tif 000724
および
【数６】
2018129821.tif 000725
はベクトルVbの要素である、ステップと、
コードブックインデックスを第2のネットワークデバイスに送信するステップであって、前記コードブックインデックスは、前記第1のコードブック集合から選択された前記第1のコードブックに対応する、ステップと
を含む方法。
【請求項２】
Vaは離散フーリエ変換行列の1列であり、かつ/またはVbは離散フーリエ変換行列の1列である
請求項1に記載の方法。
【請求項３】
チャネル情報を測定し、フィードバックするための方法であって、
参照信号を第1のネットワークデバイスに送信するステップと、
前記第1のネットワークデバイスによって送信されたコードブックインデックスを受信するステップであって、前記コードブックインデックスは、前記第1のネットワークデバイスにより第1のコードブック集合において決定された第1のコードブックに対応し、前記コードブックインデックスは、測定結果に従って前記第1のネットワークデバイスによって決定され、
前記第1のコードブック集合は、少なくとも2つの第1のコードブックを含み、各第1のコードブックのサブベクトルWxは、ゼロベクトルと非ゼロベクトルとによって形成され、前記Wxを形成するベクトルは、アンテナポートの異なるグループに対応し、各第1のコードブックは、少なくとも1つの第1のサブベクトル
【数７】
2018129821.tif 000726
および/または少なくとも1つの第2のサブベクトル
【数８】
2018129821.tif 000727
を含み、
【数９】
2018129821.tif 000728
および
【数１０】
2018129821.tif 000729
はベクトルVaの要素であり、
【数１１】
2018129821.tif 000730
および
【数１２】
2018129821.tif 000731
はベクトルVbの要素である、ステップと、
前記コードブックインデックスに従って、前記第1のネットワークデバイスにより前記第1のコードブック集合において決定された前記第1のコードブックを決定するステップと
を含む方法。
【請求項４】
Vaは離散フーリエ変換行列の1列であり、かつ/またはVbは離散フーリエ変換行列の1列である
請求項3に記載の方法。
【請求項５】
端末装置であって、
参照信号を受信するように構成されている受信器と、
前記参照信号を測定して測定結果を取得するように構成され、
前記測定結果に従って第1のコードブック集合から第1のコードブックを選択するように更に構成されているプロセッサであって、
前記第1のコードブック集合は、少なくとも2つの第1のコードブックを含み、各第1のコードブックのサブベクトルWxは、ゼロベクトルと非ゼロベクトルとによって形成され、前記Wxを形成するベクトルは、アンテナポートの異なるグループに対応し、各第1のコードブックは、少なくとも1つの第1のサブベクトル
【数１３】
2018129821.tif 000732
および/または少なくとも1つの第2のサブベクトル
【数１４】
2018129821.tif 000733
を含み、
【数１５】
2018129821.tif 000734
および
【数１６】
2018129821.tif 000735
はベクトルVaの要素であり、
【数１７】
2018129821.tif 000736
および
【数１８】
2018129821.tif 000737
はベクトルVbの要素である、プロセッサと、
コードブックインデックスを第2のネットワークデバイスに送信するように構成されている送信器であって、前記コードブックインデックスは、前記第1のコードブック集合から選択された前記第1のコードブックに対応する、送信器と
を備える端末装置。
【請求項６】
Vaは離散フーリエ変換行列の1列であり、かつ/またはVbは離散フーリエ変換行列の1列である
請求項5に記載の装置。
【請求項７】
通信装置であって、
参照信号を第1のネットワークデバイスに送信するように構成されている送信器と、
前記第1のネットワークデバイスによって送信されたコードブックインデックスを受信するように構成されている受信器であって、前記コードブックインデックスは、前記第1のネットワークデバイスにより第1のコードブック集合において決定された第1のコードブックに対応し、前記コードブックインデックスは、測定結果に従って前記第1のネットワークデバイスによって決定される、受信器と、
前記コードブックインデックスに従って、前記第1のコードブック集合内の前記第1のコードブックを決定するように構成されているプロセッサであって、
前記第1のコードブック集合は、少なくとも2つの第1のコードブックを含み、各第1のコードブックのサブベクトルWxは、ゼロベクトルと非ゼロベクトルとによって形成され、前記Wxを形成するベクトルは、アンテナポートの異なるグループに対応し、各第1のコードブックは、少なくとも1つの第1のサブベクトル
【数１９】
2018129821.tif 000738
および/または少なくとも1つの第2のサブベクトル
【数２０】
2018129821.tif 000739
を含み、
【数２１】
2018129821.tif 000740
および
【数２２】
2018129821.tif 000741
はベクトルVaの要素であり、
【数２３】
2018129821.tif 000742
および
【数２４】
2018129821.tif 000743
はベクトルVbの要素である、プロセッサと
を備える通信装置。
【請求項８】
Vaは離散フーリエ変換行列の1列であり、かつ/またはVbは離散フーリエ変換行列の1列である
請求項7に記載の装置。
【手続補正３】
【補正対象書類名】明細書
【補正対象項目名】０００３
【補正方法】変更
【補正の内容】
【０００３】
従来型のセルラーシステムでは、基地局の送信側のビームは、水平次元でのみ調整され得る。しかしながら、垂直次元では、すべてのユーザに対して固定ダウンチルト(fixed downtilt)が使用される。したがって、様々なビームフォーミングまたはプリコーディング技術または同様のものは、すべて、水平次元におけるチャネル情報に基づく。しかしながら、実際には、チャネルは3次元(3D)なので、固定ダウンチルト方法は、必ずしも、システムスループットを最適化できるとは限らない。したがって、垂直次元におけるビーム調整は、システムパフォーマンス向上に非常に重要である。
【手続補正４】
【補正対象書類名】明細書
【補正対象項目名】０００４
【補正方法】変更
【補正の内容】
【０００４】
3Dビームフォーミング技術の考え方は、主に次のとおりである。能動アンテナ側の3Dビームフォーミング加重ベクトル(3D beamforming weighted vector)は、ユーザ側で推定された3Dチャネル情報に従って調整され、それにより、3D空間内のビームの主ローブはターゲットユーザに「狙いを定める」。この方法で、受信信号電力が大幅に増大され、信号対干渉雑音比が高められ、さらに、システム全体のスループットが向上する。3Dビームフォーミングの動的ダウンチルトと従来型アンテナの固定ダウンチルトとの間の比較の概略図が、図1および図2に示されている。固定ダウンチルトを有するアンテナポートモデルが、図1に示されており、従来型の2D MIMOに対応して、すべてのユーザに対して固定ダウンチルトが使用される。動的ダウンチルトを有するアンテナポートモデルが図2に示されており、各物理リソースブロック(physical resource block、PRB)について、基地局がサービスを受けるユーザのロケーションに従ってダウンチルトを動的に調整し得る。3Dビームフォーミング技術は、能動アンテナシステムに基づく必要がある。従来型のアンテナと比較すると、能動アンテナAASは、垂直方向に自由度をさらに備える。図3は、AASアンテナの概略図を示している。AASアンテナの垂直方向には複数のアンテナがあることがわかる。したがって、ビームは、垂直方向に動的に形成されるものとしてよく、垂直方向のビームフォーミングの自由度が加わる。図4は、データがベースバンドおよび無線周波ネットワーク内で処理され、AASアンテナを通して送信されるフローチャートを示している。ベースバンド処理の部分では、各層のデータストリームがプリコーディング処理を受け、次いで、NPポートにマップされる。逆高速フーリエ変換(IFFT)および並列/直列変換を受けた後、各ポート上のデータストリームは、無線周波部分でドライブネットワークに入り、次いで、アンテナを通して送信される。各ドライブネットワークは、1対Mドライブネットワーク、すなわち、1つのポートがM個のアンテナ素子に対応する。図5は、ダウンチルトグルーピングの概略図を示している。例では、8個のアンテナポートがあり、各ポートは、4個のアンテナ素子を駆動してダウンチルトを形成する。それに加えて、水平方向の4個のアンテナポート(ポート0から3)は、ドライブネットワーク内の同じ加重ベクトルを有し、すべてダウンチルト0を指し、他の4個のアンテナポート(ポート4から7)は、同じ加重ベクトルを有し、すべてダウンチルト1を指す。
【手続補正５】
【補正対象書類名】明細書
【補正対象項目名】０００６
【補正方法】変更
【補正の内容】
【０００６】
この点を鑑みて、本発明の実施形態は、チャネル情報を測定し、フィードバックするための方法および装置を実現する。
【手続補正６】
【補正対象書類名】明細書
【補正対象項目名】００４３
【補正方法】変更
【補正の内容】
【００４３】
第1の態様に関して、第8の可能な実装方式において、本発明は、異なるランクの第1のコードブック行列における異なる組合せをもたらす。
【手続補正７】
【補正対象書類名】明細書
【補正対象項目名】０１１０
【補正方法】変更
【補正の内容】
【０１１０】
第2の態様に関して、第8の可能な実装方式において、本発明は、異なるランクの第1のコードブック行列における異なる組合せをもたらす。
【手続補正８】
【補正対象書類名】明細書
【補正対象項目名】０１７７
【補正方法】変更
【補正の内容】
【０１７７】
第3の態様に関して、第8の可能な実装方式において、本発明は、異なるランクの第1のコードブック行列における異なる組合せをもたらす。
【手続補正９】
【補正対象書類名】明細書
【補正対象項目名】０２４４
【補正方法】変更
【補正の内容】
【０２４４】
第4の態様に関して、第8の可能な実装方式において、本発明は、異なるランクの第1のコードブック行列における異なる組合せをもたらす。
【手続補正１０】
【補正対象書類名】明細書
【補正対象項目名】０２７５
【補正方法】変更
【補正の内容】
【０２７５】
前述のソリューションにおいて、本発明によって実現されるコードブック構造は、アンテナポートの異なるグループの送信電力に従って独立して構成されるものとしてよく、したがって柔軟性およびMIMOのパフォーマンスが改善される。
【手続補正１１】
【補正対象書類名】明細書
【補正対象項目名】０２７６
【補正方法】変更
【補正の内容】
【０２７６】
【図１】固定ダウンチルトを有するアンテナポートモデルのアーキテクチャ図である。
【図２】動的ダウンチルトを有するアンテナポートモデルのアーキテクチャ図である。
【図３】能動アンテナシステムAASの概略図である。
【図４】データがベースバンドおよび無線周波ネットワーク内で処理され、AASアンテナを通して送信されるフローチャートである。
【図５】ダウンチルトグルーピングの概略図である。
【図６】本発明に従って第1のネットワークデバイスによってチャネル情報を測定し、フィードバックするための方法を実装することに対するフローチャートである。
【図７】本発明に従って第2のネットワークデバイスによってチャネル情報を測定し、フィードバックするための方法を実装することに対するフローチャートである。
【図８】本発明に従ってチャネル情報を測定し、フィードバックするための方法を実装するためのネットワークデバイスの第1の概略構造図である。
【図９】本発明に従ってチャネル情報を測定し、フィードバックするための方法を実装するためのネットワークデバイスの第2の概略構造図である。
【図１０】本発明に従ってチャネル情報を測定し、フィードバックするための方法を実装するためのネットワークデバイスの第3の概略構造図である。
【図１１】本発明に従ってチャネル情報を測定し、フィードバックするための方法を実装するためのネットワークデバイスの第4の概略構造図である。
【図１２】本発明に従ってチャネル情報を測定し、フィードバックするための方法を実装するためのネットワークデバイスの第5の概略構造図である。
【図１３】本発明に従ってチャネル情報を測定し、フィードバックするための方法を実装するためのネットワークデバイスの第6の概略構造図である。
【図１４】本発明に従ってチャネル情報を測定し、フィードバックするための方法を実装するためのネットワークデバイスの第7の概略構造図である。
【図１５】本発明に従ってチャネル情報を測定し、フィードバックするための方法を実装するためのネットワークデバイスの第8の概略構造図である。
【図１６】本発明に従ってチャネル情報を測定し、フィードバックするための方法を実装するためのネットワークシステム内のフローチャートである。
【図１７】本発明に従ってチャネル情報を測定し、フィードバックするための方法を実装するためのネットワークデバイスの構造図である。
【手続補正１２】
【補正対象書類名】明細書
【補正対象項目名】０２７７
【補正方法】変更
【補正の内容】
【０２７７】
便宜上、本発明では、Table 1(表1)からTable 6(表6)は、明細書に繰り返し提示されており、同じ番号を持つ表は、同じ表の内容に対応する。
【手続補正１３】
【補正対象書類名】明細書
【補正対象項目名】０２８１
【補正方法】変更
【補正の内容】
【０２８１】
ステップ102:第1のネットワークデバイスは、コードブックインデックスを第2のネットワークデバイスに送信し、コードブックインデックスは、第1のコードブック集合から選択された第1のコードブックに対応する。
【手続補正１４】
【補正対象書類名】明細書
【補正対象項目名】０２８２
【補正方法】変更
【補正の内容】
【０２８２】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、垂直方向に固定ダウンチルトを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信電力に従って独立して構成されるものとしてよく、したがって柔軟性およびMIMOのパフォーマンスが改善される。
【手続補正１５】
【補正対象書類名】明細書
【補正対象項目名】０２９７
【補正方法】変更
【補正の内容】
【０２９７】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルトまたは信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【手続補正１６】
【補正対象書類名】明細書
【補正対象項目名】０３１９
【補正方法】変更
【補正の内容】
【０３１９】
代替的に、第1のコードブック集合は、第1の構造
【手続補正１７】
【補正対象書類名】明細書
【補正対象項目名】０３７２
【補正方法】変更
【補正の内容】
【０３７２】
DFT行列の位相行列は、
【手続補正１８】
【補正対象書類名】明細書
【補正対象項目名】０３９２
【補正方法】変更
【補正の内容】
【０３９２】
本発明では、DFT行列の位相行列は、必ずしも正方行列ではないことが理解される
であろう。次数に従ってより多くの列または行が選択され得る。たとえば、行列は、
【手続補正１９】
【補正対象書類名】明細書
【補正対象項目名】０４２２
【補正方法】変更
【補正の内容】
【０４２２】
たとえば、第3の位相ベクトルは、Table 6(表6)の層の異なる数および異なるコードブックインデックスに対応する行列内の
【手続補正２０】
【補正対象書類名】明細書
【補正対象項目名】０４４９
【補正方法】変更
【補正の内容】
【０４４９】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの電力に対応する。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【手続補正２１】
【補正対象書類名】明細書
【補正対象項目名】０５３６
【補正方法】変更
【補正の内容】
【０５３６】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、垂直方向の固定ダウンチルトを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信電力に従って独立して構成されるものとしてよく、したがって柔軟性およびMIMOのパフォーマンスが改善される。
【手続補正２２】
【補正対象書類名】明細書
【補正対象項目名】０５５１
【補正方法】変更
【補正の内容】
【０５５１】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルトまたは信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【手続補正２３】
【補正対象書類名】明細書
【補正対象項目名】０５７３
【補正方法】変更
【補正の内容】
【０５７３】
代替的に、第1のコードブック集合は、第1の構造
【手続補正２４】
【補正対象書類名】明細書
【補正対象項目名】０６２６
【補正方法】変更
【補正の内容】
【０６２６】
DFT行列の位相行列は、
【手続補正２５】
【補正対象書類名】明細書
【補正対象項目名】０６４６
【補正方法】変更
【補正の内容】
【０６４６】
本発明では、DFT行列の位相行列は、必ずしも正方行列ではないことが理解される
であろう。次数に従ってより多くの列または行が選択され得る。たとえば、行列は、
【手続補正２６】
【補正対象書類名】明細書
【補正対象項目名】０６７６
【補正方法】変更
【補正の内容】
【０６７６】
たとえば、第3の位相ベクトルは、Table 6(表12)の層の異なる数および異なるコードブックインデックスに対応する行列内の
【手続補正２７】
【補正対象書類名】明細書
【補正対象項目名】０７０３
【補正方法】変更
【補正の内容】
【０７０３】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの電力に対応する。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【手続補正２８】
【補正対象書類名】明細書
【補正対象項目名】０７０５
【補正方法】変更
【補正の内容】
【０７０５】
適宜、少なくとも1つの第1の構成メッセージが、第1のネットワークデバイスに送信され、各第1の構成メッセージは、アンテナポートの1つのグループに対応する位相部分のサブベクトル集合を決定するために使用され、少なくとも1つの第1の構成メッセージの数は、アンテナポートのグループの数に等しい、および/または少なくとも1つの第2の構成メッセージが第1のネットワークデバイスに送信され、各第2の構成メッセージは、アンテナポートの1つのグループに対応する振幅部分のサブベクトル集合を決定するために使用され、少なくとも1つの第2の構成メッセージの数は、アンテナポートのグループの数に等しい。
参照信号は、第1の構成メッセージを示すためにさらに使用され、および/または参照信号は、第2の構成メッセージを示すためにさらに使用され、それにより、第1のネットワークデバイスは、参照信号に従って第1の構成メッセージおよびまたは第2の構成メッセージを取得する。
【手続補正２９】
【補正対象書類名】明細書
【補正対象項目名】０７０６
【補正方法】変更
【補正の内容】
【０７０６】
一実施形態において、第1の構成メッセージは、上位層のシグナリングまたは動的シグナリングを使用することにより第2のネットワークデバイスによって構成され、および/または第2の構成メッセージは、上位層のシグナリングまたは動的シグナリングを使用することにより第2のネットワークデバイスによって構成される。
【手続補正３０】
【補正対象書類名】明細書
【補正対象項目名】０７１３
【補正方法】変更
【補正の内容】
【０７１３】
のうちの1つであり、ランク指標の値は3であり、0<i≦N1、0<i'≦N1、0<j≦N1、0<j'≦N1、0<k≦N1、および0<k'≦N1である、または
4.第1のコードブックは、行列
【手続補正３１】
【補正対象書類名】明細書
【補正対象項目名】０７７８
【補正方法】変更
【補正の内容】
【０７７８】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、垂直方向の固定ダウンチルトを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信電力に従って独立して構成されるものとしてよく、したがって柔軟性およびMIMOのパフォーマンスが改善される。
【手続補正３２】
【補正対象書類名】明細書
【補正対象項目名】０７９３
【補正方法】変更
【補正の内容】
【０７９３】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルトまたは信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【手続補正３３】
【補正対象書類名】明細書
【補正対象項目名】０８１５
【補正方法】変更
【補正の内容】
【０８１５】
代替的に、第1のコードブック集合は、第1の構造
【手続補正３４】
【補正対象書類名】明細書
【補正対象項目名】０８６８
【補正方法】変更
【補正の内容】
【０８６８】
DFT行列の位相行列は、
【手続補正３５】
【補正対象書類名】明細書
【補正対象項目名】０８８８
【補正方法】変更
【補正の内容】
【０８８８】
本発明では、DFT行列の位相行列は、必ずしも正方行列ではないことが理解されるであろう。次数に従ってより多くの列または行が選択され得る。たとえば、行列は、
【手続補正３６】
【補正対象書類名】明細書
【補正対象項目名】０９１８
【補正方法】変更
【補正の内容】
【０９１８】
たとえば、第3の位相ベクトルは、Table 6(表18)の層の異なる数および異なるコードブックインデックスに対応する行列内の
【手続補正３７】
【補正対象書類名】明細書
【補正対象項目名】０９４５
【補正方法】変更
【補正の内容】
【０９４５】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの電力に対応する。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【手続補正３８】
【補正対象書類名】明細書
【補正対象項目名】０９４６
【補正方法】変更
【補正の内容】
【０９４６】
本発明の一実施形態において、図9は、第1のコードブックが選択される前に第1のコードブック集合を取得するように構成されている第3の取得ユニット305をさらに示している。本発明の別の実施形態において、図10は、第1のネットワークデバイスに第1のコードブック集合を事前記憶するように構成されているメモリ306を示している。
【手続補正３９】
【補正対象書類名】明細書
【補正対象項目名】０９５４
【補正方法】変更
【補正の内容】
【０９５４】
のうちの1つであり、ランク指標の値は3であり、0<i≦N1、0<i'≦N1、0<j≦N1、0<j'≦N1、0<k≦N1、および0<k'≦N1である、または
4.第1のコードブックは、行列
【手続補正４０】
【補正対象書類名】明細書
【補正対象項目名】１０１８
【補正方法】変更
【補正の内容】
【１０１８】
本発明では、ゼロベクトルは、長さ1のゼロ要素であってよく、非ゼロベクトルは、長さ1の非ゼロ要素であってよいことが理解されるであろう。一般的に、受動アンテナについては、垂直方向のダウンチルトは固定される。したがって、複数の空間的に多重化されたデータストリームについて、垂直方向の固定ダウンチルトを有する平面でのみ複数の水平ビームに調整が加えられるものとしてよく、複数のデータストリームは、複数のダウンチルトを有する平面内でより自由に多重化されることはあり得ない。それに加えて、アンテナポートが異なるダウンチルトに従ってグループ化される場合、本発明によって実現されるコードブック構造は、アンテナポートの異なるグループの送信電力に従って独立して構成されるものとしてよく、したがって柔軟性およびMIMOのパフォーマンスが改善される。
【手続補正４１】
【補正対象書類名】明細書
【補正対象項目名】１０３３
【補正方法】変更
【補正の内容】
【１０３３】
の中の0は、n1次元のゼロベクトルを表し、アンテナポートの第1のグループに対応する。本発明は、2つのグループにグループ化することのみに制限されていないことが理解されるであろう。実際の応用では、アンテナポートは、異なるダウンチルトまたは信号品質または同様のものなどの他の要因に従ってより多くのグループにグループ化される。特定の測定プロセスにおいて、第1のコードブック集合の中のコードブックは横断され、伝送特性と最もよくマッチする第1のコードブックがチャネル伝送のために決定され、使用される。
【手続補正４２】
【補正対象書類名】明細書
【補正対象項目名】１０５５
【補正方法】変更
【補正の内容】
【１０５５】
代替的に、第1のコードブック集合は、第1の構造
【手続補正４３】
【補正対象書類名】明細書
【補正対象項目名】１１０８
【補正方法】変更
【補正の内容】
【１１０８】
DFT行列の位相行列は、
【手続補正４４】
【補正対象書類名】明細書
【補正対象項目名】１１２８
【補正方法】変更
【補正の内容】
【１１２８】
本発明では、DFT行列の位相行列は、必ずしも正方行列ではないことが理解されるであろう。次数に従ってより多くの列または行が選択され得る。たとえば、行列は、
【手続補正４５】
【補正対象書類名】明細書
【補正対象項目名】１１５８
【補正方法】変更
【補正の内容】
【１１５８】
たとえば、第3の位相ベクトルは、Table 6(表24)の層の異なる数および異なるコードブックインデックスに対応する行列内の
【手続補正４６】
【補正対象書類名】明細書
【補正対象項目名】１１８５
【補正方法】変更
【補正の内容】
【１１８５】
のVb部分は集合{Vn}を形成し、{Vn}の各サブベクトル内のすべての要素の振幅部分は、第2の振幅ベクトルを形成し、{Vn}の各サブベクトル内の第Kの要素の振幅部分は、各対応する第2の振幅ベクトルの第Kの要素である。この実施形態では、各第1のコードブックに含まれるサブベクトルにおいて、各要素の振幅部分は、アンテナポートの電力に対応する。この実施形態では、各第1のコードブックに含まれるサブベクトルにおいて、アンテナポートの各グループの振幅ベクトルは、アンテナポートのこのグループの傾き特性に従って独立して決定される(傾きは、電気的傾きと機械的傾きとに分類されるものとしてよく、電気的傾きは、1つのアンテナポートに対応する複数のアンテナ素子の加重ベクトルが複数のアンテナ素子にある傾きを指すビームを形成させることを意味する)。たとえば、アンテナポートの第1のグループのすべての傾きは12度であり、アンテナポートの第2のグループのすべての傾きは3度であり、また水平面は0度であることおよび下方の向きは正の傾きであることが仮定される。この場合、あるロケーションにおいて第1のネットワークデバイスによってアンテナポートの2つのグループから受信されるエネルギーは異なる。したがって、アンテナポートの2つのグループのコードブックの振幅に関して独立した制御が実行されるものとしてよく、受信性能は最適化される。
【手続補正４７】
【補正対象書類名】明細書
【補正対象項目名】１１９６
【補正方法】変更
【補正の内容】
【１１９６】
のうちの1つであり、ランク指標の値は3であり、0<i≦N1、0<i'≦N1、0<j≦N1、0<j'≦N1、0<k≦N1、および0<k'≦N1である、または
4.第1のコードブックは、行列
【手続補正４８】
【補正対象書類名】明細書
【補正対象項目名】１２６０
【補正方法】変更
【補正の内容】
【１２６０】
図16は、本発明によるシステムにおけるフローチャートである。
【手続補正４９】
【補正対象書類名】明細書
【補正対象項目名】１２６３
【補正方法】変更
【補正の内容】
【１２６３】
一実施形態において、ランクがrである場合、第1のコードブック集合Cは、n個の第1のコードブックC(1)、C(2)、...、C(n)を含む。チャネル行列HRx×Txは、参照信号を測定することによって得られ、ランクrは、チャネル行列HRx×Txに従って得られる。第1のコードブック集合内でランクがrであるすべての第1のコードブックC(1)からC(n)が横断される。第1のコードブックの行数値はTxであり、第1のコードブックの列数値はrである。第1のコードブックに含まれるC(1)からC(n)の各々に対応するチャネル品質が計算される。適宜、C(1)からC(n)に対応するチャネル品質は、各第1のコードブックにおけるチャネルスループットであるか、または各第1のコードブックにおけるチャネルの信号対雑音比であり得る。C(i)が決定され、それにより、伝送効率は最高または最適となる。たとえば、最大チャネルスループットに対応する第1のコードブックが、すべての第1のコードブックから選択されるか、または最大信号対雑音比に対応する第1のコードブックが、すべての第1のコードブックから選択される。
【手続補正５０】
【補正対象書類名】明細書
【補正対象項目名】１２７４
【補正方法】変更
【補正の内容】
【１２７４】
Va部分は4次元であり、Vb部分も4次元である、すなわち、第1のグループ内のアンテナポートの数が4であるとき、それに対応してランク8では、第1の構造の条件を満たすWxの対応する列ベクトルは5個ある。この場合、第1のコードブックにおいて、第1の構造の条件を満たすVaを有するすべてのサブベクトルWxは、第1の構造のベクトル集合を形成し、第1の構造のベクトル集合に含まれる要素は、それぞれ、
【手続補正５１】
【補正対象書類名】明細書
【補正対象項目名】１２８０
【補正方法】変更
【補正の内容】
【１２８０】
{Vm}の各サブベクトル内のすべての要素の位相部分は、対応する第1の位相ベクトルを形成し、{Vm}の各サブベクトル内の第Kの要素の位相部分は、各対応する第1の位相ベクトルの第Kの要素である。第1の位相ベクトルによって形成されるベクトル集合は
【手続補正５２】
【補正対象書類名】明細書
【補正対象項目名】１２９４
【補正方法】変更
【補正の内容】
【１２９４】
Va部分は4次元であり、Vb部分も4次元である、すなわち、第1のグループ内のアンテナポートの数が4であるとき、それに対応してランク5では、第1のコードブック構造の条件を満たすWxの対応する列ベクトルは2個ある。この場合、第1のコードブックにおいて、第1の構造の条件を満たすVaを有するすべてのサブベクトルWxは、第1の構造のベクトル集合を形成し、第1の構造のベクトル集合に含まれる要素は、それぞれ、
【手続補正５３】
【補正対象書類名】明細書
【補正対象項目名】１３００
【補正方法】変更
【補正の内容】
【１３００】
{Vm}の各サブベクトル内のすべての要素の位相部分は、対応する第1の位相ベクトルを形成し、{Vm}の各サブベクトル内の第Kの要素の位相部分は、各対応する第1の位相ベクトルの第Kの要素である。すべての第1の位相によって形成されるベクトル集合は
【手続補正５４】
【補正対象書類名】明細書
【補正対象項目名】１３２７
【補正方法】変更
【補正の内容】
【１３２７】
すなわち、すべての第2の位相ベクトルによって形成されるベクトル集合およびCMPコードブック集合内の少なくとも1つのCMPコードブックが第2の位相ベクトルによって形成されるベクトル集合がCMPコードブック行列の位相行列内の対応する列ベクトルの集合の部分集合であるという第2の対応関係の条件を満たし、CMPコードブック行列の位相行列の中の第P行および第Q列内の要素は、CMPコードブック行列内の第P行および第Q列内の要素の位相部分であり、第1のコードブック内のすべての第1のサブベクトル
【手続補正５５】
【補正対象書類名】明細書
【補正対象項目名】１３３９
【補正方法】変更
【補正の内容】
【１３３９】
プロセッサ601は、メモリ605に記憶されているプログラムを実行し、本発明の実施形態および実施形態における装置に従ってチャネル情報を測定し、フィードバックするための方法を実装するように構成される。前述の実施形態の説明により、当業者は、本発明がハードウェア、ファームウェア、またはこれらの組合せによって実装され得ることを明確に理解することができる。本発明が、ソフトウェアによって実装される場合、前述の機能は、コンピュータ可読媒体内に記憶されるか、またはコンピュータ可読媒体内の1つまたは複数の命令もしくはコードとして伝送され得る。コンピュータ可読媒体は、コンピュータ記憶媒体および通信媒体の両方を含み、通信媒体は、コンピュータプログラムを一方の場所から別の場所に伝送することを可能にする媒体を含む。記憶媒体は、コンピュータからアクセス可能な利用可能媒体であってよい。次に、一例を示すが、制限を課すものではない。コンピュータ可読媒体は、RAM、ROM、EEPROM、CD-ROM、または他の光ディスク(disc)記憶もしくはディスク(disk)記憶媒体、もしくは別の磁気記憶デバイス、または命令またはデータ構造体の形態で予想されるプログラムコードを搬送もしくは記憶することができ、コンピュータによってアクセスされ得る他の媒体を含み得る。それに加えて、接続は、コンピュータ可読媒体と適切に定義され得る。たとえば、ソフトウェアが同軸ケーブル、光ファイバ/ケーブル、ツイストペア線、デジタル加入者回線(DSL)、または赤外線、電波、およびマイクロ波などのワイヤレス技術を使用することによってウェブサイト、サーバ、または別のリモートソースから送信される場合、同軸ケーブル、光ファイバ/ケーブル、ツイストペア線、DSL、または赤外線、電波、およびマイクロ波などのワイヤレス技術は、これらが属す媒体の据え付けに含まれる。たとえば、本発明で使用されているディスク(Disk)およびディスク(disc)は、コンパクトディスク(CD)、レーザディスク、光ディスク、デジタル多用途ディスク(DVD)、フロッピーディスク、およびブルーレイディスクを含み、ディスク(disk)は、一般的に磁気的手段によってデータをコピーし、ディスク(disc)は、レーザ手段によってデータを光学的にコピーする。前述の組合せも、コンピュータ可読媒体の保護範囲内に含まれるべきである。
【手続補正５６】
【補正対象書類名】明細書
【補正対象項目名】１３４０
【補正方法】変更
【補正の内容】
【１３４０】
要約すると、上で説明されている内容は、本発明の技術的解決策の例示的な実施形態にすぎないが、本発明の保護範囲を制限することを意図されていない。本発明の原理から逸脱することなく行われる変更、同等物の置換、または改善は、本発明の保護範囲内に収まるであろう。
【外国語明細書】
2018129821000001.pdf